(57)【要約】  多数パラメータを測定できる生命兆候測定デバイスは、歩行用でかつベッドサイドで測定されるように構成されており、ここでは該デバイスは、患者に装着されることができ、かつ電池式である。該測定デバイスは、ベッドサイドアプリケーションのためのパワー源としてのバッテリの代わりにデバイスへの電力を充電クラドルを用いて提供することができ、クラドルはさらにＰＣもしくは他の周辺デバイスへデータをリンクすることができるように中間体として働くことができる。該測定デバイスは、離れた遠隔ステーションへ患者に関連するデータを双方向で送信することができるようにワイヤレスラジオを含めることができる。
2008526443.tif 000002
【特許請求の範囲】
【請求項１】
複数パラメータ生命兆候測定システムであって、以下のものよりなる：
生命兆候モニタデバイスであって、該モニタデバイスは、該モニタデバイスをして、スタンドアローンモードで動作することを可能とさせる携帯型電源、及び該モニタデバイスをして少なくとも一つの遠隔ステーションと、もう１つのワイヤレスネットワークモードで動作することを可能とさせるワイヤレストランシーバを含む；および、
前記生態兆候モニタデバイスを受け入れるよう構成された充電クラドルであって、該充電クラドルは、前記モニタデバイスが前記充電クラドルによって受け入れられている時、前記コンパクト生命兆候モニタデバイスをして電源供給されたモードで動作することを許し、前記モニタデバイスは、それが前記充電クラドル内にある時は、前記ネットワーク化モードで動作することが可能である。
【請求項２】
請求項1に記載のシステムにおいて、
前記充電クラドルに直列接続を介して接続された計算デバイスを含み、前記携帯型コンピュータは、前記モニタデバイスが前記充電クラドルに取り付けられたとき、前記モニタデバイスからのストアされた患者関連データを自動的に受信するよう構成されている。
【請求項３】
請求項２に記載のシステムにおいて、
前記計算デバイスに接続されたプリンタを含み、該プリンタは、前記モニタデバイスが前記充電クラドルに取り付けられたとき、前記モニタデバイスからのストアされた患者関連データを自動的に印刷するよう構成されている。
【請求項４】
請求項１に記載のシステムにおいて、
前記充電クラドルが、データポートを含み、該データポートは、少なくとも一つの周辺装置と契合可能である。
【請求項５】
請求項３に記載のシステムにおいて、
前記生体兆候モニタデバイスは、メモリを持ったプロセッサを含み、かつそこにおいては、前記データポートは、計算デバイスと接続されており、前記計算デバイス、及び前記モニタデバイスは、前記モニタデバイスが前記充電クラドルに取り付けられているとき、前記モニタデバイス内にストアされたすべてのデータを、自動的に印刷するよう構成されている。
【請求項６】
請求項５に記載のシステムにおいて、
前記生命兆候モニタデバイスは、患者関連データのスナップショットを獲得するための、選択的に活性化されたメカニズムを含み、そこでは、前記モニタデバイスが前記充電クラドルに取り付けられているときは、保存されたスナップショットデータは印刷のために前記計算デバイスに自動的に送信される。
【請求項７】
請求項３に記載のシステムにおいて、
前記生命兆候モニタデバイスは、患者データを、トレンド化されたデータとして保存し、かつここで、前記保存されたトレンドされたデータは、前記モニタデバイスが前記充電クラドルに取り付けられているときは、前記プリンタによる印刷のために前記計算デバイスに自動的に送信される。
【請求項８】
請求項２に記載のシステムにおいて、
前記生命兆候モニタデバイスは、該デバイスの動作のためのデフォルト設定を持つプロセッサを含み、該計算デバイスは、該デバイスが前記充電クラドルに取り付けられているとき、前記生命兆候モニタデバイスへダウンロードされることができる構成ファイルを作るためのソフトウェアを含み、前記構成ファイルは、前記デバイスのデフォルト設定の少なくとも１つを置き換える１セットの選択可能な指令を含む。
【請求項９】
請求項８に記載のシステムにおいて、
前記生命兆候モニタデバイスは、前記構成ファイルにより、または初期デフォルト設定を通して、ロードされた設定のうちの少なくともいくつかの、一時的な構成設定を許す。
【請求項１０】
請求項９に記載のシステムにおいて、
前記生命兆候モニタデバイスの電源が落とされた時、前記一時的な設定は、前記デバイスのデフォルト設定を残すよう、削除されることができる。
【請求項１１】
請求項９に記載のシステムにおいて、
前記生体兆候モニタデバイスは、ユーザをして、前記モニタデバイスに対して一時的な構成設定を適用することを可能とさせる１セットのユーザが作動可能な制御をもつユーザインタフェースを含む。
【請求項１２】
請求項１１に記載のシステムにおいて、
前記モニタデバイスの電源が落とされた時、一時的な設定は、維持されることができる。
【請求項１３】
請求項１１に記載のシステムにおいて、
前記モニタデバイスの電源が落とされた時、一時的な設定は、選択的に消去されることができる。
【請求項１４】
請求項１に記載のシステムにおいて、
遠隔ステーションを含み、前記モニタデバイス、及び前記遠隔ステーションは、おのおの、それらの間での双方向性の無線通信を可能とする無線トランシーバを含む。
【請求項１５】
請求項１４に記載のシステムにおいて、
前記遠隔ステーションは、前記モニタデバイスに対し、ワイヤレス通信により、一時的な構成設定を送信することができる。
【請求項１６】
請求項1に記載のシステムにおいて、
前記生命兆候モニタデバイスは、患者が装着可能である。
【請求項１７】
請求項８に記載のシステムにおいて、
前記構成設定ファイルは、少なくとも一つのモニタされたパラメータのアラーム限界を調整するための指令を含み、前記調整は、ユーザをして前記アラーム限界を所定のパーセント量だけ調整することを可能とする。
【請求項１８】
請求項１７に記載のシステムにおいて、
前記モニタデバイスは、ユーザインタフェースを含み、アラームが鳴ったとき、前記ユーザインタフェース上の単一ボタンを用いて、違反されたアラーム限界を調整することができる。
【請求項１９】
請求項１に記載のシステムにおいて、
前記生命兆候モニタデバイスは、少なくとも一つの生理学的パラメータを連続的にモニタし、該デバイスは、パルス酸素センサアセンブリを含み、そこにおいては、前記デバイスは、前記少なくとも一つの他のパラメータの連続的な動作を許し、一方、前記パルス酸素センサアセンブリをして、連続的に動作せられるか、あるいは患者をスポットチェックすることを、可能とさせる。
【請求項２０】
請求項４に記載のデバイスにおいて、
周辺装置は、大ディスプレイであり、
データは、前記第３のモードで、前記ディスプレイに、リアルタイムに送信されることができる。
【請求項２１】
請求項１１に記載のデバイスであって、
前記ユーザが作動可能な制御は、該モニタデバイスを動作させるための複数のユーザ作動可能なボタンを含み、かつ、前記ボタンは、選択的にロックアウトされることができる。
【請求項２２】
請求項１に記載のデバイスであって、
一体のバックライトをもつディスプレイを含み、かつ、前記ディスプレイ、および該一体のバックライトは、権限のないアクセスを妨げるために選択的にロックアウトされることができる。
【請求項２３】
請求項２２に記載のデバイスにおいて、
前記ディスプレイ、及び前記バックライトのうちの少なくとも１つが、前記モニタデバイスの所定の量の不活性に基づき、パワーダウンされることができる。
【請求項２４】
請求項１に記載のデバイスにおいて、
ＥＣＧアセンブリを含み、該ＥＣＧアセンブリは、ペーススパイクを決定するためのペーサー検出回路を含む。
【請求項２５】
請求項２４に記載のデバイスにおいて、
前記ＥＣＧセンサアセンブリは、ノイズ検出のための適切なＥＣＧベクトルを選択的に決定するよう構成されている。
【請求項２６】
請求項１１に記載のデバイスにおいて、
前記ユーザが作動可能な制御は、ユーザインタフェースを介して選択的にアクセス可能なドロップダウンメニューを用いてナビゲ−トをするよう、ディスプレイスクリーンとともに使用される複数のボタンを含む。
【請求項２７】
請求項２６に記載のデバイスにおいて、
前記ユーザが作動可能なコントロールは、ユーザをして、前記モニタデバイスの多数のデータディスプレイモードを通して切り替わることを可能とさせるディスプレイボタンを含む。
【請求項２８】
モニタデバイスを用いて患者をモニタする方法であって、該方法は、以下のステップよりなる：
第１のスタンドアローンモードの、バッテリ電源供給された患者モニタデバイスを与えること、該デバイスは、患者関連データを表示するためのディスプレイを含む；
前記患者モニタデバイスを、患者関連データが、無線通信により、遠隔ステーションに送信される第２のモードで動作するよう構成すること；
前記バッテリ電源供給されたデバイスを、充電クラドル内において、第３のモードで動作可能なように配置すること、ここで、該第３のモードにおいては、該デバイスは、前記充電クラドルへの接続をとおして電源供給され、かつ、前記充電クラドルは、前記モニタデバイスが前記充電クラドルに取り付けられているとき、前記デバイスからの患者データを、有線接続を通して周辺装置に送信するよう構成されている。
【請求項２９】
請求項２８に記載の方法において、
前記周辺装置は、プリンタを含み、かつ前記患者モニタデバイスは、患者データをストアするためのメモリ、およびユーザインタフェースもつプロセッサを含み、前記方法は、患者データのスナップショットを選択的に獲得し、ストアするよう、前記ユーザインタフェース上のボタンを押す付加的なステップを含み、ここで、前記患者モニタデバイスを、前記充電クラドル内に置くと、任意のストアされたスナップショットデータが、自動的に前記接続されたプリンタを介して、プリントされることとなる。
【請求項３０】
請求項２９に記載の方法において、
計算デバイス、および前記プリンタを、前記充電クラドル上に設けられたデータポートを介して、前記充電クラドルに接続するステップを含む。
【請求項３１】
請求項２９に記載の方法において、
前記患者モニタデバイスは、患者データをトレンドするよう構成されており、かつ、前記患者モニタデバイスを、前記充電クラドル上に置くと、すべてのストアされたトレンドされたデータが、前記充電クラドルに接続されたプリンタを介して、印刷されることとなる。
【請求項３２】
請求項２８に記載の方法において、
前記周辺装置は、データポートを介して前記充電クラドルに取り付けられた大ディスプレイを含み、ここで、前記患者モニタデバイスを、前記充電クラドル内に置くと、前記患者モニタデバイスによりデータが、前記大ディスプレイによって表示されるのと、同時的に表示されることとなる。
【請求項３３】
患者モニタシステムにおいて使用される充電クラドルであって、該充電クラドルは以下のものよりなる：
患者モニタデバイスを受け入れるよう適合されたレセプタクル；
受け入れた患者モニタデバイスのバッテリを充電する、および前記デバイスの電力供給を前記バッテリの代わりに行う手段；及び、
受け入れた患者モニタデバイスと、周辺装置との間の双方向通信を許すよう、適合的に構成されたデータポート。
【請求項３４】
請求項３３に記載の充電クラドルにおいて、
患者モニタデバイスと機械的に契合するように適合された少なくとも一つのロック機構を含む。
【請求項３５】
請求項３４に記載の充電クラドルにおいて、
患者モニタデバイスを、前記ロック機構から開放するためのリリースボタンを含む。
【請求項３６】
請求項３３に記載の充電クラドルにおいて、
前記患者モニタデバイスのバッテリが充電されていることを示す少なくとも一つの表示器を含む。
【請求項３７】
請求項３３に記載の充電クラドルにおいて、
前記クラドルが電源供給されているかを示す少なくとも一つの表示器を含む。
【請求項３８】
請求項３３に記載の充電クラドルにおいて、
前記モニタデバイスが前記充電クラドルに取り付けられている時、前記患者モニタデバイスは、すべての保存されたデータを、前記周辺装置へ送信することが可能である。
【請求項３９】
請求項３３に記載の充電クラドルにおいて、
前記周辺機器は、計算デバイスであり、該計算デバイスは、前記モニタデバイスが前記充電クラドルに取り付けられているとき、構成ファイルを前記患者モニタデバイスに送信するようプログラムされている。
【請求項４０】
請求項３９に記載の充電クラドルにおいて、
前記計算デバイスは、プリンタに接続されており、前記患者モニタデバイスおよび前記計算デバイスは、前記患者モニタデバイスが前記充電クラドルに取り付けられているとき、前記患者モニタデバイスによりストアされているデータを、自動的に印刷するよう構成されている。
【請求項４１】
請求項３３に記載の充電クラドルにおいて、
前記周辺機器は、大ディスプレイであり、
前記充電クラドルは、データを前記患者モニタデバイスから前記ディスプレイへ、前記データポートを介して送信されることを可能とする。
【請求項４２】
請求項３３に記載の充電クラドルにおいて、
前記データポートは、ＵＳＢデータポートである。
【請求項４３】
請求項３９に記載の充電クラドルにおいて、
前記構成ファイルは、前記患者モニタデバイスのアラーム限界を、アラーム条件が起きたときに、前記デバイスのユーザインタフェースが、単一のモニタされたパラメータのアラーム限界を、所定のパーセントだけ、増大させることができるよう、設定する指令を含む。
【請求項４４】
請求項３３に記載の充電クラドルにおいて、
前記充電クラドルは、ベッドレールに取り付け可能である。
【請求項４５】
請求項３３に記載の充電クラドルにおいて、
前記充電クラドルは、ＩＶポールに取り付け可能である。
【請求項４６】
請求項４１に記載の充電クラドルにおいて、
前記充電クラドルは、ブラケットを用いて、前記大ディスプレイに直接取り付けられることができる。
【請求項４７】
患者モニタデバイスを構成するための方法であって、該方法は以下のステップを含む：
前記モニタデバイスを、充電クラドル内に配置する；
前記充電クラドルを、携帯型コンピュータに取り付ける；
前記携帯型コンピュータにおいて構成ファイルを作る；
前記構成ファイルを、前記患者モニタデバイスへアップロードする、ここで、該構成ファイルは、前記モニタデバイス内でインストールされた工場設定を置き換えるための新しいデフォルト設定を含む。
【請求項４８】
請求項４７に記載の方法であって、
前記患者モニタデバイスは、前記デバイスにより選択的に表示された１セットのコントロールメニューをイネーブルするためのユーザインタフェースを含み、該方法は、以下の付加的なステップを含む；
前記患者モニタデバイスをパワーアップする；
前記モニタデバイスの少なくとも一つの動作設定をカスタム構成するよう、少なくとも一つのコントロールメニューをアクセスする。
【請求項４９】
請求項４７に記載の方法において、
前記構成ファイルを作るステップは、ＰＣ上にリストされた設定を持つワークシートを準備するステップを含み、ここで、準備されたワークシートに対する応答は、前記構成ファイルのための指令に変換される。
【請求項５０】
請求項４９に記載の方法において、
前記構成ワークシートは、前記モニタデバイスによって測定された個々の生理学的パラメータのためのアラーム限界を設定するための設定を含み、該アラーム限界の設定は、アラーム条件が該デバイスによって保証された時、単位置のアラーム限界に、所定のパーセント量だけ、影響を与えるよう、ユーザにオプションを与える。
【請求項５１】
請求項５０に記載の方法において、
前記患者モニタデバイスは、該デバイスによって選択的に表示される１セットのコントロールメニューをイネーブルするためのユーザインタフェースを含み、該方法は、前記患者モニタデバイスをパワーアップする以下の付加的なステップを含む：
前記患者モニタデバイスをパワーアップする；
前記デバイスの少なくとも一つの動作設定をカスタム構成するよう、少なくとも一つのコントロールメニューをアクセスする、ここで、前記デバイスによるアラーム条件のトリガーリングは、ユーザをして、前記構成ファイルを用いて入力した所定のパーセント量に基づき、前記ユーザインタフェースを用いて前記アラーム限界を変更することを許す。
【請求項５２】
患者モニタデバイスであって、以下のものよりなる：
患者の生理学的パラメータを連続して測定することができる、少なくとも一つの生理学的パラメータセンサアセンブリ；および、
第１の連続的な測定モード、および第２の非連続的な測定モードにおいて構成可能なパルス酸素濃度センサアセンブリであって、前記第２のモードは、前記少なくとも一つの生理学的パラメータセンサアセンブリの連続的な動作を維持しつつ、パルス酸素濃度値のランダムなチェックを行うことを可能とする。
【請求項５３】
請求項５２に記載のデバイスにおいて、
前記パルス酸素濃度センサアセンブリの前記第１および第２のモードの選択的動作を許すユーザインタフェースを含む。
【請求項５４】
請求項５３に記載のデバイスにおいて、
前記少なくとも１つの生理的パラメータアセンブリ、及び前記パルス酸素濃度センサアセンブリからの処理されたデータを表示することができるディスプレイを含む。
【請求項５５】
請求項５４に記載のデバイスにおいて、
前記ディスプレイは、ダイナミックパルス振幅表示器を含む。
【請求項５６】
請求項５４に記載のデバイスにおいて、
前記連続的モニタを行うことのできる前記少なくとも一つの生理学的センサアセンブリは、ＥＣＧセンサアセンブリである。
【請求項５７】
請求項５４に記載のデバイスにおいて、
前記デバイスは、患者が装着可能である。
【請求項５８】
請求項５４に記載のデバイスにおいて、
前記デバイスは、約２ポンドの重さである。
【請求項５９】
請求項５４に記載のデバイスにおいて、
前記センサアセンブリからの生理学的データは、前記ユーザインタフェースを用いて前記ディスプレイ上で種々のフォーマットで選択的に見ることが可能である。
【請求項６０】
請求項５９に記載のデバイスにおいて、
該デバイスをして、複数のディスプレイモード間で選択的に切り替わることを可能とさせる前記ユーザインタフェース上に設けられたディスプレイボタンを含む。
【請求項６１】
請求項５４に記載のデバイスにおいて、
該デバイスを、ワイヤレスネットワークモードと、ワイヤレス非接続モードのうちの一つに選択的に置くことのできるワイヤレストランシーバを含む。
【請求項６２】
請求項５６に記載のデバイスにおいて、
非侵襲血圧測定センサアセンブリを含む。
【請求項６３】
患者モニタデバイスであって、以下のものよりなる：
筐体；
上記筐体上に配置されたディスプレイ；及び
パルス酸素濃度センサアセンブリであって、該センサアセンブリは、該パルス酸素濃度計をして連続的に動作可能とする第１のモードと、該センサアセンブリをして非連続的なモードで動作可能とする第２のモードに、選択的に契合可能であり、前記ディスプレイは、前記第１、及び第２のモードのおのおのにおけるパルス酸素濃度データの表示を可能とするよう前記センサアセンブリに相互接続されている。
【請求項６４】
請求項６３に記載のデバイスにおいて、
患者の生理学的パラメータを測定することのできる少なくとも一つの生理学的パラメータセンサアセンブリを含み、該少なくとも一つの生理学的センサアセンブリは、前記パルス酸素濃度センサアセンブリから分離されている。
【請求項６５】
請求項６４に記載のデバイスにおいて、
前記少なくとも一つの生理学的センサアセンブリは、患者の生理学的パラメータを連続的に測定するものであり、前記デバイスは、前記少なくとも一つの生理学的センサアセンブリ、および前記パルス酸素濃度アセンブリの、前記連続及び前記非連続モードのおのおのにおける動作を許すよう構成されている。
【請求項６６】
請求項６５に記載のデバイスにおいて、
前記パルス酸素濃度計アセンブリは、患者の周辺測定サイトに取り付けられたセンサをふくみ、前記連続モードは、前記センサが前記患者に取り付けられたときに行われ、前記非連続モードは、前記センサを、選択的に取外し、及び取付けることによって行われ、ここで、前記パルス酸素濃度計センサの取付け、および取外しは、前記デバイスの少なくとも一つの他の生理学的センサアセンブリの動作に影響を及ぼさない。
【請求項６７】
請求項６６に記載のデバイスにおいて、
前記少なくとも一つの生理学的センサアセンブリは、ＥＣＧモニタアセンブリである。
【請求項６８】
請求項６４に記載のデバイスは、
前記少なくとも一つの生理学的センサアセンブリは、血圧測定アセンブリである。
【請求項６９】
患者モニタデバイスであって、は以下のものよりなる：
筐体；
前記筐体内に配置されたディスプレイ；および、
非侵襲性の血圧測定センサアセンブリであって、該センサアセンブリは、前記ディスプレイに接続されており、血圧測定が行われるとき、ダイナミックマノメータ読み取りを表示するディスプレイオプションを含み、かつ、特定の圧力同定マーカーの表示を含む。
【請求項７０】
請求項６９に記載のデバイスにおいて、
前記デバイスの操作を制御するための、前記筐体上に配置されたユーザインタフェースを含む。
【請求項７１】
請求項７０に記載のデバイスにおいて、
前記血圧センサアセンブリは、自動モード、及びマニュアルモードを含み、該両モードは、前記ユーザインタフェースによってイネーブルされる。
【請求項７２】
請求項７０に記載のデバイスにおいて、
前記血圧センサアセンブリは、連続的な自動化モードを含み、これにおいては、連続的な血圧の読み取りが、所定の時間間隔内において自動的になされる。
【請求項７３】
請求項７０に記載のデバイスにおいて、
ＥＣＧモニタアセンブリを含む。
【請求項７４】
請求項７３に記載のデバイスにおいて、
前記血圧センサアセンブリは、該血圧センサアセンブリとともに、前記ＥＣＧモニタアセンブリを用いて使用される加工物フィルタを含む。
【請求項７５】
患者モニタデバイスであって、以下のものよりなる：
該モニタデバイスをして、第１のスタンドアローンモードで動作することを許す、携帯可能な電源及びディスプレイを含む筐体；
ワイヤレストランシーバであって、前記モニタデバイスをして、患者関連データが遠隔ステーションに送信される第２モードで動作することを可能とするものであり、かつ、該無線トランシーバにおいて、前記モニタデバイスは、該デバイスが、前記第３のモードにある間、前記第２のネットワークモードにおいてまだ同時に動作することのできる第３のモードで、別に電源供給されるよう、構成されている。
【請求項７６】
請求項７５に記載のデバイスにおいて、
前記モニタデバイスは、前記第３モードにおいて、充電クラドル内に配置されるよう適合されており、該充電クラドルは、前記患者モニタデバイスと、少なくとも一つの周辺デバイスとの間の通信を許すデータポートを含む。
【請求項７７】
請求項７５に記載のデバイスにおいて、
前記モニタデバイスは、前記第１、及び第２モードにおいて、患者が装着可能である。
【請求項７８】
請求項７６に記載のデバイスにおいて、
前記周辺デバイスは、大ディスプレイであり、
患者関連データが、前記データポートを用いて、前記第３のモードにおいて、リアルタイムに、前記ディスプレイに送信されることができる。
【請求項７９】
請求項７６に記載のデバイスにおいて、
前記周辺機器は、計算デバイスである。
【請求項８０】
請求項７９に記載のデバイスにおいて、
前記計算デバイスは、前記患者モニタデバイスに、前記モニタデバイスのためのデフォルト設定を与える構成ファイルを送るように構成されている。
【請求項８１】
請求項７９に記載のデバイスにおいて、
前記計算デバイスは、前記モニタデバイスが前記充電クラドルに取り付けられているとき、前記モニタデバイスからのストアされたデータを自動的に受けるように構成されている。
【請求項８２】
請求項７６に記載のデバイスにおいて、
患者関連データをストアし、トレンドするためのメモリをもつプロセッサを含み、前記デバイスはさらに、スナップショットデータが選択的に取られることを許すユーザインタフェースを含み、そこでは、すべてのトレンドされたデータおよびスナップショットデータは、前記患者モニタデバイスが前記充電クラドルに取り付けられたとき、自動的に送信される。
【請求項８３】
請求項７５に記載のデバイスにおいて、
前記デバイスを動作させるための複数のユーザ作動可能なボタンをもつ前記筐体上で定義されたユーザインタフェースを含み、かつ、ここにおいては、前記ボタンは、選択的にロックアウトされることができる。
【請求項８４】
請求項７５に記載のデバイスにおいて、
バックライトを持つディスプレイを含み、かつ、
前記ディスプレイ及びバックライトは、権限のないアクセスを防ぐために、選択的に電源オフされることができる。
【請求項８５】
請求項８４に記載のデバイスにおいて、
前記ディスプレイ及びバックライトの少なくとも１つが、前記デバイスの不活性に基づき、パワーダウンされることができる。
【請求項８６】
請求項７５に記載のデバイスにおいて、
ＥＣＧアセンブリを含み、該ＥＣＧアセンブリは、ペーサースパイクを検出するためのペーサー検出回路を含む。
【請求項８７】
請求項８６に記載のデバイスにおいて、
前記ＥＣＧアセンブリは、前記ペーサー検出回路からのペーサースパイクを用いて電気的ノイズ検出のための適切なＥＣＧベクトルを決定するよう構成されている。
【請求項８８】
請求項７５に記載のデバイスにおいて、
前記無線トランシーバは、該トランシーバが、アクセスポイントの範囲外にあれば、選択的にパワーダウンされることができる。
【請求項８９】
請求項８３に記載のデバイスにおいて、
前記ユーザインタフェースは、該ユーザインタフェースを通してアクセスされるドロップダウンメニューを用いてナビゲ−トをするよう、ディスプレイスクリーンとともに使用される複数のボタンを含む。
【請求項９０】
請求項８９に記載のデバイスにおいて、
前記ユーザインタフェースは、非接続のワイヤレスモードをアクセスすることができ、該デバイスは、前記非接続のワイヤレスモードと、前記ワイヤレスモードとの間で、選択的にスイッチされることができる。
【請求項９１】
患者モニタデバイスであって、以下のものよりなる；
筐体：
前記デバイスへ電力を与えるための、前記筐体内に配置された少なくとも一つのバッテリ；
患者に接触可能なセンサ、及び処理回路網を含む少なくとも一つの生理学的アセンブリであって、該少なくとも一つの生理学的アセンブリの一部は、前記筐体内に配置されている；
前記デバイスと遠隔リモートステーションとの間の無線通信を可能にするワイヤレスラジオカードであって、これにおいて、患者のモニタされたデータは、前記ステーションにリアルタイムで送信され、前記デバイスは、前記ワイヤレス通信の状態を検出するため、及びラジオカードをパワーダウンするための通信状態検出器を含む。
【請求項９２】
請求項９１に記載のデバイスにおいて、
前記デバイスは、ワイヤレスネットワークモードである第１のモード、及び、ワイヤレス非接続モードである第２のモードで動作可能である。
【請求項９３】
請求項９２に記載のデバイスにおいて、
ディスプレイ、及びユーザインタフェースを含み、
前記ユーザインタフェースは、複数のコントロールメニューにアクセスするための、複数のユーザ作動可能なコントロールボタンを含み、ここにおいて、前記メニューのうちのひとつは、ユーザをして、前記ワイヤレス非接続モードと、前記ワイヤレスネットワークモードとの間での選択を許す。
【請求項９４】
請求項９３に記載のデバイスにおいて、
前記ディスプレイは、ブラックライトを含み、かつ、
ここにおいて、前記デバイスは、所定量の不活性ののちに、前記ディスプレイおよび前記バックライトのうちの少なくとも一つ電源をオフするよう、構成されている。
【請求項９５】
請求項９４に記載のデバイスにおいて、
前記ディスプレイおよび前記バックライトは、もしアラームもしくはアラート条件が、前記モニタデバイスによりセンスされれば、自動的にイネーブルされる。
【請求項９６】
請求項９４に記載のデバイスにおいて、
前記ディスプレイおよび前記バックライトのうちの少なくとも一つは、前記モニタデバイスの権限のない使用を妨げるために、選択的にロックアウトされることができる。
【請求項９７】
請求項９３に記載のデバイスにおいて、
前記ユーザインタフェースのユーザ作動可能なコントロールボタンは、前記モニタデバイスの動作を妨げるために、および権限のない使用を妨げるために、選択的にロックアウトされることができる。
【請求項９８】
請求項９６に記載のデバイスにおいて、
前記ディスプレイ及び前記バックライトのロックアウト特徴は、もしアラームまたはアラート条件が前記モニタデバイスで検出されれば、自動的にディスエーブルされる。
【請求項９９】
請求項９７に記載のデバイスにおいて、
前記ユーザ作動可能なボタンのロックアウト特徴は、もしアラームまたはアラート条件が前記モニタデバイスで検出されれば、自動的にディスエーブルされる。
【請求項１００】
請求項９７に記載のデバイスにおいて、
前記ロックアウト特徴は、多数のユーザ作動可能なコントロールボタンの所定の同時の活性化を通してイネーブルされる。
【請求項１０１】
請求項９６に記載の装置において、
前記ロックアウト特徴は、多数のユーザ作動可能なコントロールボタンの所定の同時の活性化を通してイネーブルされる。
【請求項１０２】
患者モニタデバイスであって、以下のものよりなる：
一体化されたディスプレイ、及びユーザインタフェースを持つ筐体；
モニタされる患者の生理学的パラメータを測定するための複数のセンサアセンブリ；
メモリを持つプロセッサであって、該プロセッサは、前記筐体内に配置され、かつ、前記センサアセンブリ、前記ディスプレイおよびユーザインタフェースに動作可能に接続され、ここで、前記センサアセンブリからのデータは、前記ディスプレイにより、処理され、かつ、種々のディスプレイ形式で表示される；
ここで、前記ユーザインタフェースは、ユーザをして、種々のディスプレイ形式の間で切り替わることを可能とせしめるディスプレイボタンを含む複数のコントロールボタンを含む。
【請求項１０３】
請求項１０２に記載のデバイスにおいて、
前記ディスプレイは、バックライトを含み、
前記ディスプレイ、前記バックライト、及び前記コントロールボタンの少なくとも１つは、前記モニタデバイスの権限のない使用を妨げるために、選択的にその動作をロックアウトされることができる。
【請求項１０４】
請求項１０３に記載のデバイスにおいて、
前記ロックアウト特徴は、もしアラームまたはアラート条件が前記モニタデバイスで検出されれば、自動的にディスエーブルされる。
【請求項１０５】
請求項１０４に記載のデバイスにおいて、
前記ロックアウト特徴は、前記コントロールボタンの所定の結合の手段により、イネーブル、およびディスエーブルされる。
【請求項１０６】
請求項１０２に記載のデバイスにおいて、
前記デバイスの構成設定は、前記ユーザインタフェースを用いて、前記プロセッサによりストアされたデフォルト設定から、一時的に調整されることができる。
【請求項１０７】
請求項１０６に記載のデバイスにおいて、
ユーザにより、前記コントロールボタンを用いて選択的にアクセスされることのできる複数のメニューを、ディスプレイスクリーン上のオーバーレイとして含み、前記メニューは、前記モニタデバイスのある特徴を設定するための複数のオプションをもつ。
【請求項１０８】
請求項１０２に記載の装置において、
前記コントロールボタンのうちの１つは、ユーザをして、少なくとも１つのスナップショットの数値および波形データを選択的に獲得することを可能とし、前記少なくとも１つのスナップショットのおのおのは、所定の時間期間をカバーしている。
【請求項１０９】
請求項１０２に記載のデバイスにおいて、
トレンドされたデータは、表形式および図形式のうちに少なくとも１つで選択的に表示されることができ、かつ、トレンドされたデータは、前記ディスプレイボタンを使用して表示されることができる。
【請求項１１０】
請求項１０８に記載のデバイスにおいて、
前記モニタデバイスは、バッテリ電源供給されるものであり、前記デバイスは、充電クラドル内にフィットするように適合されている。
【請求項１１１】
請求項１１０に記載のデバイスにおいて、
前記モニタデバイスは、該モニタデバイスが前記充電クラドルに取り付けられているとき、プリンタに接続された周辺装置に、印刷のためのすべてのデータを、自動的に送るように構成されている。
【請求項１１２】
請求項１１１に記載のデバイスにおいて、
前記モニタデバイスが前記充電クラドルに取り付けられているとき、すべてのストアされたスナップショットデータが、自動的に印刷される。
【請求項１１３】
請求項１０２に記載のデバイスにおいて、
前記モニタデバイスは、患者が装着可能である。
【請求項１１４】
患者モニタシステムであって、以下のものよりなる：
生命兆候データを受信するための複数のセンサアセンブリを含む患者モニタデバイスであって、該デバイスはさらに、処理し、蓄積し、処理されたデータを表示するためのプロセッサを持つ筐体を含み、前記モニタデバイスは、バッテリ電源供給されるものである；
前記モニタデバイスを受け入れ、前記モニタデバイスのバッテリを充電し、前記充電器の代わりに前記デバイスのための電源を与える充電器を含み、前記充電クラドルはさらに、データポットを含み；および、
前記クラドルに接続された少なくとも１つの周辺装置であって、そこでは、前記モニタデバイスが前記充電クラドルに接続されているとき、ストアされた患者データは、前記データポート上を前記周辺装置に自動的に送信される、もの。
【請求項１１５】
請求項１１４に記載のシステムにおいて、
前記周辺デバイスは、プリンタに接続された計算デバイスであり、そこでは、前記患者モニタデバイスは、所定の時間間隔をカバーして、患者データのスナップショットを選択的に獲得するためのコントロールボタンを含み、ここでは、前記モニタデバイスを前記充電クラドル内に置くと、すべてのスナップショットが自動的に印刷されることとなる。
【請求項１１６】
請求項１１５に記載のシステムにおいて、
前記患者モニタデバイスは、データをトレンドされたデータとして保存する。
【請求項１１７】
請求項１１５に記載のシステムにおいて、
前記計算デバイスは、構成ファイルを送るように構成されており、かつ、前記患者モニタデバイスは、前記構成ファイルを前記クラドルのデータポートを介して受信するように構成されており、前記構成ファイルは、前記モニタデバイスを構成するために工場設定を上書きするように使用される。
【請求項１１８】
請求項１１７に記載のシステムにおいて
前記構成ファイルは、デフォルト設定がそれから作られた設定のリストをもつ、構成ワークシートから変換される。
【請求項１１９】
請求項１１７に記載のシステムにおいて、
前記患者モニタデバイスは、ユーザが開始した構成設定がなされることを可能とするユーザインタフェースを含む。
【請求項１２０】
請求項１１９に記載のシステムにおいて、
ユーザが開始した構成設定は、一時的なものであり、モニタデバイスがパワーダウンされたときは、デフォルト設定のために選択的に削除することができる。
【請求項１２１】
請求項１２０に記載のシステムにおいて、
ユーザが開始した設定は、前記モニタデバイスの電源が落とされた後に、使用のために選択的に保存されることができる。
【請求項１２２】
請求項１１４に記載のシステムにおいて、
前記周辺装置は、大ディスプレイを含み、
前記モニタデバイスが前記充電クラドル内に配置されているとき、前記モニタデバイスにより表示されたデータが、前記大ディスプレイに、前記データポートを用いて送信されることを可能とする。
【請求項１２３】
請求項１１４に記載のシステムにおいて、
前記患者モニタデバイスは、遠隔ステーションと通信するためのワイヤレストランシーバを含む。
【請求項１２４】
請求項１２０に記載のシステムにおいて、
前記患者モニタデバイスは、遠隔ステーションと通信するためのワイヤレストランシーバを含み、かつそこにおいて、前記一時的な構成設定は、遠隔ステーションからなされることができる。
【請求項１２５】
請求項１２４に記載のシステムにおいて、
前記遠隔ステーションを用いて付加された一時的な構成設定は、もし前記遠隔ステーションと前記モニタデバイス間の通信が失われれば、デフォルト設定のために自動的に削除されることができる。
【請求項１２６】
請求項１２３に記載のシステムにおいて、
前記モニタデバイスは、ワイヤレスモードと、スタンドアローンモードで選択的に動作することができる。
【請求項１２７】
請求項１２６に記載のシステムにおいて、
前記モニタデバイスは、遠隔ステーションと、モニタデバイス間の接続の状態を示すために表示された通信ステータスインディケータを含む。
【請求項１２８】
請求項１２６に記載のシステムにおいて、
前記デバイスが、遠隔ステーションの範囲外にあれば、前記遠隔ステーションとの通信は、前記ユーザによって選択的にディスエーブルされることができる。
【請求項１２９】
請求項１１４に記載のシステムにおいて、
前記少なくとも１つのセンサアセンブリは、もし電源パワーが所定のレベルに落ちたときは、前記モニタデバイス上で、ディスエーブルされることができる。
【請求項１３０】
請求項１２９に記載のシステムにおいて、
前記センサアセンブリは、非侵襲血圧センサアセンブリである。
【請求項１３１】
請求項１２９に記載のシステムにおいて、
前記モニタデバイスは、該デバイスによって表示されるバッテリステータスインディケータを含む。
【請求項１３２】
請求項１１４に記載のシステムにおいて、
前記患者モニタデバイスは、患者が装着可能である。
【請求項１３３】
請求項１１４に記載のシステムにおいて、
前記患者モニタデバイスは、その把持動作のためのストラップを含む。
【請求項１３４】
請求項１１４に記載のシステムにおいて、
前記クラドルは、ベッドレールにぶら下げるためのブラケットを含む。
【請求項１３５】
請求項１２２に記載のシステムにおいて、
前記大ディスプレイは、該大ディスプレイが前記充電クラドルに接続されることを可能とするインタフェースを含む。
【請求項１３６】
請求項１３５に記載のシステムにおいて、
前記インタフェースは、ＶＧＡカード、及び前記データポットからのケーブルを受け入れるコネクタを含む筐体である。
【請求項１３７】
請求項１３６に記載のシステムにおいて、
前記クラドルは、前記大ディスプレイインターフェイスに直接、接続するためのブラケット類を含む。
【請求項１３８】
請求項１１４に記載のシステムにおいて、
前記クラドルは、前記モニタデバイス内のバッテリが、充電されていることを示す少なくとも１つの表示器を含む。
【請求項１３９】
請求項１１４に記載のシステムにおいて、
前記クラドルは、電力が印加されていることを示す少なくとも一つの表示器を含む。
【請求項１４０】
請求項１１４に記載のシステムにおいて、
前記モニタデバイスは、該デバイスの動作状態をユーザに通告するための少なくとも一つのステータス表示器を含む。
【請求項１４１】
請求項１１４に記載のシステムにおいて、
前記モニタデバイスは、少なくとも一つの連続的に動作するセンサアセンブリ、及び連続モード、及び非連続モードで選択的に動作することのできるパルス酸素濃度アセンブリを含む。
【発明の詳細な説明】
【技術分野】
【０００１】
以下の特許出願は、２００５年１月１３日に提出された米国特許出願６０/６４３，６３６の仮出願に基づいており、その全体の内容は、ここに参照により組み入れられる。
【０００２】
本発明は、医療用診断分野に関連し、特に、携帯可能な蓄電地駆動の、マルチパラメトリックな、生命兆候モニタデバイスであって、遊歩的な応用、及び輸送応用の両方ばかりでなく、ベッドサイドモニタリングに使用することの出来るものに関するものである。該デバイスは、電力を供給し、含まれるバッテリを充電する任意の充電クラドルを備えて使用されることができる。該充電クラドルは、また、スナップショットを許し、モニタデバイスからの現今のデータが、自動的にプリントアウトされ、また、デフォルトの構成設定がモニタ装置にダウンロードされるのを許す相互接続された携帯コンピュータへの孤立したデータリンクを与えるように、さらに機能するものであってもよい。該モニタデバイスは、スタンドアローンユニットとしてばかりでなく、少なくとも１つの遠隔モニタステーションを含む双方向無線通信ネットワークの一部として使用することができる。
【背景技術】
【０００３】
多くの生命兆候モニタデバイスは、患者の複数の生理学的パラメータを測定することができ、そこでは、種々のセンサ出力信号を無線により、又は有線接続の手段により、少なくとも１つの遠隔サイトに送信することができるものとして知られている。米国特許番号5,319,363は、このようなデバイス及びネットワークの有線のバージョンを記載しており、一方、米国特許番号6,544,173号及び6,544,174は、おのおの、双方向無線通信ネットワークの手段により、少なくとも1つの中央モニタステーションと接続された、通常、病院フロアのナースステーション又はインテンシブケアユニット（ＩＣＵ）に配置された、多パラメータ生命兆候モニタデバイスを記述している。このようなモニタシステムは、患者を病院の入院の間にモニタをすることのできる態様を飛躍的に改善してきた。しかしながら、該分野には、真に多目的である患者モニタデバイスであって、該デバイスをベッドサイド用にばかりでなく、モニタされる患者が遭遇する種々の多くの状況をより有効にカバーするために、しかし、その患者とのデバイス（すなわち、モニタ）接続におけるロス、あるいは、必要とされる生理学的データを得ることにおけるロスなしに、病的徘徊への応用に、選択的に使用することが出来るような、患者モニタデバイスを提供する、認められた必要がある。
【０００４】
患者の生命兆候モニタリングの分野において存在する更なる関心がある。例えば、患者の、特に、鋭敏さの低い、あるいは病気徘徊の患者の、ＳｐＯ2（血酸素飽和）レベルを、連続的にモニタすることのできるモニタ装置の性質は、誤った、あるいは不愉快なアラームの原因となりえる。このタイプの慣習的な連続的なモニタは、ほとんどは、ＩＣＵ、ＯＲ、ＥＤ、ＰＡＵＣ、及び他の特殊ベッドにおいて見られる。他方、病院のベッドの多くは、非連続的な、スポットチェックモニタ装置が主に用いられる。医療用外科、及び／または、一般ケア領域において見つけられる。看護師の一般的不足のような、現在の病院ヘルスケアダイナミクスにおいては、患者感覚における法令順守、コスト上昇、及びより高い鋭敏性に対する圧力を増大してきた。後者は、病院のモニタされないベッドに対する連続的なモニタ、及びスポットチェックの一点集中となりえるであろう。この傾向に対する大変大きな挑戦、または障壁は、医療用外科症状の医科のスタッフメンバーが、一般に、連続的な医用モニタデバイスの使用において、間違って訓練されているか、十分に技術を持っていることである。
【０００５】
患者の生命兆候モニタリングの分野においては、現存する生理学的なモニタデバイスに関するアラーム管理のレベルを改善する、さらなるもう１つの一般的必要がある。このタイプのもっともよく知られたデバイスは、少なくとも１つの視覚可能な、および／または視聴可能なアラームであって、代表的に、モニタ装置（たとえば、ベッドサイドにて）で、ばかりでなく、中央モニタステーションで、生成されるものを、含む。現在公知のモニタシステムによれば、すべての生理学的パラメータについてのプリセット上限および下限リミットは、ユーザにより同時に、特定のパーセンテージ（たとえば、２０パーセント）だけ、同時に自動的に変更することができる。この形式の管理／更新は、ハートレート等の、あるパラメータについては、しばしば適切であるが、他のパラメータ（たとえば、ＳｐＯ2） については、実際的ではない。いくつかのモニタデバイスはさらに、アラーム限界のマニュアル調整を許容しているが、この調整は、いくぶん時間を浪費する、飽き飽きするプロセスとなり得る。その結果、現在知られている患者モニタデバイスに対するアラーム管理を改善することが、一般的な要望である。
【０００６】
さらに、また、ＥＣＧ電極アセンブリに使用されるもののような電極アセンブリが、多くの患者モニタデバイスが、すでに欠陥に到達したとき、または患者から取り外されたときを示す、Karlsson et al. 米国特許No.5,819,741 等、により記述されるものがある。しかしながら、上記特徴に加えて、少なくとも１つのリードワイヤ／または電極における欠陥のオンセットを、該少なくとも１つの電極またはリードワイヤが、前記ＥＣＧ電極が欠陥となる前に、検査の間に、あるいは巡視の間に、改造することができるよう、積極的に検出することのできる患者モニタデバイスを、与えることは、さらにより望ましいであろう。
【０００７】
医療者が、インプラントされた心電図ペースメーカーが適切に動作しているかを確認することができるよう、十分な情報を与えることは、任意の心電モニタデバイスの望ましい機能である。基本的に、ペースメーカーが点火するたびに、高度に視覚可能な指示を、ＥＣＧ波形の中に含むことは望ましいことである。インプラントされたペースメーカー、およびインプラントされたペース電極の技術が革新するにつれ、身体表面にて生ずるパルスの振幅、および期間は、減少し、これらのパルスを、より検出しにくくしている。さらに、観察されたペーサパルス振幅は、いくつかのＥＣＧベクトルにおいて、他におけるよりも、より小さい。どのＥＣＧベクトルが、もっとも強いペーサパルス信号を持つかは、身体表面上ＥＣＧ電極配置、およびインプラントされたペースメーカー電極の位置に依存し、かつそれゆえ、該検出問題は、患者から患者へと変化する。ＥＣＧモニタデバイスにおけるペーサパルス検出器を、より小さい振幅、より小さい期間スパイクを、検出可能であるようにすることは、不運にも、該検出器をして、患者の近傍においてしばしば起こる、電気ノイズスパイクでもって、よりしばしばトリガーされる結果となる。欠陥蛍光調光器、フリオロ光、電子的電力源、および他のアセンブリは、電磁気的干渉（ＥＭＩ）を生じ、かつ、他の電子的雑音源は、このようなノイズスパイクを生成し、これらのスパイクは、電源線の２倍の周波数のレートで起こる。もし、ペーサパルス検出器が、このように急速にトリガーされれば、モニタ装置が、正確なハートレートを計算することは、きわめて困難である。これらのノイズスパイクが、ペーサパルス検出器に影響を及ぼす程度は、さらに、身体表面ＥＣＧ電極の接触インピーダンスによって影響され、そのより高インピーダンス接続は、これらのスパイクノイズをして、ペーサパルス検出器をよりトリガーしやすくする。上記の理由の各々のために、モニタのスペーサ検出器への入力として、その振幅が、充分に前記検出閾値より以上である実ペーサパルスを含み、かつ、その振幅が、充分に前記検出閾値より低い環境ノイズスパイクをも含むＥＣＧベクターを、選択することができることが望ましい。この目的のために、電気的ノイズの局所化された領域、または源を、医療人が患者、および／またはノイズ源を、移動させることを許し、これにより、未熟のアラート、または他の同様の状況の発生を避けるために、特定することが可能であることが望ましい。
【０００８】
さらに、以前のタイプのデバイスよりよりユーザフレンドリーである、複数の生理学的パラメータをモニタするデバイス；すなわち、種々の熟練レベルのスタッフにより、より容易に、かつ有効に、使用されることのできるデバイスを与えることは、遠隔モニタリングの分野において、さらにもう１つの一般的要望である。
【０００９】
またさらに、よりごつごつしており、かつ、忍耐強い患者モニタデバイスを与えることは、このようなデバイスは、たとえば、軍事分野応用における、増大した使用をみつけるものであるとして、かつ、このタイプのデバイスは、旧来の病院環境において見つけられるものより、ショックおよび環境負荷に対して、より大きい耐性があることを要求するが、一般的な要求である。
【発明の開示】
【００１０】
本発明の１つの側面によれば、ここに、携帯可能な、軽量かつ充電池動力の生命兆候モニタリングデバイスであって、遊歩できる、または転送モニタとして使用することのできる、かつ任意に患者が被着可能であるものが、記述される。輸送、および把持の使用の容易化のためのコンパクトプロファイルによって定義されるその軽量デザインにかかわらず、該デバイスは、文字通り、任意の患者に関連する設定または応用において存在することのできるショック、衝撃、および／または、他の負荷に耐えることを意図されている、ごつごつしたデザインにより定義される。
【００１１】
ここで記述されたモニタ装置は、また、充電クラドルと結合しても使用することができ、これをベッドサイドモニタとして使用することを許し、ここで、該充電クラドルは、含まれたバッテリの手段により該モニタデバイスのための電力を供給し、かつ、それのための充電を与えるものである。さらに、該モニタデバイス、およびクラドルは、さらに、たとえば、必要に応じて、ベッドレール、及び／または、流体（ＩＶ）ポールへ、これをマウントすることを許し、あるいは、該クラドル内にマウントされたデバイスに対し周辺機器として接続された大きなディスプレイに、前記クラドルがデータのパススルーを許すデータポートを持っていてこれをマウントすることをさらに許す。
【００１２】
該モニタデバイスは、さらに任意に、集積化されたワイヤレスのトランシーバ、およびアンテナを含み、中央モニタステーション等の少なくとも１つの遠隔ステーションとのワイヤレスネットワークを介しての双方向性の通信を許す。該モニタデバイスは、該デバイスが、充電クラドルに接続されているか、あるいはスタンドアローンデバイスユニットとして使用されているかの患者データを、送信するよう動作することができる。
【００１３】
本発明の１つの側面による充電クラドルは、さらに、モニタデバイスと、携帯コンピュータ（ＰＣ）との間のデータリンク接続を許すことができる。本発明の１つのバージョンによれば、該ＰＣは、形状ユーティリティソフトウェアを備えることができ、かつ、該モニタ装置を、病院、または施設；たとえば、新生児病棟における特定の用途にカスタム構成するために、使用することができる。もう１つのバージョンによれば、該モニタ装置は、“スナップショット”データ、およびトレンド化されたデータを蓄積しており、これが、ＰＣを、接続された充電クラドルが、中間的なあるいはパススルーデバイスとして働くように用いて、マニュアルによりまたは自動的に送信されて印刷されるようにしている。あるいは、該充電クラドルは、該モニタデバイスをして、患者データを実時間態様で、大ディスプレイに直列接続を介して送信することを許す。
【００１４】
本発明の他の側面によるモニタ装置は、複数の生理学的センサアセンブリに接続可能であり、ここでは、複数の患者パラメータを、たとえば、血圧、ＳｐＯ2, ＥＣＧ,パルス／ハートレートおよび呼吸を含んで、測定することができる。該モニタデバイスは、測定された生理学的パラメータの状態を示す集積化されたディスプレイを含み、かつ、ユーザをして、種々の出力または表示モードを、少なくとも１つのモニタされた生理学的パラメータの、表にした、および図的な、両方のデータトレンドを含み、選択的に表示することを許可せしめ、さらに、ワイヤレスネットワーク、該モニタ装置を動作させるための利用可能なパワー、及び他の特徴との関連を含み、該モニタデバイスの状態を見ることを許す、キーパッドを含む、ユーザインタフェースを含んでいる。
【００１５】
本発明のさらに他の側面によれば、モニタデバイスのユーザインタフェースは、キーパッド（ユーザインタフェース）を用いて一連の埋め込まれたメニューを使用するナビゲーションを許し、これにより、医療人が関連するデータを得るために必要とされる時間を最小化し、さらに、高度に熟練した人ばかりでなく、熟練の低い医療スタッフにも、等しく、かつ有効に、該モニタデバイスを利用することを許す。該デバイスは、さらに安全性の特徴を含み、そこでは、ユーザインタフェースおよび／またはディスプレイのボタンは、任意の権限のない使用を妨げるためにロックアウトされる、あるいはディスエーブルされることができるものであり、かつ、電力節減特徴を含み、そこでは、表示は活動の欠如に基づき自動的にパワーダウンされ、あるいはあるアセンブリは、低バッテリ条件が存在するときは、動作不能（すなわち、ＮＩＢＰ）とされる。さらに、およびここで記述されたモニタデバイスが範囲外にあるワイヤレスバージョンにおいては、該ワイヤレスデータ伝送特徴は、該デバイスが再びネットワークの範囲内にあるようになるまで、選択的に不活性化されることができる。
【００１６】
本発明のさらに他のバージョンによれば、ユーザインタフェースは、さらに、アラーム管理において、ユーザをアシストするように構成されている。本発明のこのバージョンによれば、特定された測定されたパラメータのための上限および／または下限アラーム設定は、現存するアラームの生起の間に、必要に応じて、プリセットされたパーセンテージの量だけ、選択的に増大されることができる。さらに、すべてのパラメータは、必要に応じて、同様に同時に調整されることができる。
【００１７】
本発明のさらにもうひとつの側面によれば、該モニタデバイスは、パルス酸素濃度計を含む、ある生理学的なパラメータの連続的な測定を許す。該デバイスは、しかしながら、患者のＳｐＯ2 読み取りが、選択的にランダムである、あるいは、該モニタ装置のユーザによりスポットチェックされる一方、ＥＣＧ等の残っている生理学的パラメータが、通常の態様でユーザにより選択的にモニタされ続けることができるように構成されている。
【００１８】
本発明の１つの特徴は、文字どおり任意の患者設定において使用することのできる多パラメータモニターデバイスが設けられており、該デバイスをして、病院医科外科、遠隔測定および中間フロア、病院緊急部、輸送、緊急医科サービス、および／または他のヘルスケア応用において、患者をモニタするのに用いることができるようにしていることである。このように、ここで記述されたモニタデバイスは、ベッドサイド、遊歩場、輸送、または他の同様の応用のために、および／またはそれらの間で、使用することができる。
【００１９】
さらに、種々のベッドサイドおよび輸送応用の間の、ごつごつした構成、コンパクトデザイン、および適用可能性は、ここで記述されたモニタ装置を、軍事用、および他の同様の目的のためにきわめて役に立つものとしている。
【００２０】
本発明のもう１つの利点は、ここで記述されたモニタ装置が、該デバイスを、特定の施設で使用されることを可能とするようカスタム構成されることができることである。該デバイスは、また、現在の患者のために、一時的に構成することができ、ここで、設定は、患者のために選択的に保持することができる、または、該デバイスのパワーダウンに際しストアされているデータとともに削除することができ、これにより、患者間の使用を、有効とすることができる。
【００２１】
これらの、及び他の側面、特徴、利点は、以下の詳細な説明、および添付の図面から容易に明らかであろう。
【発明を実施するための最良の形態】
【００２２】
以下の説明は、多数パラメータの、生命兆候モニタデバイスであって、遊歩場, ベッドサイド、輸送、手続き、および把持動作を含む、多くの異なる患者関連応用のために、普遍的に使用することのできるもの、のための特定の実施形態に関係する。しかしながら、以下の説明から、当業者にとって、数々の変形および修正が、本発明の意図された範囲内で可能であることは、容易に明らかであろう。さらに、およびテキストを通じて、“トップ”、“ボトム”、“フロント”、“リアー”、“バック”等の、数多くの用語が、添付の図面に関連して、参照のフレームを与えるために使用される。これらの用語は、特に示されるそれらの例を除いて、本発明を限定するもの以上であることが意図されているものではない。
【００２３】
図１を参照して、以下に記述される患者モニタデバイス２０は、そのおのおのが、生理学的センサアセンブリ２８、３２、３６、この場合、ＥＣＧ，ＳｐＯ2（パルス酸素濃度計），および血圧（ＮＩＢＰ）アセンブリの部分を形成する複数のセンサからの入力を受信するハウジング２４により定義される。該ハウジング２４は、生命兆候数字、波形、および他の患者データのためのディスプレイ８８、ばかりでなく、モニタデバイス２０の動作を許す、図２のユーザインタフェース９２、をも含む。
【００２４】
図１−３を参照して、該ディスプレイ８８は、ハウジング２４の正面を向く側に設けられており、かつ、複数の隣接する作動ボタンが、ユーザインタフェース９２を定義している。本実施の形態によれば、ディスプレイ８８は、クオータ（ＱＶＧＡ）カラーディスプレイであり、本実施の形態によるこのディスプレイは、ほぼ３．５インチ（斜めに測って）である。より詳細には、かつこの実施の形態によれば、ディスプレイ８８は、２４０×３２０のピクセルカウントを持つＬＣＤである。ここで定義されたディスプレイ８８は、好ましくは、低アンビエント光条件でのディスプレイのリーダビリティーを改善するために、バックライト（図示せず）を含む。
【００２５】
ここで記述したデバイス２０のプロファイルに関しては、この特定の実施形態によるハウジング２４は、ほぼ高さ５．３インチ、幅７．５インチ、および、深さ２．０インチである。しかしながら、軽量デザインにかかわらず、ここで記述されたモニタデバイス２０は、きわめて耐久性があり、かつ、ごつごつしており、これにより、該デバイスは、患者に関連した設定において遭遇するかも知れない種々の負荷を取り扱うように備えられている。たとえば、該ハウジング２４は、モニタデバイス２０を衝撃、又はショック負荷から衝撃緩和する助けとなるために、かつ、該デバイスの内部を、ダスト、又は他の汚染から保持するために、デバイスハウジング２４の回りで、それらの間で周状に配置された、前ハウジングハーフと、後ハウジングハーフとの間に配置された中央、または中間のゴム引きの浮嚢２６を含んでいる。該モニタデバイス２０を衝撃緩和するのを、さらに助けるために、ハウジング２４のコーナーの各々は、有効な周囲を与えるために、カーブされている。バッテリコンパートメント（図示せず）はまた、ハウジング２４の中に見られ、該バッテリコンパートメントのカバーは、該コンパートメントがモニタデバイス２０の全体プロファイルから突出しないように該ハウジングの後方対面サイドと本質的にフラッシュになっている。ハウジング２４の該後方対面サイド６１は、さらに１セットのゴム引きのパッド又はフィート５８を含み、該モニタデバイス２０をして、必要に応じて、平坦表面上に置かれることを可能にしている。さらに、以下でより詳細に議論される、ユーザインタフェース９２よりなるボタンの各々は、該モニタデバイス２０の全体の耐性、およびごつごつ性を助けるよう、エラストマー化されており、該ボタンは、ハウジング２４の対面する表面８４から過度に突出しないように、位置されており、かつ、該デバイスをして、相対的にコンパクトなプロファイルを維持することを許容している。
【００２６】
該デバイスハウジング２４のコンパクトなプロファイルは、該モニタデバイス２０をして、患者が着衣可能であるものとしている。図２に示す、該デバイスハウジング２４の対向する水平サイド上に設けられている一対のタブ１３２は、該モニタデバイス２０をして、図９に示されるように、患者着衣可能なハーネス１３５に固定されることを可能としており、あるいは、ストラップ１３７が、図８に示されるように、再度タブ１３２に取り付け可能とされており、該モニタデバイス２０の把持の、および携帯可能な動作を許容している。該ストラップは、ガーニー１３８、または他の輸送装置に関して、図１０に示されるように、輸送ベルト１３９をもっての輸送動作のためにさらに使用することもできる。その他にも、および上記したように、ここで述べたモニタデバイス２０は、テーブル、又は他の平坦な表面上に、該デバイスハウジング２４の後方対面サイド６１上に設けられたゴム引きのパッド５８を用いて、適切に位置せしめることができる。
【００２７】
コンパクトであり、耐性があるのに加えて、ここで述べたモニタデバイス２０は、きわめて軽量である。図１に示される全体のアセンブリは、約２ポンドの重みである。
【００２８】
上記で述べたように、および本実施の形態によれば、複数の生理学的センサアセンブリが、ハウジング２４につながれており、ＥＣＧセンサアセンブリ２８、ＳｐＯ2センサアセンブリ３２、および非侵襲血圧（以下、ＮＩＢＰと称す）センサアセンブリ３６をそれぞれ含み、該各センサアセンブリは、明確性のためにのみ、図１に示されている。
【００２９】
各つながれた生理学的センサアセンブリ２８、３２、３６の簡単な扱いは、完全さのために、今与えられる。より特定的に、かつ、簡単に、ＳｐＯ2センサアセンブリ３２は、患者の周辺測定サイト、たとえば、リスト、指、つま先、前頭部、耳たぶ、または他の領域、等の細動脈ヘモグロビンの酸素飽和を、非侵襲的に測定するのに用いられる。再使用可能な、あるいは破棄可能なセンサプローブを用いることができる。この点に関して、指クランプ６０が図１に示され、該クランプは、パルス／ハートレート、ばかりでなく、血液酸素飽和を、パルス酸素濃度計を通して検出するのに使用することのできる、光エミッタおよび光検出器を持っている。該指クランプ６０は、デバイスハウジング２４の外周上に設けられた、図３に示す、対応する雌コネクタポート４４と契合するピンコネクタにまで伸びるケーブル６４手段によりつながれている。一般のパルス酸素濃度計に関係する概念は、該分野においてよく知られており、本発明の発明的部分を形成するものではない。
【００３０】
簡単に、ＥＣＧセンサ又はモニタアセンブリ２８は、リードワイヤアセンブリを含み、ここで、３リードの、又は５リードのＥＣＧは、本実施の形態によって利用することができる。より詳細に、かつ、例示の方法により、図１のここで描かれたＥＣＧアセンブリ２８は、１セットのリードワイヤ６８よりなり、その各々は、それらの端に、患者の身体への、従来の態様での、取り付けを可能とする電極７０を有しており、該リードワイヤアセンブリは、デバイスハウジング２４の接続ポート４０へ、契合により取り付け可能であるコネクタを有する接続ケーブル７２に取り付けられたハーネス７１よりなる。前記ＥＣＧセンサアセンブリ２８は、ＥＣＧ電極７０の選択された端子間のＡＣインピーダンスの決定を通して呼吸エフォートのレート、または不存在(無呼吸)を、決定し、これにより、患者の呼吸レートを、所望の参照リードワイヤを用いて、胸壁の動きに基づきインピーダンスニューモグラフィーを用いて決定するために、ここで述べたモニタデバイス２０の呼吸チャネルに関して、さらにここで利用される。本実施の形態によるハートレートは、ＥＣＧセンサアセンブリを用いて、ここで述べたデバイス２０のために決定される。
【００３１】
該ＥＣＧセンサアセンブリ３２は、各リードのために波形（ＥＣＧベクトル）を作り、さらに、さらに選択された患者モードに依存して調整されることのできるＱＲＳディテクタを含む。該ＥＣＧセンサアセンブリ２８は、さらに、本実施の形態により、もし選択されるのであれば、ハート／パルスレートを、また、こればかりでなく、ペーサー検出回路の方法により、結果として生じるＥＣＧ波形におけるマークペーサスパイクを、決定するよう構成される。本実施の形態によるＥＣＧセンサアセンブリ２８は、さらに、それぞれ、５０Ｈｚ，６０Ｈｚ，および１２０Ｈｚの選択可能なノッチフィルタを含む。
【００３２】
簡単に、この実施形態によるＮＩＢＰセンサアセンブリ３６は、空気注入式カフ、又はスリーブ７６、これは、患者(図示せず)のリム(腕、または脚）に取り付けられている、を用いて、動脈の圧力を間接的に測定する。接続されたホース８０の残っている端は、ハウジング２４の頂面の対面するサイド上に設けられ取り付けられた空気接続フィッティング４８内にねじ込みすることのできる取り付け端を含む。該空気コネクタフィッティング４８は、オシロメトリック方法を用いて、患者のタイプに依存して、カフ７６を、特定の圧力に、選択的に、膨らむ、かつ、萎むために、モニタデバイス２４内に配置されたポンプ（図示せず）に接続されている。圧力の変化は、収縮的, 拡張的, および平均動脈圧力（ＭＡＰ）を決定するために、回路網の手段により検出される。この実施形態による該ＮＩＢＰセンサアセンブリ３６は、マニュアルの、自動的な、ターボモード動作を、以下に詳細に述べるように、行うことができる。該アセンブリ３６は、本実施の形態においては、ＥＣＧがまたモニタされたとき、もしＥＣＧがまたモニタされていれば、動き加工品フィルタをも備えることができる。本実施の形態によるフィルタは、ＮＩＢＰ測定のプロセスを、ＥＣＧ波形のＲ波の生起に自動的に同期させるように用いることのできるソフトウェアアルゴリズムを用いており、これにより、極端な加工品および減少されたパルスの場合に、正確性を増大する。適切な加工品フィルタの例は、米国特許Ｎｏ．６４０５０７６Ｂ１に記述されており、その全体は、参照によりここに組み込まれる。ここで記述しているモニタデバイス２内に組み込むのに役に立つ、ＮＩＢＰおよびＥＣＧセンサアセンブリの例は、他の中でも、Skaneateles Falls, New York のWelch Allyn Inc., により製造される。各々に関して、センサアセンブリの形式は、モニタデバイス２０上に設けられる接続ポート４０，４８への選択的取付けにより、患者のタイプ、（すなわち、たとえば、大人、小児, 新生児）に依存して、変えることができる。本実施の形態による上記のセンサアセンブリの各々は、さらに、電気外科干渉抑圧を含む。知られるように、パルスレートは、モニタデバイス２０のＳｐＯ2、又はＮＩＢＰチャネルのいずれかから、検出することができる。
【００３３】
しかしながら、本発明の目的のためには、モニタデバイス２０に対して、上記したセンサアセンブリ２８，３２を、接続ポート４０，４４を介して以外に、接続するための、たとえば、ＩＲ，光学、ＲＦ、および他のつながれていない接続、を含む手段を、本発明の目的のために用いることができることが、考慮される。さらに、以下に述べるデバイス２０とともに使用されるセンサアセンブリのタイプの数は、これを変更することができ、かつ、示されるものは、単に本発明の例示的なものとして意図される。本発明は、モニタデバイス２０を用いて患者の複数、および単数の生理学的パラメータモニタリングを熟考し、それゆえ、このような変動は、目的的に意図される。
【００３４】
図１および図６を参照して、本実施の形態による上記生理学的センサアセンブリ２８、３２、３６の各々は、内部で、モニタデバイス２０のハウジング２４内に含まれるＣＰＵ１７４に電気的に接続されている。本実施の形態によれば、生理学的センサアセンブリ２８，３２，３６の各々のための信号プロセシングは、内部で住居プロセス回路網を介して与えられる；たとえば、本実施の形態のＳｐＯ2センサアセンブリ３２は、Nellicor Puritan MP506 アーキテクチャーを利用しており、前記ＮＩＢＰ センサアセンブリ３６は、現在、Micropaq およびPropaq 生命兆候モニタとして使用されているもののように、たとえば、ウェルチアレンインコーポレーティッドにより製造され、販売されているＮＩＢＰモデュール、パート007-0090-01、を含む、デザインに基づいている。 図６には、図示されていないが、前記センサアセンブリ２８、３２、３６の各々についての住人の回路網は、すべて、単一の論理ボードに集積されており、そこでは、ＥＣＧおよび呼吸パラメータは、ＣＰＵ１７４のMotorola MPC823プロセッサのような、共通プロセッサを利用している。単一論理ボード内に集積されているにかかわらず、残っている生理学的パラメータ（ＳｐＯ2 およびＮＩＢＰ）は、図６に示されているように、よりモデュラーな態様で含蓄され、かつそれ自身のプロセッサを利用している。しかしながら、生理学的センサアセンブリ２８、３２、３６の種々のプロセシング要素の電子的なパッケージは、本発明の目的のために、種々の形状を容易にとることができ、他のバージョンは、容易に熟考されることができることが容易に明らかである。
【００３５】
さらに、図６の模式図を参照して、含まれているバッテリパック１７０は、ＣＰＵ１７０に相互接続されており、該後者は、マイクロプロセッサ、メモリ、および住人回路網を含んでおり、ここで、そのおのおのは、そこから供給される信号の、プロセス的蓄積、および選択的表示を可能とするため、ばかりでなく、任意の充電クラドル１４０の充電回路と、以下により詳細に述べるような、含まれたバッテリパック１７０の過充電を防ぐための回路網を含む、含まれたバッテリパックとの間の電力変換を行うために、つながれたセンサアセンブリ２８，３２，３６に接続されている。本実施の形態による該ＣＰＵ１７４は、フラッシュメモリおよびＳＲＡＭの形態の、入手可能な揮発性、および不揮発性の、患者データのストレージを含む。ただし、他の形態もまた可能であり、該ＣＰＵ１７４は、さらにディスプレイ８８に接続されている。上記したように、本実施の形態によるＣＰＵ１７４は、生理学的センサアセンブリ２８、３２、３６のためのプロセッサとともに、単一の論理ボード上に提示されている。該ＣＰＵ１７４は、アラーム限界、ディスプレイ生成、およびある特徴の可能化、および不可能化のようなデバイスに特有の側面を扱うよう意図されており、ここで、該生理学的センサアセンブリ２８、３２、３６は、主に、該ＣＰＵ１７４により使用されるデータにのみ、関係している。たとえば、ＥＣＧプロセスアルゴリズム等の、プロセス機能の部分は、ＣＰＵ１７４内に存在することもできる、ただし、これは、たとえば、必要とされる処理電力、または、パッケージング関心の程度に依存して、適切に変化することができることにも注意すべきである。該ＣＰＵ１７４は、工場デフォルト設定としてであっても、あるいは、図６に示す、ユーザインタフェース９２、リモートモニターステーション１８４を通して、および／又は、図６に示す接続されたＰＣを通して、以下に記述されたように構築された、患者モード、圧力、電圧等を含む、該デバイス２０の動作を、主に、制御する。
【００３６】
上記に加えて、図６に模式的に示されたモニタデバイス２０は、さらに、任意にワイヤレスレディオカード／トランシーバ１８０を含み、たとえば、ウェルチアレンインコーポレーティッドにより、製造され、販売されるAcuity Monitoring Station 等により、内部PCMCIA 拡張スロット（図示せず）において挿入されたラジオカードを用いて、少なくとも１つの遠隔モニタステーション１８４との、双方向のワイヤレス通信を可能とする。本実施の形態によるラジオカード１８０は、アクセスポイント１８６を用いて２．４ＧＨｚ周波数ホッピングスプレッドスペクトラム（ＦＨＳＳ）ワイヤレスローカルエリアネットワーク（ＷＬＡＮ）上の送信のために、モニタデバイス２０のハウジング２４内にこれを配置されたアンテナ１８２の接続するIEEE802.11 標準ラジオカードである。それとのネットワーキングを含む、例示的なワイヤレス相互接続に関係するさらなる詳細は、米国特許Ｎｏ．６、５４４、１７４に与えられており、その全内容はここに参照により組み入れられる。ここで記述されたモニタデバイス２０のワイヤレス接続に関係するデバイスに特有の付加的な詳細は、この記述の後の部分において与えられる。
【００３７】
図２にもっとも明確に示されるように、デバイスハウジング２４の下方の、または底面の、対面する表面１２０は、図２のラッチング表面１２４ばかりでなく、図２の電気ポート１２８を含み、その各々は、以下により詳細に、記述されるように、図４の任意の充電クラドル１４０と結合して使用される。以前にも記したように、図６において図式的にのみ示されるバッテリパック１７０は、後方コンパートメント（図示せず）内のデバイスハウジング２４の後部内において含まれている。該バッテリパック１７０は、該モニタデバイス２０のために携帯可能な電力を与え、ここで、該バッテリ寿命は、以下で記述されるように、該デバイスのある動作モードに依存する。該バッテリパック１７０は、図４、５に示される任意の充電クラドル１４０内に収容された充電回路網の手段により再充電可能である。本実施の形態によれば、該バッテリパック１７０は、サンヨーコーポレーションにより製造されたもののような、少なくとも１つの再充電可能なリチウムイオンバッテリを含む。この場合、該バッテリパック１７０は、２つの再充電可能なバッテリを含む。本実施の形態によれば、モニタデバイス２０は、収容されたバッテリ１７０を電力源として用いて、スタンドアローンモードで動作することが可能であり、本実施の形態によるバッテリは、デバイスの使用に依存して、約２４時間までの平均ランタイムを持つ。
【００３８】
図４−６を参照して、充電クラドル１４０およびその最適なモニタデバイス２０との接続に関する詳細は、ここに記述される。該充電クラドル１４０は、図６に図式的にのみ示される、壁アダプタ１７１からのＤＣ電力、または他の電源が、クラドル内に含まれる充電回路網、およびモニタデバイスに含まれる充電回路網を介して、収容される再充電可能なバッテリパック１７０に供給されることを許している。任意の充電クラドル１４０の使用は、含まれたバッテリ（すなわち、充電されていても、されていなくて）の状態にかかわらず、モニタデバイス２０が動作されることを許し、それゆえ、モニタデバイス２０のスタンドアローンまたはネットワーク構成されたベッドサイドモニタとしての使用を許している。すなわち、上記の動作は、患者データの内部表示と、蓄積された患者データの中央モニタステーション１８４へのワイヤレス送信の両方を許すことができる。
【００３９】
構造的に、本実施形態によれば、充電クラドル１４０は、モニタデバイス２０の下方半分を受け入れる大きさとされた、モールドされた、あるいは他の方法で定義された内部キャビティを持つ上端が開放されたレセプタクル１４４により定義される。該レセプタクル１４４は、該デバイスがそれにとりつけられたとき、図５の添付図に示されるように、ユーザインタフェース９２を介して、モニタデバイス２０の動作を許すように設計されている。モニタ開放ボタン１４８は、前記レセプタクル１４４の正面対面サイド１５２上に設けられている。該モニタデバイス２０は、デバイスハウジング２４の、図２に示す、ボタン対面表面１２０を、レセプタクル１４４の内部キャビティに揃え、かつ、その上に設けられたラッチングメンバー１２４を、前記レセプタクル１４４の内部キャビティの底部内に配置された軸周りに移動可能なロックまたはラッチ要素１５６により特定的に揃えることにより契合される。前記ラッチ要素１５６に隣接するピン形状の電気コネクタ１６０は、図２のデバイスハウジング２４の、図２の、底部対面サイド１２０上に設けられた図２の、対応する電気コネクタ１２８と契合し、これにより、図６に模式的に示されるように、モニタデバイス２０と、充電クラドル１４０との間の電気的接続を与える。ラッチ要素１２４のラッチ要素１５６との契合は、モニタデバイス２０を、その場所にロックし、ここで、モニタ開放ボタン１４８の圧縮は、ラッチ要素１５６をして、ラッチ要素１２４との接触から軸回動はずれする原因となり、該モニタデバイス２０の充電クラドル１４０からの開放を許す。
【００４０】
該充電クラドル１４０の後方契合部１６４は、曲げられたぶらさがりブラケット１６６を含み、該充電クラドル、および取り付けられたモニタデバイス２０が、たとえば、図１１に示されるように、ベッドレールに取り付けられることを許している。あるいは、該ぶらさがりブラケット１６６は、さらに、別の装置への取り付けを許す、流体ＩＶポール（図示せず）のような、少なくとも１つの他のマウント（図示せず）を含むことができる。１つのバージョンにおいては、該ぶら下がりブラケット１６６は、両取り付けモード（ベッドレール、ＩＶポール）を、含むことができる。該ぶら下がりブラケット１６６は、スレッドされたファスナー（図示せず）または他の手段により、後方契合部１６４より、図１１〜１３を参照して以下に議論されるように、分離可能に除去可能であり、他の取り付け配列を許すようになっている。この実施形態による、該充電クラドル１４０の底部表面は、さらに、図５の、複数の支持フィート１４９を含む。この実施形態によれば、該支持フィート１４９は、図１２の、テーブル２０３のような、平坦な表面上に置くことを許すために、底部表面の各コーナーに設けられている。
【００４１】
一対のインディケータ１６７、１６８は、前記充電クラドル１４０の正面対面サイド１５２上に設けられており、ここで、この実施形態によれば、インディケータ１６７は、ステータスインディケータであり、インディケータ１６８は、電力インディケータである。該電力インディケータ１６８は、この場合、緑ＬＥＤであり、電源が充電クラドル１４０に接続されていることを示している。前記ステータスインディケータ、この場合、多カラーＬＥＤは、モニタデバイス２０の充電状態を示すために用いられる。たとえば、そして、モニタデバイス２０が充電クラドル１４０内にあって、電源が、図６に示す、壁アダプタ１７１から充電クラドルに適切に接続されていれば、該ステータスインディケータ１６７は、照明され（たとえば、緑色、または黄色に）、あるいはオフとされる。ステータスインディケータ１６７が、緑色であれば、充電は普通に進んでいる。ステータスインディケータ１６７は、バッテリパック１７０がフルチャージに到達したとき、オフされる。ステータスインディケータ１６７が黄色であるとき、該インディケータは、フォールトが起き、バッテリパック１７０が適切に充電を行っていないことを示す。該ステータスインディケータ１６７は、バッテリパック１７０がフル充電に達するとき、オフされる。該ステータスインディケータ１６７が黄色であるとき、該インディケータは、フォールトが起き、バッテリパック１７０が適切に充電をしていないことを示す。このようなフォールトは、たとえば、バッテリ１７０の厳しい放電、クラドル論理フォールト、モニタデバイス２０の充電クラドル１４０内での正しくない配置、コネクタまたは他の同様の例外の不適切な契合、により起こるもののように起き得る。
【００４２】
上記したような、多くの充電失敗にかかわらず、電力はモニタデバイス２０に対して妨げられない。すなわち、電力インディケータ１６８は、（たとえば、緑に）照明され、示しているパワー１６８は、充電フォールト（黄色）が起きた事実にかかわらず、モニタデバイス２０に供給されることができる。該モニタデバイス２０が、本実施の形態により充電クラドル１４０内に配置されるたびに、該クラドルは、収容されたバッテリパック１７０を充電することを試みる。もし、バッテリパック１７０が、モニタデバイス２０が充電クラドル１４０内に挿入されたときに、十分に充電されれば、ステータスインディケータ１６７は、瞬時に緑に変わり、フル充電を感受したとき、該インディケータは、ターンオフされる。しかしながら、バッテリが、デバイス２０で過充電された瞬間には、バッテリパック１７０を充電するための何らの電力も、デバイスには、供給されない。
【００４３】
代表的に、ここで述べられたモニタデバイス２０は、該デバイスの各設定および動作のためのプリセットされた工場構成を有するユーザ／施設に輸出される。多くの施設にとって、任意の受け取った患者モニタデバイス２０を再構成し、該デバイスを、ローカルプロトコルにあわせ、かつ該デバイスを、該デバイスが使用されるであろう臨床環境に適合させるようにすることは、望ましい。たとえば、該モニタデバイス２０は、工場校正／校正は、大人用にプリセットされているけれども、新生児科において使用されるかもしれない。ユーザは、該モニタデバイス２０を、各使用に際し、以下により詳細に述べるように、新生児患者に使用されることを許すよう、カスタム構成できたかも知れないが、モニタデバイスにとっては、新生児モードは、デフォルトの患者モードとしてインストールしているのが、好ましいであろう。
【００４４】
本発明によれば、図６の、ＰＣ１９２は、サービスのための施設における使用に先立ち、該モニタデバイス２０に、新しい形状ファイルをダウンロードするよう、充電クラドル１４０と結合して使用されることができる。本実施形態によれば、該充電クラドルは、充電クラドル１４０の外部に設けられた、とりつけられたモニタデバイス２０と、図６のパソコン（ＰＣ）１９２との間の分離された直列データリンク接続を、ＵＳＢケーブルを介して与える、図４の、ＵＳＢデータポート１６５を含む。
【００４５】
ＰＣ１９２とのデータリンクを通して供給される構成ユーティリティを用いて、充電クラドル１４０は、該モニタデバイスを、たとえば、病院のバイオエンジ二アにより、ＣＰＵ１７４内に、蓄積された、あるいはプログラムされた、デバイス２０に最初に備えられたあらかじめ存在する工場設定を、置き換えるよう、あるいは、これに適合するよう、完成されたことのできる複数の設定選択を含む構成を創ることにより、施設における使用に先立ち、形状づけるような、モニタデバイス２０への中間、またはパススルーとして働く。本実施形態によれば、該ＰＣ１９２は、デフォルト設定や、限界を、その中にエンターすることのできるユーティリティ形状ワークシートの創生を可能にする、ユーティリティソフトウェアを含む。該ワークシートは、そののち、中間充電クラドル１４０を通してモニタデバイス２０のＣＰＵ１７４内にダウンロードされる新しい形状ファイルに変換される。デバイスによるが、約６０から７０と多くの異なる設定を、ダウンロードされた形状ファイルを用いてプリセットすることができ、ここで、それらの特徴のいくつかは、もしイネーブルされなければ、臨床医療人／ユーザにより制御されることができない。これらの設定は、例えば、モニタデバイス２のデフォルト言語、デバイス動作のデフォルト患者モード、ユーザおよび／または彼らの指令に対し、利用可能なディスプレイの形式、例えば、ユーザインタフェース９２およびディスプレイ８８のロックアウト、アラームおよびアラートへのタイムリミット、データトレンディング、およびアラームおよびアラートトーンの可能化、等のデバイスに特有の特徴の可能化を、含むことができる。工場設定のすべて、あるいはある部分は、ＰＣ１９２で創られ、ＣＰＵ１７４とＰＣ１９２間のデータリンクを通して通信された形状ワークシート上に設けられた適切なエントリーにより調整することができる。それゆえ、このＰＣ形状は、１セットのデフォルト設定、およびデバイス行動をモニタすることを生じる。
【００４６】
例示的な形状ワークシートの一部は、アラーム管理に関してイネーブルされることのできる１つの特定的な特徴に関して図６４および６５に示されている。この特徴に関する特定物は、後のセクションでより詳細に記述される。示されているワークシート１９８は、該コンフィグレーションユーティリティを使用する前に、ユーザにより完成されるペーパーバージョンであり、後者は、同様のエントリーを与えるＰＣワークシートバージョンを与える。該ユーザは、図６４の、ペーパコンフィグレーションワークシート１９８を、構成設定のために該特徴を組織するよう、完成し、あるいは、図６の、ＰＣ１９２において与えられたユーティリティワークシート内に、セクションを直接入力することができる。すべてのエントリーがなされたときは、該コンフィグレーションファイルは、該ファイルが充電クラドル１４０により与えられた直列データリンクを通してモニタデバイス２０にダウンロードされたとき、工場設定をオーバーライドする指令でもって創られる。
【００４７】
以下により詳細に記述されるように、図６の、ＰＣ１９２は、また、該モニタデバイス２０が、活性化され、かつ、また図４の、ＵＳＢデータポート１６５を用いて、充電クラドル１４０に取り付けられたとき、蓄積されたデータが、自動的にプリントアウトされることを、許す。このとき、および図６を参照して、該ＰＣ１９２は、この場合、図６にも図式的に示されている、レーザプリンター１９５である、適切な周辺プリンタに接続されており、ここで、該モニタデバイス２０およびＰＣは、自動的にデータ転送が起こることを許すようにプログラムされている。本実施形態によれば、蓄積されたデータは、トレンドされたデータおよび“スナップショッツ”の形式になるものであり、後者の用語は、ユーザによりスナップショットボタンを用いて選択的に取られた所定の期間をカバーする数的なおよび波形のデータに関係する。図２のデバイスハウジング２４上に設けられた、図７のスナップショットボタン１１６を押すと、該ボタンを押す前の所定時間の間に起きたデータ、および該ボタンを押した後の所定時間の間に起きたデータが、ＣＰＵ１７４により、蓄積されることを生ずる。蓄積されたトレンドの、およびスナップショットのデータに関係する詳細は、本記述の後の部分で与えられる。
【００４８】
図６および１１−１４を参照して、充電クラドル１４０は、代わりに、以下に述べられたモニタデバイス２０と、大きなディスプレイ２００との間の中間的な相互接続を与えるように働くこともできる。この相互接続の形は、モニタデバイス２０におけるすべての処理されたデータが、データの観察を、実質的に、ユーザが、より小さいかつ制限されたデバイスディスプレイ８８に対向して中央モニタステーション１８４にいるかであるように、データを観察することを許すために、実時間に転送されることを許している。すなわち、一連の波形は、例えば、図１４に示されるように、見るために、表示されることができる。本実施形態による大きなディスプレイ２００は、ＶＧＡカード、およびインタフェースボックスまたはハウジング２０２の形の適切な取り付けブラケットリを含む。モニタデバイス／充電クラドルアセンブリの、インタフェースボックス２０２を介しての相互接続のいくつかの実施形態は、図１１−１３に図示されている。各実施形態において、該モニタデバイス２０は、すでに、上記した態様で、充電クラドル１４０に取り付けられている。図１１によれば、該充電クラドル１４０は、ぶら下がりブラケット１６６を用いてベッドレールに取り付けられている。ＶＧＡケーブル２０５は、そののち、図４のＵＳＢデータポート１６５から、インタフェースボックス２０２上に設けられたコネクタに接続されている。このように、該充電クラドル１４０は、患者モニタデバイス２０からのデータ転送のための中間物として働く。図１２に示されるように、図４の、カーブされたブラケット１６６は、充電クラドル１４０の、図４の、後方契合部１６６から、除去されることができ、該モニタデバイス２０／充電クラドル１４０は、前記大テーブル２００に隣接したテーブル２０３上に配置されることができ、後者は、どの場合にも、壁に取り付けられている。後者の例において、該インタフェースボックス２０２は、直接、充電クラドル１４０の後方に取り付けられている。最後に、および図１３に示されるように、該モニタデバイス２０、および充電クラドル１４０は、ディスプレイブラケットを通して直接大ディスプレイ２００上のインタフェースボックス２０２に、および充電クラドル１４０上に設けられたブラケットリに、それぞれ取り付けられることができる。大ディスプレイ２００のサンプルデータ出力は、図１４に示され、該出力は、実質的に、図６の、遠隔モニタステーション１８４により見られるものを、繰り返しており、かつ、それよりかなり多くの量のデータが、集積されたディスプレイ８８上で、観察可能となっている。
【００４９】
さらに、充電クラドル１４０が、ここで述べたモニタデバイス２０を組み込むシステムへの適用可能性のレベルを与える付加的な特徴を含むことが、本発明の精神、および範囲内で、さらに考慮されるべきである。例えば、付加的な生理学的パラメータアセンブリは、モニタデバイス２０のために、またはこれに加えて、充電クラドル１４０に取り付けられることができ、ここで、生理学データは、まだ、モニタデバイス２０に、該デバイスが図６の、中央モニタステーション１８４への無線送信のために充電クラドルに取り付けられたとき、アップロードすることができる。同様の構成も、容易に明らかである。例えば、該充電クラドル１４０は、少なくとも１つの生理学的センサアセンブリ（図示せず）を備えることができ、ここで、該少なくとも１つのセンサアセンブリにより集められたデータは、該モニタデバイス２０のＣＰＵ１７４に、表示および送信のために入力されることができる。
【００５０】
デバイスが充電クラドル１４０にマウントされていないときの、モニタデバイス２０で利用できるランニングタイムについて、バッテリパック１７０の寿命はデバイスの使用モードに高く依存する。上述したように、また、本実施形態によれば、約２４時間の駆動が可能である。バッテリ充電のレベルは本実施形態によれば、下記のように、モニタデバイス２０により表示される。
【００５１】
図７を参照して、本特定の実施の形態による、図２の、インタフェース９２は、キーパッドを形成する５つの密接に配置されたボタンを含む。簡単に、全体を通して、SELECTボタン９６として言及された中央ボタンは、一般に、以下により詳細に議論されるように、該デバイスにより表示されるハイライトされたアイテムを選択するよう、あるいは、選択を確認するために、使用される。SELECTボタン９６を直接囲んでいる４つのボタン１００は、一般に、直接的に、例えば、１つのアイテムをハイライトするために、ディスプレイカーソルをガイドするために、あるいは、選択されたパラメータ値を、減少させるために、（上、下、左、および右に）使用される。本実施の形態によれば、いくつかの付加的な動作可能なボタンもまた、ハウジング２４の前方対面サイド８４上に設けられており、これらのボタンは、ディスプレイボタン１０４を含んで、特定された、あるいは専用の目的のために、使用されて、ユーザをして、図１５−１９に示されるもののように、複数の変更されたディスプレイフォーマットの間で巡回することを許し、アラームサイレンス／再開ボタン１０８は、ユーザをして、時間的に、かつ、マニュアル的に、現存する患者アラート／アラームトーンを、沈黙させる、または回復することを許しており、かつ、ＮＩＢＰスタート／ストップボタン１１２を、マニュアル的に、ＮＩＢＰ測定を開始し、あるいは停止するために、沈黙させる、または回復することを許しており、最後に、自動的に所定期間の生命兆候データを表の形、および波形の形式で蓄積する、その例示的なスナップショットディスプレイスクリーンが図５０に示される、上記スナップショットボタン１１６と言われるものを、沈黙させる、または回復することを許している。上記で記述されたボタンの各々は、さらに、臨床医療者による使用の容易さのために、それらの機能を観察可能に表示することを含んでいる；例えば、方向制御ボタン１００は、特定の方向矢指示を含み、ディスプレイボタン１０４は、ディスプレイアイコンを含み、ＮＩＢＰスタート／ストップボタン１１２は、血圧カフの描写を含み、スナップショットボタン１１６は、カメラアイコンを含み、SELECTボタン９６は、その上に円を描く。上記リストされたボタンの各々により定義される機能、および、ここで記述されたモニタデバイス２０のユーザインタフェース９２の含蓄及び動作に関するさらなる詳細は、本明細書の続くセクションにおいてより詳細に記述されるであろう。
【００５２】
図２、５、および７を参照して、かつ、上記ユーザインタフェース９２に加えて、一連のビジュアルなステータスインディケータが、また、モニタデバイス２０の正面対面サイド８４上に設けられている。３つのステータスインディケータ１６９が、上記デバイスハウジング２４の正面対面サイド８４の中心にて、上記ディスプレイ８８上に線形の態様で配置されており、図６の、ＣＰＵ１７４に、電気的に接続されている。本実施形態によるビジュアルなステータスインディケータ１６９の目的の中には、ユーザに、モニタデバイス２０の動作ステータスを、通告させることがある；すなわち、該モニタデバイスが正常に動作しているか、該モニタデバイス２０と、ネットワークに、あるいは、図６の遠隔モニタステーション１８４に接続されている適切な患者との接続の確認、および／あるいは、ここでのモニタデバイス２０が、アラームおよび／またはアラート条件に晒されているか。これらの指示の数および配置が、適切に変更されることができることは、容易に明らかである。
【００５３】
より詳細に、かつ、本実施の形態によれば、ステータスインディケータ１６９の各々は、特定の色つきの光（すなわち、赤、黄または琥珀, および緑）で照明されており、それぞれ、モニタデバイス２０の、アラーム条件、アラート条件、および通常動作を示している。ここでの定義の目的のために、“アラーム”は、受容可能な限界の外である生命兆候読み取り等の、患者の条件を示すものである。アラーム条件が起きるときは、例えば、赤の指示器１６９が照明される。“アラート”条件は、比較するに、“アラーム”条件ほどに危険ではないものであり、代表的に、低または放電されたバッテリ、または引き抜かれたリード等のデバイスの動作的な問題を示すものである。黄色のステータスインディケータ１６９は、このタイプの条件が支持されるとき、照明される。通常動作は、緑のインディケータ１６９の照明により意味を持たせしめられる。ステータスインディケータ１６９は、さらに問題の厳しさを、示すために、安定的に、あるいはフラッシュのいずれかにより照明する。たとえば、および本実施の形態によれば、該厳しさは、設備アラームとアラーム条件との間で定義される。該モニタデバイス２０はさらに、必要に応じて、可聴可能な音を示すために、図６で図式的にのみ示されたスピーカ１６１、例えば、アラームまたはアラート条件の間に音を出すことのできるもの、を含む。ここで述べたモニタデバイス２０を使用したアラームおよびアラート管理に関係する付加的な詳細は、後の部分で述べられる。
【００５４】
つながれたセンサアセンブリ２８、３２、３６は、モニタデバイス２０のＣＰＵ１７４に対し、アナログ信号等の形態の生理学的パラメータデータを与える。ここで述べられたモニタデバイス２０は、それに接続されたセンサアセンブリの数、およびタイプに依存する生理学的パラメータ（ＮＩＢＰ、パルスレート、３および５個のリードＥＣＧ，呼吸、ＳｐＯ2）の各々を連続的にモニタすることができる。
【００５５】
図６の、動作ブロック図に描かれているように、かつ、以前ここで注記したように、本実施の形態によるＳｐＯ2 センサアセンブリ３２、および血圧（ＮＩＢＰ）センサアセンブリ３６の各々は、該モニタデバイス２０内に収容され、データの獲得、および処理（すなわち、上記センサアセンブリのおのおのは、該獲得した信号を処理するための適切なアルゴリズム、および住人回路網を含む。）に関して該センサアセンブリを動作させる、それら自身の個々のプロセッサを含む。本実施形態によるＥＣＧ／呼吸センサアセンブリ２８は、ＣＰＵ１７４内に、付随する回路網を含む。以前に注記したように、センサアセンブリの任意のもの、あるいはすべては、モデュラープロセッサを含むことができ、あるいは、処理は、単一の集積された論理／ＣＰＩボード内で実行することができる。そのとき処理されている信号は、表示のために、かつ、以前に組み入れた米国特許No.6,544,174 において記述されたように、通信ネットワークを用いた、中央モニタステーション１８４への収容されたトランシーバ１８０およびアンテナ１８２を用いたワイヤレス通信のために、ＣＰＵ１７４のメモリ内にストアされる。患者デモ図形等の付加的なデータは、蓄積およびユーザによる表示のために、以下に述べるように、付加されることができ、あるいは、遠隔ステーション１８４から、利用可能な患者のリストからモニタデバイス２０にアップロードされることもできる。該モニタデバイス２０は、患者情報を、一度ネットワークとともに構成されたときは、遠隔モニタステーション１８４でのすべてのストアされたパラメトリックデータの表示のために、送信することができる。
該モニタデバイス２０はまた、充電クラドル１４０の、図４のＵＳＢポート１６５を通して接続可能であり、ベッドサイドモニタとしての動作を可能とし、そこでは、ＵＳＢポート１６５を通してのＰＣ１９２への直列取り付けは、上記したように、プリンタ１９５等の周辺デバイスへの、あるいは大ディスプレイ２００への相互接続を可能とする。この間に、モニタデバイス２０はまた、接続されたラジオ１８０およびアンテナ１８２を用いて遠隔モ二タステーション１８４に、無線で送信をすることができる。
【００５６】
ここで記述したモニタデバイス２０の多用途性は、それゆえ、多くの個々別々の利点を与える。第一に、ここで述べられたモニタデバイス２０は、デバイスがバッテリ電源供給されるトランスポートモニタとして、使用されることができる。第２に、モニタデバイス２０の、ゴム張りされたバックフィートまたはパッド５８の使用、バッテリパック１７０の後方内部ローディングおよび一般のパッケージング、およびプロファイルのコンパクトネスは、軽量の、かつ非常に多用途なユニットであって、有線の、および無線の両方の接続性を与え、該デバイスをして、単独でも、あるいはネットワーク化された容量においても動作可能とするものを提示する。図４の、充電クラドル１４０は、必要に応じて、かつ、これを充電するために、収容されたバッテリパック１７０のための電源の源を与えることにより、ベッドサイドでの応用に、使用されることを許している。さらに、およびデータポートの使用を通して、充電クラドル１４０は、大ディスプレイ２００への、あるいは局所的に接続されたコンピュータ１９２への印刷へのデータ転送を可能とする中間的なデバイスとして働くことができる。該局所的に接続されたコンピュータ１９２は、また、モニタデバイス２０にダウンロードすることのできる新しいデフォルト設定を通してモニタデバイス２０の工場でプログラムされた形状設定を、選択的に修正するために、使用されることもできる。
【００５７】
以下の議論は、モニタデバイス２０の動作的側面に関係する。参照は、全体を通して、ここで記述されたモニタデバイス２０のＣＰＵ１７４により生成される多くの例示的なディスプレイスクリーンに対してなされる。各ディスプレイスクリーンは、多くの、個々別々のパネルよりなる蓄積されたプリフォーマットされたテンプレートにより定義され、該各パネルは、原文の、数の、波形の、グラフィカルな、および／または他の形のデータであって、ＣＰＵ１７４から獲得され、ディスプレイ８８上に生成されるようなものの種々の結合により定義される多くの要素を含んでいる。
【００５８】
ここで記述されたモニタデバイス２０をパワーオン／オフボタン５６を用いてパワーアップする際、図６の、収容されたスピーカ６１からの可聴トーンの音がする。本実施の形態によるモニタデバイス２０の各々の活性化により、自己診断の、あるいは動作的なテストが開始される。もし、セルフテストが、成功しなければ、モニタデバイス２０のステータスインディケータの少なくとも１つが、該エラーに依存して、照明される。一般的なオーバーヴューのために、かつもし該セルフテストが成功し、この診断に従うものであれば、図２４の、スタートアップディスプレイスクリーン４００（ａ），４００（ｂ）が、図１の、ディスプレイ８８上に現れ、かつ、該ディスプレイスクリーンは、患者のモニタを続ける（患者データがセーブされた場合）、新しい患者のモニタをスタートする、システム情報を得る、あるいは、デモンストレーションモードに入る、のユーザが選択可能なオプションを持つ。
【００５９】
図２４を参照して、生成されたスタートアップスクリーン４００（ａ）、４００（ｂ）の各々の蓄積されたテンプレートフォーマットは、患者データが事前にモニタデバイス２０によりストアされていてもいなくても、同様である。すなわち、各スタートアップディスプレイスクリーン４００（ａ）、４００（ｂ）は、共通に、カスタマーＩＤパネル４０４、ノーティスパネル４０８、ボタンメッセージパネル４１２、およびコンテキストメニューパネル４１６を、それぞれ、ディスプレイスクリーンのトップから読めるように、含んでいる。患者データが、事前にモニタデバイス２０によりセーブされていなかった場合、スタートアップディスプレイスクリーン４００（ａ）のノーティスパネル４０８は、何らのデータもセーブされなかったというテキスト的なメッセージにより指示を行う。他方、ディスプレイスクリーン４００（ｂ）の他のバージョンのノーティスパネル４０８は、特定の患者データが、モニタデバイス２０によりストアされていたことを指示する。患者のデータが、モニタデバイス２０が最後のターンオフされた時点より前にストアされた場合、モニタリングは、モニタデバイスが再びパワーアップされたときに、再開されることができる。患者データがモニタデバイス２０によりセーブされたとき、該モニタデバイス２０の設定はまた、ＣＰＵ１７４の不揮発性メモリ内にセーブされる。この場合、決定が、データがセーブされるべきであって、モニタリングは、同じ患者について続けられるか、あるいは、ストアされた患者データが削除されて、新しい患者のモニタモードが開始されるかにつき、ユーザにより、なされなければならない。
【００６０】
カスタマーＩＤパネル４０４は、図２６に、４２０（ａ）, ４２０（ｂ）として示されるような情報スクリーン内に、以前にエンターされ、ストアされた機能およびデバイスについての情報を与える。該情報スクリーン４２０（ａ）, ４２０（ｂ） は、コンテキストメニューパネル４１６の情報オプションからアクセスすることができる。該情報スクリーン４２０（ａ）,４２０（ｂ） の各々はまた、その底部で、それぞれ、スタートアップスクリーン４００（ａ）, ４００（ｂ）と同じオプションを含み、コンテクストメニーパネル４１６を含むことができる。代表的に、この情報は、以前に記述したように、図６の、ＰＣ１９２を用いて形状ファイルの創造およびダウンロードの間等に、デバイス２０のメモリに付加されることができる。
【００６１】
一般に、コンテキストメニューパネル４１６は、ここで述べられたモニタデバイス２０の種々のコントロールスクリーンの間でのナビゲーションのための手段を与える。核コンテキストメニューは、パネル４１６の長さに沿って配置された多くのメニューオプションを含む。ユーザインタフェース９２、および特に、方向ボタン１００およびSELECTボタン９６は、ディスプレイカーソルの移動によりハイライトするため、およびハイライトされた部分を選択するために使用される。その目的のために、コンテキストメニューオプションの１つの選択は、モニタデバイス２０の新しいモードを実行する、あるいは、以下により詳細に述べるように、新しいディスプレイスクリーンを創造する。コンテキストメニューにおいて利用可能なコンテキストおよびオプションは、それらを利用するディスプレイスクリーンに依存して変化する。モニタデバイス２０の動作において使用される種々のコンテキストメニュー４１６の例は、図２５、２８、および４７において与えられ、その各々は本明細書の後の部分で詳細に述べられる。
【００６２】
以前の患者データがモニタデバイス２０によりストアされていない場合に、図２４を参照して、かつ、スタートアップディスプレイスクリーンのコンテキストメニューパネル４１６の特定を参照して、コンテキストメニューパネル４１６は、以下の利用可能なユーザの選択可能なオプション；すなわち、新規患者の測定オプション、情報オプション、およびデモオプションを示す。新規患者の測定オプションは、ユーザをして、患者モニタモードに入ることを許す。情報オプションは、ユーザをして、図２６に示される４２０（ａ）, ４２０（ｂ） のいずれか等の情報スクリーンに戻し、一方、デモオプションの選択は、モニタデバイス２０のデモモードへのアクセスを与える。
【００６３】
患者データがモニタデバイス２０によりセーブされた場合、上記３つのユーザが選択可能なオプションが、ディスプレイスクリーン４００（ｂ）の、コンテキストメニューパネル４１６において、現患者の続行オプションばかりでなく、設けられる。同じ患者についてのモニタリングを再開するために、およびモニタデバイス２０をパワーアップする際、図２４の、“患者データがストアされた”ディスプレイスクリーン４００（ｂ）が表示される。該ユーザは、そののち、表意された名前および患者ＩＤが、現在の患者のそれと整合するかを認証し、かつ、該認証ができたとき、ディスプレイスクリーン４００（ｂ） の底で、コンテキストメニューパネル４１６における現患者の続行オプションをハイライトする。もし後者のオプションが方向矢ボタン１００の使用、およびSELECTボタン９６を押すことを通して選択されれば、そのとき、任意のストアされたデータはロードされ、モニタデバイス２０は、モニタをする準備がなされ、患者に特定的であるにいの以前のカスタム形状設定を連続的に含蓄しつづける。
【００６４】
しかしながら、新規患者の測定オプション（それ上にディスプレイカーソルがディスプレイスクリーン４００（ｂ）においてハイライトされる）が選択され、SELECTボタン９６が押されると、そのとき、すべての以前のデータ（および通常構成データデータ）は除去され、新しい患者モニタモードが開始される。
【００６５】
Start New Patient オプションが選択されると、第１の構成とされたデータディスプレイスクリーン４３０は、図２７に示されるように現れる。このデータディスプレイスクリーン４０３において、ユニーク自動ＩＤがステータスパネル３２０において、より特定的には、SELECTボタン９６を用いてハイライトされているデバイスＩＤフィールド４３４において設けられ、図２８に示されるように、Patient Information Entryスクリーン４４０をアクセスし、該後者は、ハイライトされることができ、順次、エントリを創るために適切なフィールド４４８にエンターされることのできる英数文字のテーブル４４４よりなる。新しい患者名は、そののち、こればかりでなく、患者ＩＤおよび患者部屋番号とともに、エンターされる。あるいは、このデータは、図６の、遠隔モニタステーション１８４を用いて、情報の上記した局所エントリーに対抗して、可能化された無線通信を通して、エンターされることができる。上記情報のすべてがエンターされたとき、ディスプレイスクリーン４４０のコンテキストメニューパネル４１６に設けられたConfirm オプションが、 ハイライトされ、SELECT ボタン９６が、押される。エンターされたすべての情報は、そののち、ＣＰＵ１７４のメモリ内にストアされ、モニタデバイス２０の全動作を通じて、種々のディスプレイスクリーンにおいて該デバイスにより使用される。該患者のモードは、そののち確認され、センサアセンブリ２８、３２、３６は、該患者およびモニタデバイス２０に（もしすでにデバイスに取り付けられていなければ）取り付けられる。該モニタデバイス２０は、今、一般化されたスクリーンテンプレート上にプリフォーマットされたテキスト識別子に隣接したディスプレイスクリーン上の所定のフィールド内において、読み取ったものが、図２７に示されるように、フォーマット化されたデフォルトデータスクリーン上に表示されるモニタリングを開始する用意がある。図２７に示されるスクリーンフォーマットは、以下により詳細に議論されるように、大きな数字のディスプレイスクリーンのそれである。
【００６６】
以下の議論の目的のために、センサアセンブリ２８、３２，３６の各々は、適切に患者（図示せず）およびモニタデバイス２０にとりつけられており、該患者は、該デバイスによりより長くされた期間にわたりモニタされたものと仮定する。多くの特定の構成とされた、ディスプレスクリーンテンプレートフォーマットは、ＣＰＵ１７４のメモリ内にストアされて、ユーザのオプションにより見るために利用可能であり、これらのテンプレートは、電流あるいはトレンドされたデータの形での関連する生命兆候データを含んでいる。図１５の、例示的なデフォルトディスプレイスクリーン２１０は、この議論の目的のために、モニタデバイス２０の構成設定により可能化され、このスクリーンは、モニタリングの間にユーザに表示される電流ディスプレイスクリーンである。この特定的なディスプレイスクリーン２１０のフォーマットは、ステータスパネル３２０、大波形パネル３２４、およびパラメータパネル３２８を、それぞれディスプレイスクリーンのトップから読まれるように含んでいる。
【００６７】
ステータスパネル３２０の種々のフィールドに含まれるような図１５に示される表示されたデータは、以下の要素：もし利用可能であれば、２０４で示されるような患者名、患者ＩＤ２０８、および患者部屋番号２０９、を含む。先行する要素の各々は、モニタデバイス２０の内部メモリにマニュアルにより付加され、かつ、臨床者により、あるいは、ネットワーク化可能とされたモニタデバイス２０の場合には、無線通信リンクを介しての患者のモニタリングより先に、図６の、モニタステーション１８４により、図２７，２８に関して以前に記述したようにスタートアップで付加されていた。前者の場合には、ＣＰＵ１７４により、図２８の、Patient Entry Information ディスプレイスクリーン４４０内にエンターされたこの情報は、ここで述べられたモニタデバイス２０の各ディスプレイスクリーンのステータスパネル３２０を、電源がデバイスに対して維持されている限りは、現在モニタされている患者のためだけのものにするためにしようされる、ただし、以下でより詳細に述べるように、ユーザが、デバイスをターンオフするのに先立ち、これらの設定を特定的に維持することを選択するのでないことを条件とする。
【００６８】
図１５を参照して、かつ患者情報に加えて、該ステータスパネル３２０はさらに、通信ステータスアイコン１２１８もし、該デバイスが、図６の、無線トランシーバ１８０、および図６の、アンテナ１８２を含めば）、および時間ディスプレイ２１６、ばかりでなく、バッテリステータスインディケータまたはアイコン２２０を含み、後者は、利用可能なバッテリパワーの指示を与える。該バッテリ状態アイコン２２０は、含まれているバッテリパック１７０がフルであるか、バッテリが、充分充電されてはいないが、充分放電されているのでもないことを示す部分的にフルであるか、部分的にフルで充電中である、バッテリが約３０分のランタイムを残している低バッテリであるか、低バッテリで充電中であるか、バッテリが約５分のランタイムを残している極低バッテリであるか、かつ、極低バッテリで充電中であるか、の指示を与えることができる。低バッテリがアイコン２２０により（半分満たされた描写により示されるように）指示されている場合において、かつ、上記アイコンに加えて、アラート（図示せず）が、モニタデバイス２０に与えられることができる。該バッテリ状態アイコン２２０は、アラートの確認の後に残る。アラートおよびそれらの管理は、この明細書の後の部分で議論される。
【００６９】
この実施の形態によれば、ＣＰＵ１７４は、ステータスメッセージが、もし、マニュアルＮＩＢＰスタート／ストップボタンが押下されたときに、ユーザに表示された状態で、低バッテリ指示が決定されたとき、該ＮＩＢＰセンサアセンブリ３６を、自動的にディスエーブルするようにプログラムされている。もしモニタデバイス２０が、充電クラドル１４０において充電しており、かつ、低バッテリかつ充電中の指示が、アイコン２２０に見られれば、そのとき、ＮＩＢＰセンサアセンブリ３６は、イネーブルされる。
【００７０】
上記に加えて、患者２２４のモード（成人、幼児、新生児）は、装置２２８のモードとともに、それぞれ、ディスプレイスクリーン２１０のステータスパネル３２０内に設けられた分離したフィールド内に表示される。上記の各々は、代表的に、ユーザにより修飾されない限りは、ここで記述されたモニタ装置２０のデフォルト設定にもとづいており、以下に詳細に記述する。
【００７１】
波形パネル３２４に関して、描かれた波形２４０は、電流であり、かつ、多くの源から由来し得る。該パネル３２４はさらに、特定の波形源２３２、及び波形サイズ（ディスプレイスケール）２３６に関係するテキスト識別子を与える。
【００７２】
波形パネル３２４の下で、かつフォーマットされたパラメータの数的パネル３２８において、現在の、かつライブパラメータ数値は、ハートレート／パルスレート２４４、呼吸レート２５２、およびパルス酸素濃度計２５６、ばかりでなく、ブリップバー２６０の形でのパルスオキシメトリセンサーのパルス振幅のための分離したダイナミック指示器が表示される。テキスト識別子はまた、各上記したパラメータの下に与えられる。さらに、最も最近のＮＩＢＴ測定２４８もまた、対応するテキスト識別子、およびタイムスタンプをもって、該圧力測定は、収縮期に対する圧縮期数値によって、平均圧力が括弧付き数値で表現されて、表示される。これらの生理学的パラメータの各々は、ＮＩＢＰを除いて、連続的に表示されるので、それらの数値は変化し、ストアされたデータは図６の、ＣＰＵ１７４によりトレンドされて、更新される。
最後に、一連のアラーム状態インディケータ１２８もまた、ディスプレイスクリーン２１０の底部のパラメータ数値パネル２６８において各リストされたパラメータについて表示される。ここではベルアイコンにより表示されている、これらのアラームインディケータ３２８は、各生理学的パラメータについての上限および下限がオンであるか、アラーム上限がオンでアラーム下限がオフであるか、上限がオフで下限がオンであるか、すべてのアラームがオフであるかを、アラーム信号の適切な表現、ブランクであるか、ソリッドであるか、およびその結合を通して示す。アラームは、この明細書の後の部分において、より詳細に記述される。
【００７３】
図１６ないし図１９の各々は、図１５に描かれた信号波形表示スクリーン２１０に加えて、ユーザによって選択的に表示されることができる付加的な例示的なディスプレイスクリーンを描いている。これらの付加的ディスプレイスクリーンの各々は、ディスプレイ８８上にＣＰＵ１７４によって生成されるようメモリ内に保存されている特定的に定義されたテンプレートフォーマットを含んでいる。この特定の実施形態によれば、これらの付加的なユーザ選択可能なディスプレイスクリーンは、図１６に示される、２重波形ディスプレイスクリーン３３２、図１７に示される、図２７に示したものに類似した、大数字ディスプレイスクリーン３３６、および、図１８に示される、表に並べられたデータを持つ単一波形データスクリーン３４０を含む。ここでの議論の目的のために、同じ参照数値の各々は、ここでの類似のデータおよび分類物を、容易さと明確さのために、示している。上記したディスプレイスクリーンは、生命兆候数値、波形、及び／または、トレンド情報を、今、記述される種々のユーザ選択可能なフォーマットで、ライブモニタリングをすることを、許している。
【００７４】
図１６の２重波形ディスプレイ３２２スクリーンは、図１５のシングル波形表示スクリーン２１０の変形である。このディスプレイスクリーン３３２は、患者およびモニタデバイス情報、ばかりでなく、２つの波形および利用可能なパラメータ数値を与える。この目的のために、このディスプレイスクリーン３３２の定義されたフォーマットは、上記で記述された、患者名２０４、患者ＩＤ２０８、患者部屋番号２０９、通信状態表示２１２、タイムディスプレイ２１６、バッテリ状態表示２２０、患者モード表示２２４、及び表示モードインディケータ２２８を含む、単一波形ディスプレイスクリーンの要素の各々を含むステータスパネル３２０を含む。２つの小さな波形パネル３４４は、図１５のディスプレイスクリーン２１０の単一パネルの代わりに設けられており、該ディスプレイスクリーンはさらに、図１５の、単一波形ディスプレイスクリーン２１０に類似した、ライブの、または現在のパラメータの数値のパネル３２８を含む。波形パネル３４４の各々は、単一波形ディスプレイスクリーン２１０おのおのより小さいが、波形ソース２３２及びサイズ指示物２３６を含む類似した情報を含む。パネル３４４において表現される波形は、２つの異なるソースからのものであってもよいし、あるいは、２つの隣接する波形パネル上に表現される１つのソースからのカスケードされた波形として交互に与えられるものであってもよい。図１６に示される例において、別々のＥＣＧ、及びＳｐＯ2波形２４０、２４２が描かれている。前記ライブパラメータの数値のパネル３２８は、先行するもののように、心拍数／パルスレート数値かつテキスト識別子２４４、最も最近にとられたＮＩＢＰ数値２４８であって、収縮期／拡張期の及び平均（括弧付き）の数値かつテキスト識別子、ばかりでなく、対応するタイムスタンプ、呼吸数値かつテキスト識別子２５２、およびパルス振幅を示すダイナミックブリップバー２６０を含むＳｐＯ2数値かつテキスト識別子２５６、を含む。ベルアイコンの形状をしたアラームアイコン２６８は、このパネル３２８内の先行するパラメータの各々についても設けられている。
【００７５】
図１７に示される、該大数値ディスプレイスクリーン３３６は、図２７に描かれたものと同様であり、４３０とラベルされている（ただし、入力されたデータまたは患者情報はなし）。このディスプレイスクリーン３３６は、図１５、１６に記述されたディスプレイスクリーンについてのものとまた同様である、ステータスパネル３２０を含むフォーマットにより定義されており、かつ波形パネルに変わる大数値パネル３５２が設けられている。該大数値パネル３５２は、アイコン及び関連するテキスト識別子がかなり大きいものであり、かつディスプレイスクリーン３３６上の異なって割り当てられたフィールドに配置されている点を除いて、図１６に関して議論した、パネル３４８内に設けられた同じ情報を含む。より具体的には、このディスプレイスクリーンのための、ライブの、または現在のパラメータのパネルは、大ＨＲ／ＰＲ数値エレメント２４４、ばかりでなく、テキスト要素およびアラームアイコン２６８、関連するテキスト要素を伴った大ＳｐＯ2数値要素２５６、アラームアイコン２６８及びブリップバー２６０、もっとも最近の測定を表す大ＮＩＢＰ数値要素２４８、ばかりでなく、測定のテキストエレメントおよびタイムスタンプ、およびアラームアイコン２６８、および、関連するテキスト要素およびアラームアイコン２６８を伴う大呼吸数値要素２５２、を含む。アラームアイコン２６８に関連して、これらは、現在イネーブルされているアラーム、および現在ディスエーブルされているアラームの指示を与える。この議論の目的のために、各アラームアイコン２６８の左半分は、下方アラーム限界に関するものであり、かつ該アイコンの右半分は、上方アラーム限界に関するものである。ここで白く描かれたソリッドベルは、該アラームがイネーブル状態であることを示し、一方、該ベルの黒くされた部分は、該アラームがディスエーブルされていることを示している。アラームは、心拍数／パルスレート、呼吸数、ＮＩＢＰ（収縮期、拡張期、及び平均）、及びＳｐＯ2、のおのおの（上限および下限）について設けられている。描かれた例で見られるように、平均ＮＩＢＰの下限は、ディスエーブル状態とされており、一方、残りのアラーム限界は、現在イネーブル状態とされている。該アラームアイコン２６８はさらに、以下により詳細に記載するように、ユーザがメニューへアクセスすることを許しており、これにより、アラームはイネーブル状態とされる、あるいはディスエーブル状態とされることができ、上限および下限は、設定されることができ、可聴トーンのための音量制御は、調整されることができる。
【００７６】
ここに記述されているモニタデバイス２０は、現在の、および最近の、数値および波形を、表示できるばかりでなく、傾向の分析のためにデータを保存することもできる。その目的のために、いくつかのディスプレイフォーマットがトレンドされたデータに関係しており、ここで、このデータは、図的に、または表的に再生されることができる。スナップショットデータはまた、連続的なモニタリングに基づき、任意の周期的な、またはランダムにとられた測定データおよび該デバイス２０によりストアされたデータに加えてストアされる。この目的のために、図１８は、結合波形／表トレンドディスプレイスクリーン３４０を示す。この例においては、波形ばかりでなくライブのパラメータ数値およびトレンドデータの表リストは、モニタされた患者に関係するディスプレイ８８上の一般化されたテンプレートフォーマット内に描かれている。このディスプレイスクリーン３４０のあらかじめ定義されたフォーマットは、図１５に関して記述されたものに類似したステータスパネル３２０、図１６で記述されたものに類似した、それぞれ、波形ソース２３２およびサイズ２３６に関係する波形およびテキスト識別子を含む単一波形パネル３４４、および、トレンドライブ数値パネル３５６およびトレンドのデータパネル３６０、をそれぞれ含む。
【００７７】
該トレンドライブ数値パネル３５６は、線形のセットの現在の心拍数、呼吸、およびＳｐＯ2パラメータ数値、および最新のＮＩＢＰ測定、ばかりでなく、各対応するパラメータ数値の下のテキスト識別子、およびＳｐＯ2のための電流ブリップバー２６０を含む。“時間”テーブルヘッディングはまた、データディスプレイヘッダ３６４の下に設けられている。
【００７８】
このディスプレイスクリーン３４０のトレンドデータパネル３６０は、保存された測定値の表内での表的（この場合）配置を含み、ユーザをして、所定時間（たとえば、２４時間）の間、各対応するテキスト識別子の下に設けられた、時間、心拍／パルスレート、ＮＩＢＰ、呼吸およびパルスオキシメトリーについてストアされたトレンドを通してナビゲートすることを許せしめる。この実施形態によれば、トレンドデータは、任意のＮＩＢＰ読み取りが、ＮＩＢＰスタート／ストップボタン１１２を用いて、あるいは自動モードを通して、成功裏になされたとき、あるいはＳｐＯ2スポットチェック読み取りがなされたとき、時間、心拍／パルスレート、ＮＩＢＰ、呼吸およびＳｐＯ2、それぞれ、の各々について１分間隔で、リストされている。後者の特徴の各々は、ここでは後の部分で記述されている。この明細書の後の部分でまた詳細に記述されるように、トレンドエントリーの間の時間間隔は、ユーザにより、たとえば、患者に依存して選択的に調整されることのできる、モニタ装置の構成設定である。
【００７９】
例示的なディスプレイスクリーン３４０は、本例によれば、ディスプレイパネル３６０内に、７つのエントリーを、このパラメータは変更することができるが、リストするよう構成されている。たとえば、図１９、および図５４−５６に示されるように、１２個のエントリーテーブルが、表的なトレンドデータスクリーンに４７０上に設けられている。何らの波形データ、それは、ステータスパネル３２０、図１８に示されるものと同様の、トレンドのライブ数値のパネル３５６、およびトレンドのデータパネル４７４よりなるもの、も、このスクリーン４７０上には、与えられていない。気づかれるように、２４時間前の、あるいは、他の所定時間のトレンドデータを、メモリ内に蓄えることができる。スクロールするナビゲーションアイコン３７４がまた、ユーザをして、必要に応じてストアされたデータの任意のものにアクセスすることを許すために、時間リスティングの次に、設けられている。
【００８０】
表的なデータに加えて、ここで記述されたデバイスは、図形的な形でトレンドされたデータを表示することができる。例示的な図形トレンドデータディスプレイスクリーン３８０は、図５７に示されている。このディスプレイスクリーン３８０は、上記のように、ステータスパネル３２０、ライブトレンドの数値パネル３５６、および図形ディスプレイパネル３８４、ここで、図形トレンドデータ２９４は、その底に時間スクロール３８８を持つ、を含むフォーマットにより、定義される。示されるパラメータは、単一パラメータ（この例では、心拍数）に関係し、ここでは、ディスプレイされている最中のパラメータデータは、以下により詳細に示されるように、変更されることができる。
【００８１】
図１８、１９、及び５６を参照して、ユーザが捕らえたスナップショットは、カメラアイコン４７７により、トレンドデータの表的なリスト内において分離して特定されている。サンプルスナップショットを見るスクリーン２９８は、図５０に示されている。スナップショットデータをリヴューすることは、この明細書の後の部分において議論される。
【００８２】
ここで記述された実施形態によるディスプレイボタン１０４は、設定されたディスプレイフォーマットを順回することにより用いられる。図１９に示されるように、該ディスプレイモードは、大数値ディスプレイスクリーン、波形／数値ディスプレイスクリーン、及びトレンドデータディスプレイスクリーン間で切り替わる。本例によれば、ディスプレイボタン１０４を押すと、モニタデバイス２０のユーザをして、大数値ディスプレイスクリーン３３６、単一波形ディスプレイスクリーン２１０、及び表トレンドディスプレイスクリーン４７０、のそれぞれの間で、切替わることを許す。ここで記述されたモニタデバイス２０の構成設定に依存して、該ディスプレイボタン１０４は、各タイプのディスプレイスクリーンのデフォルト設定はこれを決定することのできる、図１５、１７、および１８のそれぞれで示された、ディスプレイスクリーンのおのおの間でナビゲートするよう用いられることができる。
【００８３】
上記の主なディスプレイスクリーンのいずれかに関する全体のナビゲーションの用語において、および本実施形態によれば、上記で言及されたようなディスプレイカーソルは、いつもはハイライトされている。図２１を参照して、かつ、例示的なディスプレイスクリーンを見て、この場合、２重波形ディスプレイスクリーン３３２、本実施形態による各々のおよびいずれものディスプレイスクリーンは、単一の要素−現在のコンテキストでは−ここで４０７とラベルされた、要素をハイライトするために、それは第１の色付き（たとえば、青）のフィールドで示されている、を含む。
【００８４】
ここで記述されたモニタデバイス２０のユーザインタフェースを用いて、SELECTボタン９６を押すことは、モニタデバイス２０をして、現在のディスプレイスクリーンを、現在のコンテキストに関係しているもう１つのディスプレイスクリーンと置き換えることを意味する。例示により、もし、ＳｐＯ2テキスト識別子が、図２１のディスプレイスクリーン３３２において、ハイライトされ、かつ、SELECTボタン９６が押されれば、該モニタデバイス２０は、そのとき、特定のフォーマットで図２２に示されるものを、主なディスプレイスクリーン上に持って、ＳｐＯ2制御メニュー４０２を、主なディスプレイスクリーン上に表示する。方法性ボタン１００は、ユーザにより選択されるべき項目をハイライトするために、ディスプレイカーソルをスクロールするよう用いられることができる。
【００８５】
さらに、少なくともいくつかのディスプレイスクリーンがあり、それらはまた、要素−パラメータ値、それらは、第２の色（例えば、緑）の付いたフィールドによりハイライトされている、を含む。第２の色でハイライトされた領域の場合には、多数パラメータの現在の値は、与えられたコンテキストの中で特定される。例えば、かつ、図２２の制御メニューディスプレイスクリーンにおいて、ＳｐＯ2モニタリングメニューオプション４０３の現在のコンテキストは、主な、または第１の色（たとえば、緑）でハイライトされており、一方、本実施形態によるＳｐＯ2パラメータの現在の設定４０４は、第２の色（すなわち、緑）でハイライトされている。制御メニュー、および他のメニューは、本明細書の後の部分で議論される。
【００８６】
ちなみに、他の形式の表示は、種々の色を用いるユーザに、ディスプレイ上で設けられることができ、あるいは、この実施形態に従って、別々の表示器をもって与えられることができる。たとえば、図２０のディスプレイスクリーンに示されるような、赤でリストされた項目は、例えば、現在のコンテキスト３９２に加えて、与えられたアラーム限界（上限または下限のいずれか）を超えた読み取り３９６を示している。他の例も設けられている。たとえば、図５６に提示されているトレンドの表型のディスプレイスクリーンは、公知の限界と比較され、適切に特定された多くの読み取り４７５を描いている。
【００８７】
ディスプレイボタン１０４に加えて、ここで記述された測定デバイスは、少なくとも２つの目的に用いられる、１つのセットの埋め込まれたメニューを含む。第１に、あるメニュー（例えば、コンテキストメニュー）は、ユーザをして、モニタデバイス２０の種々のモード間でナビゲートすることを許す。第２に、他のメニューは、調整が、モニタ装置２０に対してなされることを許す。これらの調整は、一時的で、かつ、代表的に、モニタされている特定の患者に関係していることが意図されている。先述したように、デバイス設定は、代表的に、工場デフォルト設定を通して構成されている。充電クラドル１４０を、図６の、携帯型コンピュータ１９２に対し中間的となるものとして用いる構成ファイルを用いる技術が、工場設定の少なくともいくつかが、オーバーライドされることを許すオプションとして議論されてきた。該モニタデバイス２０はさらに、ユーザインタフェース９２を介してアクセスされることができる種々のディスプレイメニューを用いた、ユーザレベルでのカスタム構成を可能とする。ここでの説明の目的のために、２つの主要なメニュー、すなわち、ポップアップ（明細書全体を通して、ドロップダウン、とも言われる）メニュー、及びコントロールメニューが、アクセスされることができる。これらのメニューの各々は、本実施形態に関係して記述される。他のメニューは、ここに記述されたディスプレイボタン１１２に加えて、様々なディスプレイスクリーンを通しての、またはそれらの間でのナビゲーションをアシストする。これらのメニューは、上記したように、図２４のスタートアップディスプレイスクリーン、及び図２の情報スクリーンに関して、ほのめかされてきており、かつ、コンテキストメニューとして言及されている。
【００８８】
最初に、ポップアップまたはドロップダウンメニューは、ユーザに、ここに記述されたモニタデバイス２０のための構成設定を、一時的に行う、ばかりでなく、たとえば、ディスプレイのためのあるフォーマットを変更することを、許すよう設けられている。該メニューはまた、今から記述されるように、他の特徴のなかの、該デバイスの種々のモードにも影響を与える。簡単に、ディスプレイカーソルは、任意の主なディスプレイスクリーン２１０、３３２における項目を、図１５，１６に示されるように、ユーザインタフェース９２の方向性ボタン１００を用いて、ハイライトするために用いられ、SELECTボタン９６は、対応するドロップダウンメニューをアクセスするために押される。例えば、図５３に示されるように、結果として生じるポップアップ、またはドロップダウンメニューは、主なディスプレイスクリーン５９０上のオーバーレイとして現れ、ここで、各対応するメニューのフォーマットは、ヘッダーテキスト、および複数のリストされたメニュー項目、またはオプションを含む。本実施形態によれば、個々で記述されたモニタデバイス２０のために利用できる少なくとも１０個のドロップダウンメニューがあり、その各々は、該デバイスのある設定を一時的に特定の患者のために変えることを可能とする。
【００８９】
図２９の、患者モードドロップダウンメニュー５４０は、図１５の、任意の主要な生命兆候ディスプレイスクリーン２１０上に、その状態パネル３２０において設けられた、表示された患者モードフィールド２２４を、セレクトボタンを押すことによりハイライトすることにより、アクセス可能なものである。現在の、またはデフォルトの患者モード５４４、この場合、大人モードは、ハイライトされ、かつ、図２の、ユーザインタフェース９２の方向性矢ボタン１００は、モードが、５５６に示されるように、小児モードに変更されることを、可能としている。患者モードが本実施形態によって変更されると、該患者の、任意のスナップショットおよびトレンドデータを含む、すべてのストアされた生命兆候データは、ＣＰＵ１７４から自動的に検出され、かつ、すべてのモニタデバイスの設定は、選択された新しい患者モードのためのデフォルト設定に戻る。それゆえ、かつ、患者モードを変更するとき、図３０の確認スクリーンは、ここで５５４と示されるように、ディスプレイスクリーン上のオーバーレイとして現れ、パラメータ値が今選択されたモードのためのデフォルト設定に変更されることを示し、さらに、すべてのストアされた情報が、患者モードが変更されれば、失われることを示す。確認は、そのとき、任意の新しいモード選択がユーザによって実行されることができる前に、要求され、そこで、確認は、患者モードを変更し、ディスプレイスクリーン５５４から確認メッセージパネル５５０を除去する。結果として生じるディスプレイスクリーン（図示せず）は、そのとき、その患者モードフィールド２２４において小児を示す。
【００９０】
以前述べたように、および図６を参照して、該モニタデバイス２０は、ワイヤレスＲＦラジオカード１８０、及び内部アンテナ１８２を含むものであり、これらは、動作可能とされたとき、自動的にモニタ装置２０と、中央モニタステーション１８４との間のワイヤレス通信リンクを打ち立てる。一方、ワイヤレスＬＡＮ（ローカルエリアネットワーク）の境界内では、この接続は、適切なアクセスポイント１８６の範囲内で適切である。図１５に示されたもののように、任意の主なディスプレイスクリーン２１０のステータスパネル３２０上に位置した通信状態表示器またはアイコン２１２は、遠隔モニタステーション１８４との無線接続のステータスの指示を与えるよう構成されており、これは、たとえば、ネットワーク上のモニタデバイス２０と、アクセスポイント１８６との間の距離を与えられて、制限されている。たとえば、もしステータスインディケータ２１２が、本実施の形態により、ブランクであれば、そのとき、該モニタデバイス２０は、遠隔モニタステーション１８４とのために、イネーブルされることはない。このステータスインディケータ２１２は、本実施形態により、以下の接続に関するある情報を与えることができる：もし、通信状態インディケータ２１２がフラッシュすれば、これは、モニタデバイス２０が、アクセスポイント１８６と関連していることを示すものであるが、しかし、該デバイスは、遠隔モニタステーション１８４と通信するものではない。もし、通信状態インディケータ２１２が、それを通して現れるラインを持ち、該インディケータが、アンテナ記号として図１５−１８に示されるように、表現されていれば、そのとき、該モニタデバイス２０は、図６の、アクセスポイント１８６と、通信してはおらず、かつ、遠隔モニタステーション１８４と通信していない。以前に気づかれているように、本実施の形態による通信状態インディケータ２１２は、任意の主なディスプレイスクリーンにおいて、ステータスパネル３２０の上右手コーナーに位置している。同様の指示は、該モニタデバイス２０がＰＣ１９２と通信しており、ネットワークと通信していないときは、かつ、該モニタデバイスが、ネットワークと関連しており、かつ、遠隔モニタステーション１８４と通信しているか否かにかかわらず、ステータスインディケータ２１２を用いてなされることができる。
【００９１】
モニタデバイス２０がアクセスポイント１８６の範囲の外へ移動したときは、バッテリ制限により、ユーザは、モニタデバイス２０を、ワイヤレスネットワークから選択的に非接続とし、該デバイスを、非接続のワイヤレスモードに置くことが望ましい。この選択的非接続は、図６の、遠隔モニタステーション１８４との通信を回復しようと試みるときに起こるバッテリリソースへのかなりのドレインがあると、該デバイスは、該デバイスが範囲の外にあっても、通信を回復し続けようとするので、大変望ましい。本発明による一つのバージョンによれば、この選択的非接続は、ソフトウェアを通して達成され、そこでは、ユーザは、図１５の、主なディスプレイスクリーンの通信ステータス表示器２１２をハイライトし、あるいは、SELECTボタン９６を押す方向性矢ボタン１００の１つを用いてステータスパネル３２０をもつ任意のディスプレイスクリーンをハイライトする。
【００９２】
この実施形態によれば、および図４８、４９を参照して、非接続とされたワイヤレスアイコンポップアップまたはドロップダウンメニュー５６０（もし該デバイスがワイヤレストランシーバ１８０及びアンテナ１８２についてイネーブルされれば）が、アクセスされ、これにより、ユーザは、非接続とされたワイヤレスモード内に、およびその外に、選択的に行き来することを許される。
【００９３】
ポップアップメニュー５６０は、ユーザが、適切な方向矢印ボタン１００を用いてスクロールを行い、非接続メニューオプションをハイライトすることによって、該モニタデバイス２０を無線ネットワークから非接続とするよう選択することが可能な非接続オプション５６４を含む、１セットのメニューオプションを含む。この選択はさらに、モニタデバイス２０の正面対面サイド８４上に設けられた、図２の、ステータスインディケータ１６９のうちの一つによってユーザに示される。モニタデバイス２０がネットワークから非接続とされている間、該デバイスは、ローカルな、呼吸、ＮＩＢＰ、ＨＲ／ＰＲ及びＳｐＯ2アラームまたは設備アラームのみを与える。この期間の間、非接続メッセージ５６８がまた、ディスプレイスクリーン２１０上の通信ステータス表示器２１２の隣にてユーザに表示されており、後者は、図４９に示されるように、非接続のシンボル指示を有する。非接続の特徴の使用は、バッテリ／デバイスパワーが、モニタデバイス２０が範囲外にある間は、維持されるという利点を与える。上記無線非接続特徴が利用されている時間の間は、トレンドされた生命兆候データは、通常動作時のように、ＣＰＵ１７４のメモリ０内にストアされ続ける。
【００９４】
モニタデバイス２０が、再びネットワークの範囲内にあるとき、図１５の、通信状態インディケータ２１２は、モニタデバイス２０が、範囲内にあり、ネットワーク接続が、再び通信ステータスインディケータ２１２を、無線モードメニュー５６０をアクセスするよう、ハイライトし、再接続メニューオプション（図示せず）をハイライトし、かつ、SELECTボタン９６を押すことにより、回復されることができるという信号を与える。この選択は、患者およびネットワークに関する情報のためにユーザに表示されるプロンプトを、自動的に生じる。同様のメッセージが、遠隔モニタステーション１８４において表示される。個々で記述されたモニタ装置２０の無線ネットワークとの再構成およびハンドシェイキングは、以前に組み入れられた米国特許番号No.6,544,174において記述されているとおりである。ネットワーク接続が回復される時点では、モニタデバイス２０が非接続であった時間の間にストアされたすべてのデータは、図６の、遠隔モニタステーション１８４に、無線ネットワーク上で送信される。
【００９５】
ここで記述されたモニタデバイス２０のワイヤレスバージョンは、ネットワーク上で接続されているが、モニタデバイスにより集められた患者データは、遠隔モニタステーション１８４で連続的に保存される。遠隔測定ステーション１８４においては、患者情報は、アクセスされることができ、管理機能は、患者を承認し、移送し、承認、遠隔中央モニタステーションユニットからの患者を承認し、移送し、放擲すること、患者に記述（名前、主なケア治療者）を編集すること、および患者データを、トレンド及び波形を含んで、リヴューし、印刷することを含んで、遂行されることができる。
【００９６】
他のポップアップまたはドロップダウンメニューは、この実施形態によれば、図３２、３３に示されるように、どの波形が表示されているか（すなわち、おのおの、ベクトルの選択を含むＥＣＧ）を、決定するための、および、例えば、図６の、単一波形ディスプレイスクリーン２１０と２重波形ディスプレイスクリーン３３２の間でスイッチングをするためのユーザ選択を与える、波形ソースポップアップメニュー５８０を含んで、モニタデバイス２０のタの設定を一時的に構成するように、設けられている。この後者のメニュー５８０は、ユーザによって、ディスプレイスクリーン２１０上の波形ソースフィールド２３２をハイライトし、SELECTボタン９６を押すことによって、アクセスされる。本実施形態によれば、および、呼吸を除くすべての波形について、モニタデバイス２０はさらに、２つのパネルを通して単一波形をモニタするために、ディスプレイをカスケードする手段を含み、これにより、２ｘ時間期間（例えば、６秒から１２秒）をカバーする波形を示し、提示する。図３２は、デフォルトメニューオプション５８４を持つ一例のＥＣＧ波形を図示し、図３３は、メニュー５８０を用いた呼吸波形のためのユーザオプション５８８を描いている。
【００９７】
同様に、図３４の、波形サイズドロップダウンメニュー６００は、任意のディスプレイスクリーン３２２に関係する、表示されたＥＣＧ、ＳｐＯ2、または呼吸波形のサイズに関係するユーザ選択を、波形パネル３４４内に配置された波形サイズテキスト識別子をハイライトすること、およびメニューオプション６０４を選択することにより、許している。図３７の、サンプル呼吸波形６０８は、このサイズメニューにより区分されていることが示されている。
【００９８】
図５３の、トレンドディスプレイポップアップメニュー６４０は、トレンドディスプレイスクリーン、この場合スナップショットディスプレイスクリーン５９０の、図５２の、トレンドライブ数値パネル３５６における、図５２の、データディスプレイヘッダ３６４をハイライトすることにより、種々の形式のトレンドデータ（表の、波形の、およびスナップショットの）の間での選択を可能とする。以前にも気づかれたように、表スクリーンは、図５４−５６に示されており、かつ、図形トレンドデータは、図５７に描かれている。
【００９９】
同様に、図５５の、トレンドヴュー間隔ポップアップメニュー６６０は、データディスプレイパネル４７４における“タイム”見出しをハイライトすることによりアクセスされ、該メニューは、リストされたトレンドデータ間の時間間隔が、ユーザにより選択的に変化されることを、許している。
【０１００】
本実施形態による付加的なポップアップメニューは、スナップショット波形源ポップアップメニュー、図形源ポップアップメニュー、及びスナップショット選択ポップアップメニューを含む。これらの埋め込まれたメニューのおのおのは、同様に、適切なテキスト識別子をハイライトし、かつSELECTボタン９６を押すことにより、同様にアクセスされ、デバイス２０のための一時的な構成設定変更に影響を与えることができる。さらに、図４１の、ＳｐＯ2スポットチェック、または、ランダムポップアップメニュー６２０もまた設けられており、詳細は、この後者の特徴について、後に続くセクション内で、詳細が与えられている。
【０１０１】
本実施形態の目的のための、“コントロール”メニューは、現状のコンテキストでのトピックメニュー（例えば、図２２の、ＳｐＯ2）を含み、各メニューは、一列のパラメータを持ち、該パラメータのうちの１つがハイライトされ（例えば、ＳｐＯ2モニタリング）、一列のオプションをもち、そのうちの１項目がハイライトされた（例えば、スタンバイ、Ｏｎ，１００、Ｏｎ，９０、Ｌｏｗ）第１のディスプレイパネルからなるストアされた、フォーマットされたテンプレートより定義される。主な、（たとえば、青の）ハイライトされた項目は、現在、修正のためにイネーブルされたパラメータを含み、一方、２番目の、（例えば、緑の）はハイライトされたアイテムは、コントロールメニュー内のすべてのパラメータについての、現在の設定のおのおのを示している。各コントロールメニューはさらに、図２４の、スタートアップディスプレイスクリーン４００（ａ）、４００（ｂ）の場合のように、ナビゲーションを可能にする、ばかりでなく、ユーザにより選択される選択／オプションの確認またはキャンセルを許すために、コントロールパネルの底に、コンテキストメニューを含む。現在のところ、ここに記述されたモニタデバイス２０は、ユーザによってアクセス可能である、少なくとも９つのコントロールメニューを含む。
【０１０２】
気づかれるように、各コントロールメニューは、現在の患者のために、および選択を確認するために、モニタデバイス２０の構成のカスタム化を与える。既に先行するものにおけるように、各コントロールメニューは、制御されるべき項目の位置を突き止め、かつ、ハイライトするよう、方向性矢ボタン１００を用いて、かつ、以前にも記述したように、SELECTボタン９６を押すことにより、アクセスすることができる。これらのメニューの数、及び配置は、説明的であり、他の変形、および修正が、本発明の意図された範囲内で可能であることは、容易にあきらかであろう。さらに、以下の制御のおのおのが、モニタデバイス２０との無線通信上で、遠隔モニタステーション１８４から同様に修正されることができることに、気づくべきである。
【０１０３】
第１に、図３１の、タイムセットアップコントロールメニューは、該モニタ装置２０によって使用される時間、日付、及びタイムフォーマットが、ユーザによってローカリーに修正されることを許す。より詳細には、および本実施形態によれば、タイムフォーマット（１２時間／２４時間）、時間、分、月、日、年及び年フォーマットは、ユーザにより選択的に調整されることができる。時間及び日付はまた、該モニタデバイス２０が、１２時（ＡＭ／ＰＭ）、もしくは２４時間形式のいずれかで時間を表示することができ、また日付を、月／日／年、日／月／年もしくは他の適切なフォーマットで表示するので、その正確さにつき、確認されることができる。本実施形態によれば、日付は、主ディスプレイスクリーンには現れないが、しかし、以下でその詳細が記述されるスナップショットリスト、および関連するスナップショットデータの両方において現れる。タイムディスプレイ２１６（主な生命兆候ディスプレイスクリーン２１０の右上コーナー、またはステータスパネル３２０を持つ任意のディスプレイスクリーン内に位置する）をハイライトし、SELECTボタン９６を押すことは、タイム／日付コントロールメニュー７００をアクセスすることとなり、該スクリーンは、モニタデバイス２０により変更がなされ、メモリ内にストアされることを許す。
【０１０４】
さらに、幾つかのパラメータコントロールメニューは、ＮＩＢＰコントロールメニュー、ＳｐＯ2コントロールメニュー、ＨＲ／ＰＲコントロールメニュー、及び呼吸数コントロールメニューを含んで、多くのパラメータコントロールメニューが、アクセス可能である。これらのパラメータコントロールメニューの各々は、図１５の、２１０のような任意の主なディスプレイスクリーン内において、パラメータテキスト識別子を選択することにより、またはアラームベルアイコン２６８を選択することによって、アクセスされることができる。
【０１０５】
さらに具体的には、ＮＩＢＰコントロールメニューは、デジタル圧力計の選択と同様に、収縮期、拡張期、平均圧力のおのおのについての上限および下限アラームの設定、ばかりでなく、デジタルマノメーターの選択、および自動モードがイネーブルとされたときに使用される、特定のＮＩＢＰモード、および時間間隔の選択を許す。例示的なＮＩＢＰコントロールメニュー７２０が図２３に示されている。該ＮＩＢＰコントロールメニュー７２０は、本実施形態によれば、３つのパネルにより定義される。上方パネル７２２は、ユーザにより選択可能なメニューオプションの一覧を含む。第２フィールド７２４は、第１のパネル７２２からの各メニューオプションに関連するサブメニューオプションの一覧を含む。第３のパネルは、一連のナビゲーションオプションを含むコンテキストメニューパネル４１６である。
【０１０６】
ここで記述されたモニタデバイス２０に関しより特定的には、ＮＩＢＰ測定は、ユーザが選択した自動モードにおいては、血圧読み取りが所定の時間間隔でなされるユーザが選択した自動モードを通してなされることができる。図１の、適切のサイズのカフ７６の患者への正しい位置付け、および、図３の、デバイスハウジング２４の頂面対向サイド５２上に設けられた、図３の、ＮＩＢＰ空気コネクタフィッティング４８へのホースエンドのネジ締めに続いて、自動ＮＩＢＰモードは、図１５の、主な生命兆候ディスプレイスクリーン２１０内のＮＩＢＰテキスト識別子をハイライトすることにより、かつ、SELECTボタン９６を押すことにより、イネーブルされることができる。上記選択は、図２３に示される、ＮＩＢＰコントロールメニュー７２０をアクセスし、ＮＩＢＰモードオプションはそこまでスクロールされ、第２パネル７２４におけるAutoメニューサブオプションは、方向性コントロールボタン１００を用いて所望のモードをハイライトすること、およびSELECTボタン９６を押すことにより、選択される。そのとき、適切な時間間隔は、所定の時間間隔（たとえば、３分、分、１５）分、３０分、６０分、等）で自動血圧測定を与える、パネル７２４内のAuto Time Interval (分）サブオプションをハイライトすることにより選択されることができる。カフ７６を患者上に置く正しくない配置またはその失敗は、まだ、自動化モードをイネーブルとするが、設備アラートは、該モニタデバイス２０によって音を発せられる。
【０１０７】
該自動化ＮＩＢＰは、方向性コントロールボタン１００を用いて、主な生命兆候ディスプレイスクリーン２１０上のＮＩＢＰテキスト識別子をハイライトし、ＮＩＢＰコントロールメニューをアクセスするようSELECTボタン９６を押し、かつそののち、ＮＩＢＰコントロールメニュー７２０からＮＩＢＰモードをハイライトし、適切な方向性コントロールボタン１００を用いてマニュアルメニューを選択することにより、ディスエーブルすることができる。
【０１０８】
そうでなければ、任意の血圧読み取りは、患者に対して、図１の、正しいカフ７６、及び図１の、ホース８０を配置し、ハウジング２４の、図３の、頂面対向サイド５２上に設けられた、図３の、ＮＩＢＰ空気接続フィッティング４８内にホースエンドをネジ締めし、ＮＩＢＰスタート／ストップボタン１１２を押したあとに、マニュアルで行うことができる。以前に既に気づかれているように、すべてのマニュアルおよび他のＮＩＢＰモード測定は、モニタデバイス２０により、傾向のあるものとしてストアされる。
【０１０９】
さらに、改善された血圧測定モード（ここでは、“ターボ”モードと称す）は、モニタデバイスが、自動的に従来の方法で血圧測定読み取りを開始し、その時、所定の時間（例えば、５分）内にできるだけ多くの読み取りを、このオプションがダウンロード構成ファイルを通してのようなデフォルト構成設定の方法でイネーブルされたとして、行うものとして、設けられている。ここで定義されたような、ターボモードは、以前に記述したように、任意の主な生命兆候ディスプレイスクリーン２１０においてのＮＩＢＰテキスト識別子をハイライトし、かつ、図２３の、ＮＩＢＰコントロールメニュー７２０をアクセスするようSELECTボタン９６を押すことにより、ユーザインタフェース９２を介して設定されることができる。ＮＩＢＰモードメニューオプションはそののち、ターボサブオプションについて、ハイライトされ、そののち、適切な矢ボタン１００を用いて選択される。ＮＩＢＰスタート／ストップボタン１１２を選択すること、または、ＮＩＢＰコントロールメニュー７２０からＮＩＢＰモードマニュアルメニューオプションをハイライトすることは、該モニタデバイス２０をして、マニュアルＮＩＢＰ測定モードに戻す。
【０１１０】
上記で一般に気づかれるように、本実施形態による患者モニタデバイス２０はさらに、血圧測定手続きの間に、ユーザに選択的に表示されることのできるデジタル血圧計を含む。この特徴は、任意の主な生命兆候ディスプレイスクリーンから、以前に記述したような方法でアクセスされるＮＩＢＰコントロールメニュー７２０を通してイネーブルされる。図２３の、ＮＩＢＰコントロールメニュー７２０においては、トップパネル７２２においてそこでリストされたマノメーターオプションは、方向性矢ボタン１００を用いてハイライトされる。SELECTボタン９６を押すと、マノメーターメニュー７３０が、図４４に示されるように、ディスプレイスクリーン２１０上にオーバーレイとして現れる。ＮＩＢＰスタート／ストップボタン１１２を押すと、以前に記述したように、ＮＩＢＰ測定サイクルを開始させる。図１の、取り付けられたカフ７６が膨張した時、ディスプレイスクリーン２１０の底に位置するマノメーター圧力指示バー７３４は、図４５に示されるように、圧力読み取りを、ダイナミックに表示する。血圧測定サイクルが完了した時、測定数値７４２は、ディスプレイスクリーン２１０の波形グリッドの下にあらわれ、該測定の、収縮期、拡張期及びＭＡＰ値は、もし、有効な読み取りが、図４６に示されるように定義されたマノメータースケールに沿って、おのおのにつき得られれば、マーカー７３８として表示される。
【０１１１】
コントロールメニュー７２０上のアラーム限界、および残りのオプションの調整およびイネーブル化は、上記したのと同じ方法で選択される。パラメータコントロールメニュー用のコンテキストメニューパネル４１６オプションに関して、かつ、例えば、図４４を参照して、Exitメニューオプションは、もし、SELECTボタン９６により選択されれば、ユーザをして、以前の主な生命兆候ディスプレイスクリーンに戻し、トレンドオプションは、ディスプレイスクリーンを、表、または波形履歴が表示されることとなるトレンドを見るためのスクリーンに変え、スナップショットメニューオプションは、一連の現在の患者の生命兆候の２１秒波形スナップショットが選択的に見られるものとし、かつ、セットアップメニューオプションは、セットアップコントロールメニューをアクセスする。
【０１１２】
図２２の、ＳｐＯ2コントロールメニューは、連続的な、またはランダムな（ここでは、スポットチェックとも共通に呼ばれる）、ＳｐＯ2測定、および、アラーム限界、およびパルストーンの設定を行う。本実施形態によれば、例えばＥＣＧのような、ＳｐＯ2以外の少なくとも一つの生理的パラメータの連続的な測定は、ＣＰＵ１７４、およびつながれた生理的パラメータセンサアセンブリを介してイネーブルされ、一方、ユーザインタフェース９２の手段を用いて、ユーザをして、ＳｐＯ2を、“スポットチェック”することを許す。すなわち、ＳｐＯ2は、患者（図示せず）について、周期的に、またはランダムに、少なくとも１つの他の生理学的パラメータの連続的なモニタリングを維持しながら、チェックされることができる。
【０１１３】
連続的なＳｐＯ2測定がイネーブルとされたときは、モニタデバイス２０がＳｐＯ2を読み取り始めた後に、センサが患者から非接続とされたとき等、ＳｐＯ2読み取りが中断された時はいつも、アラームが生成される。ランダムモニタリング、または“スポットチェック”特徴を用いて、何らのアラームを発生させることなく、センサを取り付けたり、および外したりして、任意の数のランダムに取られた読み取りを、行うことができる。
【０１１４】
図３９を参照して、フローチャートは、一般に、ここで言及されたランダムな、又はスポットチェックの、モニタ特徴を記述している。最初に、モニタデバイス２０のＳｐＯ2モニタ機能がターンオフされる。ユーザは、図２１の、主な生命兆候ディスプレイスクリーンをスクロールし、ＳｐＯ2テキスト識別子をハイライトし、かつSELECTボタン９６を押すことによって、ユーザインタフェース９２により、連続的なＳｐＯ2モニタ機能を、手動でターンオフすることができる。先行するものは、図２２の、ＳｐＯ2コントロールメニューをアクセスする。このコントロールメニュー４０２は、２つのパネルによって定義される；メニューオプションおよびサブオプションのリストを含む第１のパネル７４６、および、スポットチェックモードの外のナビゲーションを許すコンテキストメニューパネル４１６である。ＳｐＯ2モニタリングメニューオプション４０３をハイライトすること、左矢ボタン１００を用いてオフサブオプションをハイライトすること、およびSELECTボタン９６を押すことは、そのとき、連続的モニタリング機能をターンオフし、スポットチェック特徴をターンオンする。
【０１１５】
ＳｐＯ2モニタリング機能が非活性化されたとき、それは、ユーザによって、連続モニタリングのためか、またはワンタイムスポットチェック読み取りのために、再活性化されることができる。スポットチェックが本実施形態によって望まれたとき、図１の、パルス酸素濃度計センサ６０は、モニタデバイス２０に、および患者に、取り付けられる。ユーザはそののち、図４０の、主な生命兆候ディスプレイスクリーン上のＳｐＯ2をハイライトし、かつ、SELECTボタン９６を押す。これを押しているとき、ユーザはそのとき、ＳｐＯ2＠ＸＸ：ＸＸをハイライトし、かつ、SELECTボタン９６を押し、図４１の、ＳｐＯ2ドロップダウンメニュー６２０をアクセスする。ディスプレイスクリーン（この図では、図示されていない）ディスプレイスクリーン上に、オーバーレイとして現れるメニュー６２０は、オン、オフ、およびスポットチェックオプションを含む。オンオプション６２２は、ユーザをして、連続的なＳｐＯ2モニタリング特徴を、再イネーブルすることを許す。オフオプション６２４は、連続的なモニタ特徴をディスエーブルし、スポットチェックをイネーブルする。スポットチェックオプション６２６は、この場合、ＳｐＯ2連続モニタ機能が既にディスエーブルされているので、ハイライトされている。ここで記述されているモニタデバイス２０のスポットチェック特徴は、該モニタデバイス２０内に収容され、ＳｐＯ2ハードウェアをして、最初に図１のセンサアセンブリ３２を開始し、かつ、該装置により測定されたように患者から安定なＳｐＯ2測定を獲得することを許す論理を通して制御される。本実施形態によれば、かつ、図４２によれば、主な生命兆候ディスプレイは、テキスト識別子“ＳＥＡＲＣＨ”６２８がスポットチェックテキスト識別子６２９の上に表示されて、ＳｐＯ2スポットチェックを示し、モニタデバイス２０が、患者からのパルス酸素濃度計データを待っていることを示す。２，３秒の後に、ＳｐＯ2インディケータは（もしＳｐＯ2が、パルスレートを決定するのに用いられれば）、パルスを表示し始め、３０秒の後に、ＳＥＡＲＣＨテキスト識別子６２８は、消失し、図４３の、パルス差酸素濃度計読み取り２５６が現れる。一度、安定な測定が得られると、ＳｐＯ2サブシステムは、自動的にパワーダウンされる。得られた安定なＳｐＯ2読み取りは、そののち、所定時間の間、あるいは、新しいＳｐＯ2スポットチェック読み取りが、獲得されるまで、表示される。付加的なスポットチェックのために、以前のステップは、そののち繰り返され、そこでは、ＳｐＯ2センサアセンブリは開始され；安定な読み取りが獲得され、かつ、その誤、所定時間の間、表示される。その間、連続的にモニタされる、ＥＣＧ等の任意の他のパラメータは、スポットチェック機能性特徴により影響を受けない。
【０１１６】
ＨＲ／ＰＲ及び呼吸コントロールメニュー、ばかりでなく、ＮＩＢＰ及びパルス酸素濃度コントロールメニューの各々は、上方、および下方アラーム限界の設定を許す。ＨＲ／ＰＲコントロールメニュー（示さず）はさらに、ボリュームの調整、または心音の可能化、及び心拍数に対する好ましいソース（ＳｐＯ2、またはＥＣＧのいずれか）、ここで、現在のソースは、またハイライトされている、を許す。呼吸制御メニューは（図示せず）また、ＥＣＧモニタアセンブリから使用される参照リードワイヤの選択を許す。
【０１１７】
上記パラメータコントロールメニュー、及び時間セットアップコントロールメニュー、セットアップコントロールメニューは、ここで記述されたモニタデバイス２０の行動を定義するために、ユーザに与えられる。代表的なセットアップメニューは、この実施形態によれば、次のステップ：バッテリ表示アイコン２２０、ＨＲ/ＰＲテキスト識別子、ＳｐＯ2テキスト識別子、ＮＩＢＰテキスト識別子、呼吸テキスト識別子またはアラームアイコンをハイライト表示すること；および、SELECTボタン９６を押すことにより、パラメータコントロールメニューをアクセスすること；ディスプレイスクリーン２１０の底にあるコンテキストメニューパネル４１６内に配置されたセットアップオプションをハイライト表示すること；および、再び、SELECTボタン９６を押すこと、を行うことによって、図１５−１９に描かれたもののような、任意の主なディスプレイスクリーンからアクセスされることができる。
【０１１８】
本実施形態による各々のセットアップ制御メニューにおいて構成されることのできる項目の中にあるのは、可聴アラームの一時停止および可能化、およびアラームトーンの調整であり、患者コンテキストの中で、これを管理することを許す。以前にも気付かれているように、許容範囲外の生命兆候読み取りのような、患者状態の“アラーム”警告である。“アラーム条件”が、本実施形態によって起こるとき、モニタデバイス２０の正面対向サイド８４上の、図２の、赤色光ステータスインディケータ１６９は、フラッシュし、ディスプレイ８８上に示される、違反するアラーム限界の数値は、図２０に描かれるように赤く変わる。さらに、ディスプレイカーソル自動的に該アラームを生じた表示された項目に移動し、課長アラームトーンはまた、聴かれる。サンプルアラーム条件８５０は、単一波形ディスプレイスクリーン２１０において、図５８に示される。この場合、モニタされた患者のための心拍数は、８５４で示されるように、所定限界を超えた。上記に加えて、かつ、モニタデバイス２０が、図６の、モニタステーション１８４に接続されているときは、アラーム条件の通知は、遠隔モニタステーションにも送信される。アラームサイレンス／復帰ボタン１１２を押すと、所定の時間（たとえば、９０秒）の間、現在のアラームトーンを沈黙させる。
【０１１９】
“アラート”は、低バッテリ、あるいはリード線の脱離の設備、又はデバイス条件に関係する。“アラート条件”が起こったとき、モニタデバイス２０上の黄色光表示１６９がフラッシュし、該条件を記述するメッセージが、メッセージパネル内において、ディスプレイ８８上に現れる。設備アラートのレイ、この場合、ＥＣＧリードの非接続が、図５９のディスプレイスクリーンにより示される。設備アラートは、このデバイスの実施形態によれば、フラッシュする黄色のインディケータ１６９により示され、ばかりでなく、ハイライトされた（すなわち、黄色の）アラートメッセージ３０６は、モニタデバイス２０のディスプレイスクリーン上に目立って与えられ、かつ、アラートが確認されずに、アラートの原因が解決されていないときには、アラートトーンの繰り返す発音も与えられる。知ることは、アラートウィンドウスクリーンに位置するコンテキストメニューを通してなされる。好ましくは、アラートトーンは、ユーザに対するアラームトーンから区別されるであろう。それゆえ、および加えて、ダイヤグラム３０２は、少なくとも１つの非接続とされたリードを示す指示（この場合、円を描かれたＸ）を持って示されている。アラームおよびアラート条件はまた、図６の、遠隔モニタステーション１８４により、検出される。
【０１２０】
ここで記述されたモニタデバイス２０により検出されるアラート条件の例は、これらに制限されるものではないが、以下のものを含む：リードの損失（単一、および複数）、過剰オフセット、またはプラグされていないＥＣＧケーブルの検出；空気リーク、キンクされたホース、過圧力カフ条件、膨張期／圧縮期圧力を決定する弱いパルス、パルスの非検出、加工物の検出を含むＮＩＢＰ欠陥は、有効読み取り、又は低バッテリを含む；ネットワーク通信問題の検出、充電クラドルに対する取り付けにおける検出、低バッテリ、またはＳｐＯ2の非検出；および、雑音信号、またはリード損失、等の呼吸チャネル損失。さらに、図５９を参照して、ユーザによるアラートの確認は、ディスプレイスクリーンの底にあるアクノリッジオプション８６４をハイライトし、かつ、図２の、SELECTボタン９６を押すことにより、なされる。該アクノリッジは、メッセージパネルを除去し、該ディスプレイ８８を以前のディスプレイフォーマットに戻す。
【０１２１】
ここで記述されたモニタデバイス２０が充電クラドルにマウントされているのではなく、バッテリ電源上で動作している場合におけるそれらの状況における設備不具合が、以前に議論されてきた。約３０分以下のバッテリのランニングタイムが残っている低バッテリ状態において、ＮＩＢＰ機能は、ディスエーブルされ、該モニタデバイス２０は、ユーザに対し、ＮＩＢＰがディスエーブルされているという適切なメッセージを表示する。ロウバッテリ状態の間に、ＮＩＢＰスタート／ストップボタン１１２を押す、あるいは、そうではなく、血圧測定を開始する試みは、設備アラートを適切なメッセージをもって表示することとなろう。しかしながら、モニタデバイス２０を、ロウバッテリ状態の間に充電クラドル１４０内に置くことは、ただちに、すべての血圧測定特徴をイネーブルすることになる。
【０１２２】
アラームトーンを、一時的に沈黙させるために、本実施形態によれば、２つの技術がある。第１の技術は、アラーム／サイレンスボタン１０８を押すことによるものであり、これは、任意の現在のアラームを、所定の時間の間（例えば、９０秒）、沈黙させるであろう。可聴トーンを沈黙させることは、残りのアラーム又はアラート指示に、影響を与えるものではないことに、気づくべきである。アラームトーンはまた、本特定のデバイス実施形態によれば、すべてのパラメータにつき、一時停止され、これにより、もしアラーム条件が、患者をモニタしている間に起こっても、アラームトーンが発音するのを防ぐことができる。一時停止は、図６０、６１に示されるように、ユーザにより、セットアップコントロールメニュー８００において設けられたアラーム一時停止メニュー８８０を、アクセスすることによりなされる。もしアラーム条件が、アラームトーンが一時停止されている間に起きれば、モニタデバイス２０は、ビジュアルなアラームインディケータは提示するが、可聴トーンは、発音しない。
【０１２３】
アラームトーンを沈黙させるための時間間隔に対向して、アラームトーンの一時停止期間は、モニタデバイス２０の、該トーンを、所定時間（すなわち、９０秒から６０分）の間にディスエーブルするための構成の間にセットされることができる。さらに、該モニタデバイス２０は、アラームトーンが、以前記述したように、図６の、ＰＣ１９２を用いてモニタデバイスの工場設定を置き換えるためにアップロードされた構成ファイルの使用を通して、ユーザにより一時停止されないよう、あらかじめ構成することができる。
【０１２４】
図６０、６１を参照して、かつもし一時停止された特徴が、現在のモニタデバイス２０についてディスエーブルされなければ、ユーザは、アラームによりハイライトされたパラメータのテキスト識別子をハイライトすることによりセットアップコントロールメニュー８００をアクセスすることができる。セットアップコントロールメニュー８００では一度、ユーザはアラームズオプションをハイライトすることができ、これにより、アラームズセットアップメニュー８８０をアクセスする。図６０に示されるように、かつ、アラームセットアップメニュー８８０をアクセスする際、ディスプレイカーソルは、Ｏｆｆメニューオプションをハイライトし、ここで、メッセージパネルが、Ｏｎサブオプションをハイライトするために右方向矢ボタン１００を用いて、ディスプレイスクリーン２１０上に現れる。図６１で、一度、一時停止が始まると、カウントダウンタイマー８８４が、セットアップメニュー８８０におけるラインの下に現れるとともに、ディスプレイスクリーン２１０の上部において、ハイライトされたインディケータ８８８が現れる。一時停止期間が終了した時、アラームトーンは、再びイネーブルされる。アラームセットアップメニュー８８０はさらに、アラームトーンのボリュームをユーザによって選択的に調整することを許す。
【０１２５】
代表的には、各医用設備は、大人の、幼児の、及び新生児の患者用のアラーム限界を定義し、そののち、該モニタデバイス２０を、該モニタデバイスをサービスに置く前に、それらのアラーム限界をもつよう構成する。ここで、以前にも述べたように、ユーザは、ここで記述されたモニタデバイス２０の構成設定を、局所的に、あるいはカスタム調整することができる。
【０１２６】
ここに記述されたモニタデバイス２０のもう１つの特性によれば、および図６２を参照して、上方、および下方アラーム限界は、該モニタデバイス２０が使用されている間に、個々の患者のために一時的にカスタマイズすることができる。この一時的なカスタム化機能は、そのパラメータ；この場合、ＮＩＢＰ７２０についてのコントロールメニューをアクセスするよう、主な生命兆候ディスプレイスクリーンから任意の問題の生命兆候をハイライトし、かつSELECTボタン９６を押すことによって、ユーザにより、実行することができる。そのとき、上方および下方のアラーム限界は、現在の値をハイライトし、左、および右方向矢ボタン１００を用いて新しいアラーム限界７２６、７２８を設定することにより選択することができる。このとき、これらの新しい限界値は、モニタデバイス２０の、図６の、ＣＰＵ１７４の揮発性メモリ内にストアされ、ユーザが、現在の患者の一部としてそれらを維持するのでなければ、該モニタデバイスの電源がオフされたときに消去される。あるいは、しかしながら、該デバイスは、ユーザに、設定が患者にかかわらずユーザにより保持できることを許すように該デバイスを構成することもできる。該モニタデバイスはさらに、アラーム限界が、図６の、遠隔モニタステーション１８４から、新しいリミット限界を受信するのにラジオカード１８０およびアンテナ１８２を用いて双方向性無線ネットワーク上で、特定の患者のために、カスタム化されることを許すよう、構成される。
【０１２７】
上記の特徴に加えて、ここに記述されたモニタデバイスはさらに、ユーザに対し、現存しているアラームの時間にSELECTボタン９６が押されるたびに、単一のパラメータについてアラーム限界に対し所定のパーセントの変更を与えるという、ユーザインタフェース９２上に設けられた特徴を活性化することを許すことにより、ユーザがモニタデバイス２０上でアラーム管理を行うことができるように、構成することができる。アラームパラメータ設定のおのおののための初期化、および初期パーセント設定は、この特定の実施形態により、モニタデバイス２０の構成設定の一部として、該モニタデバイス２０のＰＣ１９２を通しての使用に先立ち、工場構成設定を書き換えるための構成設定ファイルを用いて行われ、新しい設定は、ＣＰＵ１７４により、ストアされている。サンプルワークシート１９８の一部は、図６４、６５に示され、ここで、ボールドで示された、工場設定１９９は、図６４にリストされているように、特定のパラメータについて、調整することができる。ワークシート１９８を、ユーティリティを通して完成することは、構成設定ファイルを完成させ、かつ、現在のアラームの間に任意の単一のパラメータについてのアラーム限界を調整するためのリセットパーセント量を、与える手段を、与える。該ワークシートは、ParamSet とも言われるここでのアラーム限界パーセントオプションをイネーブル化するためのメニュー選択１９７を含む。本質的に、この選択的アラーム管理特徴のユーザは、上方及び下方のアラーム限界の両方が、しかるべくプリセットされ、そののち臨床者／看護師によって、選択的に使用されることを許す。
【０１２８】
要約すれば、４つの技術が、現在のモニタデバイス２０において、現在するアラームを取り扱い、管理するために、今、設けられている：第１に、ユーザは、ユーザインタフェース９２縦横に設けられたアラーム沈黙／再開ボタン１０８の使用を通して、一時的に、アラームを沈黙させることができる。アラームを一時的にターンオフすることは、しかしながら、それにおいてもそれ自身も、限界を変更するものではない。それゆえ、もし患者の生理学的パラメータが変化していなければ、アラームはふたたび、しばらくすれば、モニタデバイス２０のデフォルト設定（例えば、９０秒）に依存して、オフとなる。第２に、ユーザは、患者のためのアラームトーンを、コントロールメニュー８００を用いて上記した方法で、一時停止することができる。この特徴もまた、何らアラーム限界を変更するものではない。第３に、ユーザは、アラーム限界の任意のものを、７２０あるいは他のメニューのような、上記したようなセットアップコントロールメニューを用いて、一時的に変更、あるいはユーザインタフェース９２上に設けられた特徴を通して個々にカスタマイズすることができる。気づかれるように、この第３の技術は、特定のパラメータについて、コントロールメニューをアクセスして、特定のパラメータのインディケータ（たとえば、ＨＲ／ｍｉｎ、またはＮＩＢＰ等）をハイライトし、SELECTボタン９６を押すことにより遂行することができる。図６２の、対応するパラメータコントロールメニューが、このとき表示され、ユーザをして、方向性の右および左のカーソルコントロールボタン１００を用いて、患者に適切なアラームリミットを設定することを許し、ユーザは、その後、Ｅｘｉｔをハイライトしてメニューウィンドウを離れる。同じポップアップメニュー、又は同様のメニューを用いて、第４の技術は、現在記述されている生命兆候モニタデバイス２０の手段によって与えられ、そこで、ユーザはまた、パラメータアラーム限界を所定量だけ、自動的にかつ選択的に、変更することができる。アラーム限界を増大するよう変更するよりむしろ、ユーザは、このオプションについてのSELECTボタン９６が、構成設定ファイルを介して、図６４の、ワークシート１９８を用いてエンターされたとして、活性化されるごとに、所定のパーセント量だけ、アラーム限界を変更することができる。後者の特徴は、現在のアラームの間にだけ、アクセスすることができる。たとえば、ＨＲ／ＰＲについての上方および下方のアラーム限界は、９０の上方レート、および６０の下方レートでアラームするよう、最初に設定することができる。後者の特徴を用いて、SELECTボタン９６が、コントロールメニューにおける上記特徴について活性化されるたびに、アラーム限界は、所定のパーセント（たとえば、５パーセント、１０パーセント）だけ、増大されることができる。たとえば、もし５パーセントの変更が、ここで記述されたモニタデバイス２０について、構成設定されていれば、アラーム限界は、SELECTボタン９６が最初に押されたとき、９４（上方）／５７（下方）に変更され、SELECTボタン９６が２回目に押されたとき、９９（上方）／５４（下方）に変更され、以下同様となる。同様に、ＮＩＢＰ（膨張期圧力、収縮期圧力、および平均圧力）ＳｐＯ2，および呼吸レート限界は、同様に調整され、ここで、工場（デフォルト）プリセット値アラーム限界値からの量が、患者モードに依存して、個々のパラメータについて、ＰＣ１９２を用いたプリ構成設定ルーティンの一部として、調整されることができる。表のようなリスト９５０が、一例による、アラーム限界に対する適切なパーセントの変更として、図６５に示されている。
【０１２９】
本実施形態の、図１の、ＥＣＧモニタアセンブリ２８は、ＡＳＩＣの形式で設けられ呼吸サーキットを含み、そこでは、インピーダンス呼吸器法を用いたブレス信号が、呼吸レートばかりでなく、中枢性無呼吸の測定をサポートしている。ここで記述されたモニタデバイス２０は、３リード線、または５リード線のＥＣＧケーブルを用いて、ハートサイン（ＥＣＧ）、および呼吸レートを測定することができる。３リード線ＥＣＧケーブルを用いると、リードＩ,II,またはIIIについて、一つの信号波形が表示される。５リード線ＥＣＧケーブルを用いると、リードI,II,III,Vについて、かつ、もし、構成設定においてイネーブルされれば、aVR, aVL、またはaVFについて、１つ、または２つのいずれかの信号波形が表示されることができる。ＳｐＯ2、またはＲｅｓｐの波形もまた、ＥＣＧ波形の代わりに、表示されることができる。
【０１３０】
ＥＣＧをモニタするためには、適切なＥＣＧケーブルがデバイス筐体２４内に差し込まれ、適切な電極の配置が、患者の体上において選択される。この選択のプロセスは、一般に知られており、本発明の重要な部分を形成するものではない。少なくとも３つの電極接続が、ＥＣＧ／Ｒｅｓｐ測定には必要である。モニタデバイス２０は、３または５リード線ＥＣＧ取り付け器具の、図５９の、図形ディスプレイ３０２を備え、その固定された配置が示されている。図５９のダイヤグラム３０２内に示されたサークルの場所は、患者上の電極の正確な配置を示すものではない。
【０１３１】
モニタデバイス２０は、いくつかのリード線が接続されていないかを示し、かつ、図５９に示されるような、“ＥＣＧ不具合”設備アラーム、および胸図形を、示し、非接続とされたリードの一般的な配置を示すよう、適合されている。もし、非接続とされたリードが、波形ソース（リード）がＨＲ決定に使用されていれば、そのとき、モニタデバイス２０は、もし可能であれば、ハートレート（ＨＲ）用に使用されるリードを、自動的に、最付与する。もし再アサインが成功すれば、モニタデバイス２０は、そのとき、もう１つの設備アラームを、メッセージ“ＥＣＧリード変更”をつけて表示する。
【０１３２】
すべてのリード線が適切に接続された時、主な生命兆候ディスプレイスクリーンに戻ると、ＥＣＧ波形が、心拍数、及び他の患者データとともに、表示されていることがわかる。波形ソースは、例えば、カーソルコントロールボタン１００を用いて、波形ソース選択アイコンをハイライトし、SELECTボタン９６を押すことによって、リードＩからリードIIへ変更することができる。後者は、図３２の、波形ソースメニュー５８０をアクセスし、ここで、適切なオプション５８４がハイライトされることができる。通り過ぎるにおいて、および波形ソース選択メニューの底をスクロールすることによって、第２の波形を加える（または消去する）ことができる。波形サイズはまた、ユーザにより、現在の波形スケールをハイライトし、SELECTボタン９６を押すことにより、適切に変更されることができる。図３４の、波形サイズポップアップメニュー６００は、後者の選択を通してアクセスされ、望ましい倍率が、ハイライトされることができる。
【０１３３】
上記に記載したように、呼吸レートは、インピーダンス測定方法に基づいて、ＥＣＧもニタ回路を用いてモニタすることができ、ここで、呼吸は、ＥＣＧ電極から感受されることができる。呼吸の数値は、ディスプレイスクリーンの右下コーナーに表示される。呼吸の波形を見るためには、図１５の、波形ソース識別子２３２はハイライトされ、SELECTボタン９６が、図３３の波形ソースポップアップメニュー５８０をアクセスするために、押される。メニューオプション５８８としての呼吸は、そのときハイライトされ、選択される。波形サイズは、ＥＣＧ波形について以前に記述されたのと同じ方法で調整される。
【０１３４】
ＥＣＧ波形の存在をモニタするのに加えて、該モニタデバイス２０はまた、埋め込まれたペースメーカーデバイスから発生する周期信号を、検出する。その目的のために、本実施の形態によれば、及び図３５を参照して、もしモニタされている患者が埋め込まれたペースメーカーデバイスを持っていれば、該モニタデバイス２０は、図３６の、ＥＣＧセットアップコントロールメニュー９００からのペーサー指示器オプション９０４の活性により、ペースメーカー、またはペーサー信号の発生を、もし既に構成されていなくても、表示することができる。活性化された時、ペーサーインディケータは、垂直のダッシュ線を、ペースメーカー信号を指示するために、表示し、印刷する。もしペーサーインディケータオプション９０４がイネーブルされていなければ、本実施形態によるモニタデバイス２０は、ペースメーカー信号を検出し続けるが、しかし、ペースメーカーを表示し、印刷することはない。もしペーサー信号が十分に強ければ、モニタデバイス２０は、ペーサーインディケータオプション９０４がイネーブルされていてもいなくても、この信号を波形スパイクとして表示する。現在のＥＣＧ回路はまた、ペーサー信号／ＥＭＩパルスが非常に頻繁に生じているとき（実際のペーサー信号の周期外で）を、検出する。
【０１３５】
以前に気づかれたように、これらのペーサー信号の検出は、たとえば、埋め込まれた患者デバイスから（たとえば、ペースメーカー）からペーサー信号を十分に検出する能力を邪魔することのできるオーバーヘッド光からの、トリガーされた（ＥＭＩ−電気磁気干渉等の）電子的ノイズ、により共通に影響を受ける。電源ソースからの電気ノイズはまた、不明確なまたは、ノイジーな波形の原因となる。１つの側面によれば、該発明は、種々のＥＣＧベクトル、その各々は、両極性のペーサパルス検出につき処理されてきている、の中から選択する能力を与え、ペーサパルス検出器、およびピーク／ノイズフロア検出器の両方に、提供する。例が、図６３に示される。後者の検出器は、一般に、実際のペーサパルスのピーク振幅を表す値９０８を、獲得し、かつ、図６３に示されるような、急速に繰り返すノイズスパイクのピーク振幅を表す第２の値を獲得する。手段は、利用可能なＥＣＧベクトルの選択を、その後、９１５，９１６にそれぞれ示されるように、各々から、ピークおよびノイズ床レベル信号を得ること、および、そののちに、最適なＥＣＧベクトルをピックアップし、ペーサパルス検出器に提供し続けることを、許す。もし、ノイズフロア信号が、ユーザに利用可能であれば、ユーザは、ノイズフロア信号の大きさが、モニタデバイス２０を、あり得るノイズソースの近傍で、動き回らせる間に、どのように変化するかを、観察することができ、後者は、９１８と拡大されて示されている。報告された信号レベルは、一般に、モニタデバイス２０がノイズソースに、より近く動き、これにより、電気ノイズの源を見つけるにおいて、指針的な助けとなる。ノイズスパイク９１２が、どのようなレベルで、ペーサパルス検出器をトリガーし始めるであろうかは、すでに知られているので、ノイズソースが、パルス検出の失敗の原因となるほどに十分に大きいかが、このように決定される。ここで記述された原則は、ハードウェアにより、ソフトウェアにより、あるいは、ハードウェアとソフトウェアの結合により、実行することができる。
【０１３６】
上記の回路はさらに、ＥＣＧモニタアセンブリのための、リード線と電極の集積性を評価するために、測定を有効化するために用いることができる。この測定能力は、電極性能をモニタする手段を与える、ばかりでなく、必要に応じて、積極的に電極を変える手段を与える。背景の事項として、かつ、ＥＣＧ測定アセンブリのリード線が患者に取り付けられたとき、該ハードウェアは、各接続されたリード線を通して、小電流を駆動する。この電流は、患者をとおして、これもまた患者から伸びる参照Ｒ−度ワイヤに向けられる。その結果、各リードワイヤは、オームの法則に基づく（参照リードに関する）オフセット電圧を生成する。
【０１３７】
本発明の変形例によると、各リードワイヤのオフセット電圧デルタ（すなわち、そのリードワイヤ各々間の差電圧）が決定されることができ、これにより、リードワイヤ、および電極アセンブリの各々を定量的に、“ランキング”する手段を与える。モニタリングデバイス内に含まれたソフトウェアは、その時、計算されたデルタに基づき、リード線及び電極の評価を与えるために、少なくとも電極の“質的な状態”（例えば、一つのリードワイヤが、残っているリードワイヤよりも，ずっと高いオフセットを持っていれば、最もありそうな原因は、乾いた電極、または患者との接触のロスといった電極接触の問題である）を決定することができる。これらの電圧の差の比を比較することにより、それゆえ、ＥＣＧモニタアセンブリの部分の寿命に関して、先行する、または先を見越して対策をとることが可能である。
【０１３８】
上記に加えて、モニタデバイスはまた、図３６の、ＥＣＧセットアップコントロールメニュー９００からイネーブルされることのできる電源フィルタをも含む。電源フィルタのための設定は、設備内の電源に依存して適応されるべきである。この目的のために、本実施形態による電源フィルタオプション９０６は、６０Ｈｚ、及び５０Ｈｚの設定を含む。
【０１３９】
心臓の不整脈、血圧の突然の変化、ひきつけ、もしくは震えのような患者の動き、突然のカフの動き、振動、車両の動き、もしくは弱いパルス、その他、を含む多くの要素は、血圧（ＮＩＢＰ）測定に悪影響を及ぼす。本実施形態によれば、かつ、ＮＩＢＰ及びＥＣＧがおのおの、患者に関してモニタされたとき、ここで記述されているモニタデバイス２０は、適度の動き加工物または減少されたパルスの存在において、測定の正確性を向上するために、Welch Allyn Inc.,によって製造されたSmartcuf加工物フィルタのような動き加工物フィルタの選択的な使用を備えることができる。このデバイスにより利用される特定の動き加工物フィルタに関係する特定の詳細は、ＵＳ特許番号No.6,405,076B1に、記述されており、その全内容は、参照によりここに組み入れられる。
【０１４０】
加工物フィルタ特徴の可能化は、以前に記述したように、ＥＣＧとＮＩＢＰアセンブリのおのおのをモニタデバイス２０に取り付け、そののちに、上記生理学的センサアセンブリのおのおのを用いて患者をモニタするステップを含むであろう。セットアップコントロールメニュー８００は、主な生命兆候ディスプレイスクリーンから、上記記述された方法でアクセスされるであろう。セットアップコントロールメニュー８００をアクセスするとき、該ＮＩＢＰメニューオプションは、ＮＩＢＰセットアップコントロールメニュー８００をアクセスするようハイライトされ、そののち、スマートカフサブオプション（図示せず）がハイライトされ、選択されるであろう。前記加工物フィルタ特徴がイネーブルされ、動き加工物があまりに厳格で、測定精度がまだ影響を受けているある条件の下で、血圧測定は、ディスプレイスクリーン上、及びプリントアウト上の、識別可能な記号でマークされることが可能であろう。ある有意なＥＣＧ信号が得られることのできない、あるタイプの不整脈及び他の状況の間に、動き加工物フィルタは、上記したのと同様の方法でコントロールメニューにアクセスし、ＮＩＢＰオプションをハイライトし、スマートカフサブオプションをディスエーブルすることにより、選択的にディスエーブルされることができるであろう。
【０１４１】
ユーザインタフェース９６のボタン、及びここで記述されたモニタデバイス２０のディスプレイ、及び／又はバックライトは、権限のないアクセスまたは使用を妨げるようロックされることができる。このロックアウト機能は、いくつかの異なった方法で実施されることができる。一つの技術によれば、およびもし該機能が、最初にＰＣ構成設定ユーティティを使用してイネーブルされれば、ユーザは、左矢、右矢、およびアップボタンを、連続する一定時間（たとえば、５秒）の間、同時に押し下げることができる。電源オン／オフボタン５６を含む、すべてのボタンはロックされる。アラート又はアラームボタンが起きたときには、該ボタンは自動的にアンロックされる。同様に、該ディスプレイ８８及び／またはバックライトはまた、もし何らのオペレータ活動も所定量の時間の間に起きていなければ（すなわち、何らのボタンも押されていなければ）、ボタンの選択的な結合を用いて、ユーザによりロックアウトされることができる。バックライトロックアウト、及びディスプレイロックアウト特徴は、再び、アラートまたはアラーム条件が起きた後に直ちにディスエーブルされることができるであろう。
【０１４２】
この特定の実施形態によるユーザに利用可能な、残っているセットアップコントロールメニューは、デモモード（Disable, Low, High）に関係するものを含む。セットアップコントロールメニューに加えて、モニタデバイス２０は、本実施形態による、デバイスステータスコントロールメニュー；およびメッセージコントロールメニューを含む、付加的なコントロールメニューを組み入れている。デバイスステータスコントロールメニューは、ユーザをして、図２６に示されるように、表示された情報スクリーン４２０（ａ）、４２０（ｂ）を見ることを可能にする。情報スクリーン４２０（ａ）、４２０（ｂ）は、施設名、部門名、及び他の関連する情報を含む別々のパネル４２２、４２４を含む。メッセージコントロールメニューは、例えば、リード線の不具合が起きた場合に、ＥＣＧの変更に関して用いられ、チャンネルの再割り当てを必要とする。コントロールメニューのおのおのの底には、コンテキストメニューパネル４１６があり、ユーザにナビゲ−トを可能とし、ここで、セットアップコントロールメニューのコンテキストメニューは、パラメータコントロールメニューのそれらと同一である。
【０１４３】
コントロールメニューを用いた、より特定的な例は、図２２に描かれたディスプレイスクリーンを参照して今ここに述べる。この例では、ＳｐＯ2の下方限界を９５に変える（すなわち、上げる）、かつ、ＨＲ／ＰＲトーンをシャットオフすることが望ましい。第１のステップを遂行し、かつ“ＳｐＯ2”をハイライトするために、下矢ボタン１００を用いて、Lower Limitをハイライトするようスクロールし、右矢ボタン１００を、そののち、該リミットを、意図されたリミット値；この場合、９５まで増大するよう、必要な回数だけ押す。ここで記述されたモニタデバイス２０は、アラーム上限が、該パラメータについてのアラーム下限より低いレベルには減少されないように、プログラムされていることが指摘されるべきである。同様に、下方アラーム限界は、上方アラーム限界より大きい、または等しいレベルに上げられることはない。
【０１４４】
ＨＲ／ＰＲトーンを調整するために、下矢ボタン１００が、ＨＲ／ＰＲトーンフィールドにまでスクロールダウンするよう押され、左又は右矢ボタンが、オフをハイライトするために、必要な回数だけ押される。ＳＥＬＥＣＴボタン、またはディスプレイボタン１０４を押すと、コントロールメニュースクリーンを出て、ディスプレイを以前の生命兆候ディスプレイスクリーンに戻すであろう。
【０１４５】
コントロールメニューを出るとき、該メニューを出た時点で表示されていた値は、該モニタデバイス２０のための新しいデフォルト値である。もしパラメータがそれゆえ変更されれば、ユーザにより、ディスプレイスクリーンを離れる前に、以前の設定値を維持すべきかどうかにつき、決定がなされなければならない。もしそうであるなら、それらのパラメータは、コントロールメニューを出る以前に戻されていなければならない。
【０１４６】
要約するに、およびここで記述されたモニタデバイス２０のメニューおよびディスプレイナビゲーションの目的のために、方向矢ボタン１００は、それゆえ、以下の機能のうちのいずれかを遂行するために使用される：ディスプレイ上の項目をハイライトする、コントロールメニューからのオプションの選択、セットアップメニューまたは表示された“ポップアップ”メニュー、及び数値パラメータの値の変更。
【０１４７】
本実施形態によれば、ディスプレイボタン１０４は、図１９に示される構成設定されたディスプレイフォーマットを巡回するのに加えて、コントロールメニューから、及び“ポップアップ”メニューを閉じるために、主な生命兆候ディスプレイスクリーンへ戻るよう使用されることができる。
【０１４８】
最後に、SELECTボタン９６は、以下の動作を実行するために用いられる：主なハイライトされた項目のためのコントロールメニューを表示する、コントロールメニューから主な生命兆候ディスプレイスクリーンへ戻る、ディスプレイカーソルによってセットアップがハイライトされた時、セットアップメニューへのアクセスを与える、トレンドがハイライトされたとき、表的な、および図形的なトレンドを表示する、スナップショットがハイライトされたとき、スナップショットを表示する、ディスプレイまたはバックライトのいずれかが、モニタデバイス２０のパワーセーブ特徴によりターンオフしたとき、該ディスプレイまたはバックライトをターンオンさせる、及びポップアップメニューを表示する。
【０１４９】
ここで記述されたモニタデバイス２０は、現在の数値、および波形を表示することにくわえて、および最も最近の測定はまた、所定の量の患者データを保存する。この特定の実施形態によれば、モニタされている患者のための、２４時間までの（１分間隔での）トレンド（図形的、および数値的）情報、ばかりでなく、ＮＩＢＰおよびＳｐＯ2“スポットチェック”および“スナップショット”が、以下で述べるように、ユーザにより、患者と関連して選択的に取られ、かつ、任意のコントロールメニューのコンテキストメニューのトレンドオプションからアクセス可能なものとして、ストアされることができる。データストレージが容量出なされるとき、各新しい読みとりからのデータは、最も古い保存されたデータからのデータに、上書きされる。ＳｐＯ2及びＮＩＢＰスポットチェックを取ることに関する特徴は、すでに長く、議論されてきた。
【０１５０】
以前に気づかれているように、スナップショット要求は、デバイス筐体２４の前面対向サイド上に設けられた、図７の、スナップショットボタン１１６を押すことによりなされる。スナップショットボタン１１６を押すと、ＣＰＵ１７４は、図５０の、例示的なディスプレイスクリーン上において示されるような、付加的な情報をもつ、所定時間の間の、選択されたリードについての、デフォルト波形（ＥＣＧ，呼吸）の図形的なディスプレイ２９８を与えるようプログラムされている。図５０に、描かれたサンプルスナップショットディスプレイスクリーン、及びこの実施形態によれば、例えば、２１秒の保存されたＥＣＧデータ（スナップショットボタン１１６が押された後７秒、およびスナップショットボタンが押される前１４秒）が、各波形の時間およびデータスタンプ、検出された波形ソース、使用された波形スケール（サイズ）、および対応するスナップショットの数とともに表されている。本実施の形態によれば、２０までのスナップショットを、モニタデバイス２０によりストアすることができ、ここでは、任意の新しいスナップショットは、そのもっとも古いストアされたバージョンを上書きする。スナップショットの数は、適切に変えることができることは、容易に明らかであろう。
【０１５１】
このデータは、モニタデバイス２０でリヴューすることができる。スナップショットをリヴューするために、および任意の主な生命兆候ディスプレイスクリーンから、ユーザは、任意のパラメータテキスト識別子（ＨＲ／ＰＲ、ＳｐＯ2、等）をハイライトし、かつそののち、そのパラメータについてのコントロールメニューをアクセスする。ユーザは、そののち、そのコントロールメニューについてのコンテキストメニューパネル４１６をハイライトし、スナップショットオプションを選択し、該選択を、SELECTボタン９６を押すことによって確認する。スナップショットオプションをハイライトすることは、スナップショットディスプレイスクリーンが表示される結果となるものであり、その例が、図５１−５３に描かれている。２０までのスナップショットのおのおのが、そのとき、ユーザにより見られることができる。図５１−５３に示された例においては、５枚のスナップショットが取られている。該スナップショットディスプレイスクリーン５９０は、該ディスプレイスクリーンの上部にあるステータスパネル３２０、ライブ数値パネル３５６、及びスナップショットディスプレイパネル５９４を、それぞれ含む。該スナップショットディスプレイパネル５９４は、保存されたスナップショットを見るために表示し、スナップショットファイル、データソース、ディスプレイの大きさ及びスクロールコントロールを含む。垂直線が、ディスプレイの中央を示している。２１秒間の間の、波形および数値の生命兆候データは、ユーザにより、ディスプレイスクリーン５９０の底に設けられた時間間隔をハイライトし、かつ、ディスプレイを望ましい時間にスクロールするために方向性の（右／左）カーソルボタン１００を用いることによって見ることができる。図５２に示された例は、トリガーポイントにつづく一秒を取っている、図５１に対向して、スナップショットのトリガーポイントの後の５秒間についての、ものである。波形ソース、及びスナップショットのサイズはまた、図３２、３３に示されるように、ユーザにより、任意の獲得されたスナップショットについて、ディスプレイスクリーン上の任意のアイコンをハイライトし、関連するドロップダウンメニュー５８０、６００をアクセスすることにより、選択的に変更することができる。この例において、ユーザは、ディスプレイスクリーンの上左コーナーにあるスナップショットをハイライトし、SELECTボタン９６を押すことにより、もう１つのタイプのディスプレイに任意に切り替え、あるいは、出て、主な生命兆候ディスプレイに戻ることができる。先行するものは、図５３の、Trendsメニュー６４０にアクセスするものであり、ここで、適当なオプションを、ハイライトすると、ユーザをして、もう１つのディスプレイスクリーンにナビゲートすることを許す。
【０１５２】
気づかれるように、モニタデバイス２０はまた、複数のユーザが選択可能なフォーマットで、見ることができるトレンドデータをストアする。トレンドデータは、図５３の、主な生命兆候ディスプレイスクリーンからの任意のパラメータアイコンをハイライトし、SELECTボタン９６を押すことにより、波形データのそれに類似した態様で、リヴューされることができる。結果として生じるポップアップメニューからTrendsをハイライトし、SELECTボタン９６を押すと、Trendsディスプレイスクリーン４７０をアクセスし、その例は図５４に示される。Trendsディスプレイスクリーン４７０は、モニタされた患者の表のようなトレンドデータおよびライブ数値を表示し、該スクリーンは、ステータスパネル３２０、トレンドのライブ数値パネル３５６、及びトレンドパネル４７４、それぞれよりなるフォーマットを持つ。ステータスパネル３２０は、図１５に関して以前に記述したものと類似しており、数値パネルは、図１８に関して以前に記述したものと類似している。該トレンドパネル４７４は、表的なリストの上のディスプレイスククリーンの頂上のある、モニタされている患者についての現在の生命兆候読み取りについて１分間隔でとった表的なリストを含んでいる。この例に示されるように、読み取り時間、ＨＲ／分、血圧（収縮期／拡張期／平均）、呼吸レート／分、及びパルス酸素濃度（ＳｐＯ2）読み取りなどが設けられている。ユーザは、方向性（アップ／ダウン）カーソルボタン１００を用いて表示された表リストを通してスクロールを行うことが可能である。該リストは、スナップショットの形で既に獲得されたそれらの読み取り、および、許容可能な限界の外にある任意の読み取りを示す指示を、含むことが可能である。図５４を参照して、ユーザは、ディスプレイスクリーン４７０内のタイムテキスト識別子をハイライトし、かつ、ヴュー間隔“ポップアップ”メニュー６６０を、アクセスすることにより、表示されたトレンドデータのための時間間隔を、選択的に変更することが可能であり、ユーザをして、これをハイライトし、SELECTボタン９６を押すことにより、該時間（例えば、５分、１５分、３０分、６０分）を必要に応じて選択的に変更することを許している。
【０１５３】
図５６は、図５４に類似したサンプルディスプレイスクリーンを表わしているが、しかしアラーム限界を超えたか、あるいはその疑いがあるもののいずれかの読み取りを示している。
【０１５４】
図６に示されるように、充電クラドル１４０、およびＰＣ１９２に取り付けられたとき、すべての獲得されたスナップショットは、もし該モニタデバイス２０が、プリンタ１９５によるそれに続く印刷についてＰＣ１９２および充電クラドル１４０とのデータリンクを通してオンされていれば、自動的に印刷されるようにされている。該データは、ＰＣ１９２に、該ＰＣ内のロードされたソフトウェアを介して、手動により、あるいは自動的に、のいずれかにより、アップロードされる。一つのバージョンによれば、すべてのストアされた患者データは、電源を入れられたモニタデバイス２０が充電クラドル１４０内に置かれたとき、自動的にプリントアウトされる。モニタデバイス２０が、充電クラドル内に配置されたときにオフであれば、そのときは、オートプリント特徴はディスエーブルされる。オートプリント特徴をイネーブルするためには、ユーザは、モニタデバイス２０を電源オンし、図２４の、スタートァップディスプレイスクリーン４００（ｂ）における現患者の続行を、選択しなければならない。モニタデバイス２０内にストアされた表的なトレンドデータ、およびスナップショットが、印刷される。
【０１５５】
電源オン／オフボタン５６を押すと、図４７の、パワーオフディスプレイスクリーンをアクセスする。電源オフディスプレイスクリーン９４０のフォーマットは、ディスプレイスクリーンの上から読んで、ステータスパネル３２０、ノーティスパネル４０８、ショートメッセージパネル４１２、及びコンテキストメニューパネル４１６を含む。モニタデバイス２０の電源が再び入れられた時に、同じ患者を測定しようという意図があれば、そのときは、ストアされた生命兆候データ、及びモニタデバイス設定をセーブすることが望まれるであろう。そのようなときには、ディスプレイスクリーン９４０の底におけるコンテキストメニューパネル４１６内に２つのオプションが設けられており、−ストアされたデータおよび設定を消去してシャットダウンする、か、ストアされたデータをセーブしてシャットダウンする、かである。方向矢ボタン１００を用いてこれらのオプションのいずれかをハイライトし、SELECTボタン９６を押すと、モニタデバイス２０をシャットダウンし、ストアされたデータおよび設定をセーブあるいは削除することとなる。あるいは、もしパワーオフボタン５６が押され、ユーザが同じ患者をモニタし続けることを望めば、そのときは、ディスプレイスクリーン９４０のコンテキストメニューパネル４１６内に、キャンセルオプションもまた設けられている。本実施形態による、内部タイマーにより測定される、所定の時間期間内に、動作するのに失敗したときは、ディスプレイスクリーン９４０を、該モニタデバイス２０によって構成設定されているように、以前のスクリーン、またはデフォルトディスプレイスクリーンに戻すこととなる。
【０１５６】
ここに記述されたモニタデバイス、および関連するハードウェア及びソフトウェアは、以下の請求項に従った発明的概念の意図された範囲内でその変形が、可能である。
【図面の簡単な説明】
【０１５７】
【図１】図１は、本発明の実施の形態１による生命兆候モニタデバイスの正面図である。
【図２】図２は、図１の生命兆候モニタデバイスの正面斜視図である。
【図３】図３は、図１、および図２の生命兆候モニタデバイスの立正面図である
【図４】図４は、図１ないし３の生命兆候モニタデバイスと結合して使用される充電クラドルの正面斜視図である。
【図５】図５は、図４の充電クラドル内にマウントされている図１ないし３の生命兆候モニタデバイスの正面図である。
【図６】図６は、図１ないし３の生命兆候モニタデバイス、および図４の充電クラドルを含む患者モニタシステムの模式ブロック図である。
【図７】図７は、図４および５の充電クラドル内にマウントされている図１ないし３の生命兆候モニタデバイスのもう１つの正面図である。
【図８】図８は、その把持動作を許す取り付けられたストラップを持つ図１ないし３の生命兆候モニタデバイスの正面図である。
【図９】図９は、患者が装着可能なハーネスを用いた図１ないし３の生命兆候モニタデバイスのもう１つの図である。
【図１０】図１０は、患者輸送応用において使用される、図１ないし３の生命兆候モニタデバイスを描く。
【図１１】図１１は、ベッド側に備え付けられる、及び大ディスプレイに接続する図１ないし３の生体兆候モニタデバイスを描く。
【図１２】図１２は、充電クラドル、および大ディスプレイのためのインタフェースハウジングに取り付けられた図１１の生命兆候モニタデバイスを描く。
【図１３】図１３は、充電クラドル内にマウントされ、かつ、大ディスプレイに直接取り付けられた、図１１および１２の生命兆候モニタデバイスを描く。
【図１４】図１４は、図１ないし３の生命兆候モニタデバイスにより獲得することができ、大ディスプレイに表示することのできる情報を示す２つのサンプルディスプレイスクリーンを示す。
【図１５】図１５は、１つのディスプレイモードによる図１ないし３の生命兆候モニタデバイスのディスプレイスクリーンの一例を図示する。
【図１６】図１６は、図１ないし３の生命兆候モニタデバイスのためのもう１つのディスプレイモードによる生命兆候モニタデバイスの表示スクリーンのもう１つの例を描く。
【図１７】図１７は、図１ないし３の生命兆候モニタデバイスのためのもう１つのディスプレイモードによるさらにもう１つの例示的ディスプレイスクリーンを描く。
【図１８】図１８は、トレンドされた表的なデータを示す図１ないし３の生命兆候モニタデバイスのためのさらにもう１つのディスプレイモードによるディスプレイスクリーンのさらにもう１つの例を描く。
【図１９】図１９は、生命兆候モニタデバイスを使用した種々のディスプレイモード間のトグリングを描く。
【図２０】図２０は、ディスプレイカーソルが、ナビゲーションを許すために、表示されたアイテムにどのようにハイライトをつけるかを示す、もう１つのディスプレイスクリーンを図示する。
【図２１】図２１は、本発明の生命兆候モニタデバイスのディスプレイスクリーンのもう１つの例を示し、SELECTボタンが、ナビゲーションのためにハイライトされたアイテムを選択するために如何に使用されるかを図示する。
【図２２】図２２は、図２１のディスプレイスクリーンのハイライトされたアイテムの選択を通してアクセスされる例示的な制御メニューである。
【図２３】図２３は、本発明による生命兆候モニタデバイスのためのもう１つの例示的な制御メニューを描く。
【図２４】図２４は、デバイスのパワーアップに際し、生命兆候モニタデバイスのユーザに、患者に関連するデータおよび設定が、以前に該デバイスに設定されているかに依存して、提示されるディスプレイスクリーンの、サイドバイサイドの例を描く。
【図２５】図２５は、生命兆候モニタデバイスのための例示的なセットアップメニューである。
【図２６】図２６は、生命兆候モニタデバイスのための情報ディスプレイウインドウの例示的なセットである。
【図２７】図２７は、患者情報が入力されている生命兆候モニタデバイスの構成されたデータディスプレイスクリーンである。
【図２８】図２８は、図２７のディスプレイスクリーンの患者情報エントリーパネルを描くもう１つのディスプレイスクリーンである。
【図２９】図２９は、図１ないし３の生命兆候モニタデバイスのディスプレイスクリーンのための例示的な変更患者モードメニューを示す。
【図３０】図３０は、患者モードがユーザにより変更されたときの本発明による生命兆候モニタデバイスにより表示される確認ディスプレイスクリーンを示す。
【図３１】図３１は、時間／日付制御メニューを含む本発明の生命兆候モニタデバイスの例示的なディスプレイスクリーンである。
【図３２】図３２は、波形源メニューを含む本発明の生命兆候モニタデバイスの例示的なディスプレイスクリーンである。
【図３３】図３３は、異なる波形源を含む生命兆候モニタデバイスのもう１つの例示的なディスプレイスクリーンである。
【図３４】図３４は、波形減メニューを含む生命兆候モニタデバイスのもう１つの例示的なディスプレイスクリーンである。
【図３５】図３５は、本発明の一側面によるECGセットアップメニューを描く生命兆候モニタデバイスのディスプレイスクリーンである。
【図３６】図３６は、図３５のＥＣＧセットアップメニュー内で遂行される機能のもう１つの例である。
【図３７】図３７は、生命兆候モニタデバイスにより表示される例示的な呼吸波形である。
【図３８】図３８は、モニタ装置の例示的なディスプレイスクリーンの部分、及びＳｐＯ2制御メニューを描く。
【図３９】図３９は、図１ないし３の生命兆候モニタデバイスのＳｐＯ2スポットチェック特徴に関係するフローチャート
【図４０】図４０は、本発明の生命兆候モニタデバイスの例示的なディスプレイスクリーンであって、ＳｐＯ2がターンオフされた後に、ＳｐＯ2アイコンがハイライトされた主な生命兆候ディスプレイスクリーンを含む。
【図４１】図４１は、図４０のウィンドウナビゲーションを介してアクセスされるドロップダウンパルス酸素濃度計スポットチェックメニューである。
【図４２】図４２は、本発明によるＳｐＯ2スポットチェック特徴の部分を詳細化する例示的なディスプレイスクリーンである。
【図４３】図４３は、パルス酸素濃度計データを図示する図４２のディスプレイスクリーンの最近のバージョンである。
【図４４】図４４は、デジタルナノメータ特徴を図示する生命兆候モニタデバイスの例示的なディスプレイスクリーンである。
【図４５】図４５は、ＮＩＢＰ読み取りの間の後の時間での、図４４のディスプレイスクリーンである。
【図４６】図４６は、心臓収縮の,心臓拡張の, および平均圧力値に関しての、ユーザのためのマーカー／指示器を描いてなるＮＩＢＰ測定に続く後の時間での図４４および４５のディスプレイスクリーンである。
【図４７】図４７は、生命兆候モニタデバイスの例示的な電源オフディスプレイスクリーンである。
【図４８】図４８は、一部に、無線モードドロップダウンメニューを描く、生命兆候モニタデバイスの例示的なディスプレイスクリーンである。
【図４９】図４９は、デバイスが、ワイヤレスネットワークから非接続とされたときに、生命兆候モニタデバイスによりアクセスされ、表示されるディスプレイスクリーンである。
【図５０】図５０は、該デバイスにより獲得された生命兆候のスナップショットを図示する図１ないし３の生命兆候モニタデバイスのためのさらに他のディスプレイモードによる例示的なディスプレイスクリーンの例を描く。
【図５１】図５１は、該デバイスにより獲得された生命兆候のスナップショットを図示する図１ないし３の生命兆候モニタデバイスのためのさらに他のディスプレイモードによる例示的なディスプレイスクリーンの例を描く。
【図５２】図５２は、該デバイスにより獲得された生命兆候のスナップショットを図示する図１ないし３の生命兆候モニタデバイスのためのさらに他のディスプレイモードによる例示的なディスプレイスクリーンの例を描く。
【図５３】図５３は、図５０ないし５２に類似した、しかしさらにトレンドデータ選択メニューを含むスナップショットディスプレイスクリーンを示す。
【図５４】図５４は、本発明の生命兆候モニタデバイスにより表示される表的なトレンド化された患者データの種々の例示的なディスプレイスクリーンである。
【図５５】図５５は、本発明の生命兆候モニタデバイスにより表示される表的なトレンド化された患者データの種々の例示的なディスプレイスクリーンである。
【図５６】図５６は、本発明の生命兆候モニタデバイスにより表示される表的なトレンド化された患者データの種々の例示的なディスプレイスクリーンである。
【図５７】図５７は、トレンド化されたグラフィカルデータを示す、図１ないし３の生命兆候モニタデバイスのためのさらに他のディスプレイモードによるディスプレイスクリーンのもう１つの例である。
【図５８】図５８は、図１ないし３の生命兆候モニタデバイスの例示的なアラートディスプレイスクリーンを描く。
【図５９】図５９は、図１ないし３の生命兆候モニタデバイスの例示的な設備アラートディスプレイスクリーンを描く。
【図６０】図６０は、可聴アラームがイネーブル化、あるいはディスエーブル化可能であるアラームセットアップメニューを含む、生命兆候モニタデバイスのための例示的なディスプレイスクリーンを図示する。
【図６１】図６１は、可聴アラームがイネーブル化、あるいはディスエーブル化可能であるアラームセットアップメニューを含む、生命兆候モニタデバイスのための例示的なディスプレイスクリーンを図示する。
【図６２】図６２は、アラーム限界を、個人の患者のために、一時的にカスタマイズすることのできるパラメータ制御メニューを含む、本発明によるディスプレイスクリーンの例を示す。
【図６３】図６３は、選択されたECGベクトルからデバイスにより検出されたペーサ信号から電気ノイズがどのように判別されるかを示す信号出力である。
【図６４】図６４は、本発明の１つのバージョンによるモニタデバイスのために、個々のアラーム限界設定を、所定のパーセント量に構成するように使用される例示的な構成ワークシートの部分を示す。
【図６５】図６５は、本発明の１つのバージョンによるモニタデバイスのために、個々のアラーム限界設定を、所定のパーセント量に構成するように使用される例示的な構成ワークシートの部分を示す。
【図１】
2008526443.tif 000003
【図２】
2008526443.tif 000004
【図３】
2008526443.tif 000005
【図４】
2008526443.tif 000006
【図５】
2008526443.tif 000007
【図６】
2008526443.tif 000008
【図７】
2008526443.tif 000009
【図８】
2008526443.tif 000010
【図９】
2008526443.tif 000011
【図１０】
2008526443.tif 000012
【図１１】
2008526443.tif 000013
【図１２】
2008526443.tif 000014
【図１３】
2008526443.tif 000015
【図１４】
2008526443.tif 000016
【図１５】
2008526443.tif 000017
【図１６】
2008526443.tif 000018
【図１７】
2008526443.tif 000019
【図１８】
2008526443.tif 000020
【図１９】
2008526443.tif 000021
【図２０】
2008526443.tif 000022
【図２１】
2008526443.tif 000023
【図２２】
2008526443.tif 000024
【図２３】
2008526443.tif 000025
【図２４】
2008526443.tif 000026
【図２５】
2008526443.tif 000027
【図２６】
2008526443.tif 000028
【図２７】
2008526443.tif 000029
【図２８】
2008526443.tif 000030
【図２９】
2008526443.tif 000031
【図３０】
2008526443.tif 000032
【図３１】
2008526443.tif 000033
【図３２】
2008526443.tif 000034
【図３３】
2008526443.tif 000035
【図３４】
2008526443.tif 000036
【図３５】
2008526443.tif 000037
【図３６】
2008526443.tif 000038
【図３７】
2008526443.tif 000039
【図３８】
2008526443.tif 000040
【図３９】
2008526443.tif 000041
【図４０】
2008526443.tif 000042
【図４１】
2008526443.tif 000043
【図４２】
2008526443.tif 000044
【図４３】
2008526443.tif 000045
【図４４】
2008526443.tif 000046
【図４５】
2008526443.tif 000047
【図４６】
2008526443.tif 000048
【図４７】
2008526443.tif 000049
【図４８】
2008526443.tif 000050
【図４９】
2008526443.tif 000051
【図５０】
2008526443.tif 000052
【図５１】
2008526443.tif 000053
【図５２】
2008526443.tif 000054
【図５３】
2008526443.tif 000055
【図５４】
2008526443.tif 000056
【図５５】
2008526443.tif 000057
【図５６】
2008526443.tif 000058
【図５７】
2008526443.tif 000059
【図５８】
2008526443.tif 000060
【図５９】
2008526443.tif 000061
【図６０】
2008526443.tif 000062
【図６１】
2008526443.tif 000063
【図６２】
2008526443.tif 000064
【図６３】
2008526443.tif 000065
【図６４】
2008526443.tif 000066
【図６５】
2008526443.tif 000067
【国際調査報告】
2008526443.tif 000068
2008526443.tif 000069
2008526443.tif 000070